(57)【要約】【課題】ＩＰアドレスとサイバー空間に仮想された各種複数の仮想サーバとを可視化された連結ラインによりビジュアルに連結できる仮想サーバ提供システムを提供する。【解決手段】仮想サーバ提供システム１０Ａは、サイバー空間１２における各種複数の仮想サーバ１８１〜１８ｎを仮想するサーバ仮想化手段と、この仮想サーバを利用者のクライアントマシン２６１〜２６ｎやモバイルデバイス２７１〜２７ｎにおいて利用可能に割り当てる仮想サーバ割当手段と、前記クライアントマシンや前記モバイルデバイスに割り当てられた仮想サーバ１８１〜１８ｎをインターネット２１に接続可能にするために、クライアントマシン２６１〜２６ｎやモバイルデバイス２７１〜２７ｎに表示された仮想サーバ１８１〜１８ｎとＩＰアドレスとをクライアントマシン２６１〜２６ｎやモバイルデバイス２７１〜２７ｎにおいて可視化された連結ラインで連結する連結手段とを有する。【選択図】図１
2015064741.tif 000002
【特許請求の範囲】
【請求項１】
クラウドコンピューティングを利用する複数の利用者に前記クラウドコンピューティングの提供者がサイバー空間に存在する各種複数の仮想サーバを提供する仮想サーバ提供システムにおいて、
前記仮想サーバ提供システムが、前記サイバー空間に存在する各種複数の仮想サーバを仮想するサーバ仮想化手段と、前記仮想サーバを前記利用者の端末において利用可能に割り当てる仮想サーバ割当手段と、前記端末に割り当てられた仮想サーバをインターネットに接続可能にするために、前記端末に表示された仮想サーバとＩＰアドレスとを該端末において可視化された連結ラインで連結する連結手段とを有することを特徴とする仮想サーバ提供システム。
【請求項２】
前記連結手段では、前記利用者の端末に表示された仮想サーバから前記連結ラインを次第に引き出しつつ、前記端末に表示されたＩＰアドレスに向かってその連結ラインを伸長させてそのＩＰアドレスにその連結ラインを連結する請求項１に記載の仮想サーバ提供システム。
【請求項３】
前記連結手段では、１つの仮想サーバがそれから延びる連結ラインによって１つのＩＰアドレスに連結され、または、２つ以上の仮想サーバがそれらから延びる連結ラインによって１つのＩＰアドレスに連結される請求項１または請求項２に記載の仮想サーバ提供システム。
【請求項４】
前記仮想サーバ提供システムが、前記連結ラインによって所定のＩＰアドレスに連結された前記仮想サーバを該連結ラインを利用して他のＩＰアドレスに連結する連結変更手段を含み、前記連結変更手段では、前記連結ラインが連結されたＩＰアドレスからその連結ラインを引き離し、その連結ラインを他のＩＰアドレスに向かって伸長させてそのＩＰアドレスにその連結ラインを連結する請求項１ないし請求項３いずれかに記載の仮想サーバ提供システム。
【請求項５】
前記仮想サーバ提供システムが、前記連結ラインによって連結されたＩＰアドレスと仮想サーバとの連結を解除する連結解除手段を含み、前記連結解除手段では、前記連結ラインが連結されたＩＰアドレスからその連結ラインを引き離し、その連結ラインを前記仮想サーバに向かって次第に短縮させてその連結ラインをその仮想サーバに戻す請求項１ないし請求項４いずれかに記載の仮想サーバ提供システム。
【請求項６】
前記仮想サーバ提供システムが、前記サイバー空間に存在する各種複数の仮想ルーターを仮想するルーター仮想化手段と、前記サイバー空間に存在する各種複数の仮想ファイアーフォールを仮想するファイアーフォール仮想化手段と、それら仮想ルーターとそれら仮想ファイアーフォールとを接続するグローバルネットワークを設定するグローバルネットワーク設定手段と、それら仮想ファイアーフォールとそれら仮想サーバとを接続するプライベートネットワークを設定するプライベートネットワーク設定手段とを含む請求項１ないし請求項５いずれかに記載の仮想サーバ提供システム。
【請求項７】
前記プライベートネットワーク設定手段では、各１つの仮想ファイアーフォールから複数のプライベートネットワークを延出させ、それらプライベートネットワークによってそれら仮想ファイアーフォールとそれら仮想サーバとを接続する請求項６に記載の仮想サーバ提供システム。
【請求項８】
前記仮想サーバ提供システムが、前記連結手段によって前記ＩＰアドレスに連結された仮想サーバに所定のサーバ機能を設定するサーバ機能設定手段を含み、前記サーバ機能が、Ｗｅｂサーバ機能、アプリケーションサーバ機能、メールサーバ機能、データベースサーバ機能、ＦＴＰサーバ機能、ＤＮＳサーバ機能、プロキシサーバ機能、ＳＳＨサーバ機能、ＲＤＰサーバ機能のうちの少なくとも１つである請求項１ないし請求項７いずれかに記載の仮想サーバ提供システム。
【請求項９】
前記仮想サーバ提供システムが、前記仮想サーバに設定されたサーバ機能を他のサーバ機能に変更するサーバ機能変更手段を含む請求項８に記載の仮想サーバ提供システム。
【請求項１０】
前記仮想サーバ提供システムが、前記サイバー空間に存在するそれら仮想サーバを個別に具現化した各種複数のサーバモデルを前記利用者の端末のサーバモデル表示エリアにビジュアルに表示するサーバモデル表示手段を含み、前記仮想サーバ割当手段では、前記サーバモデル表示エリアに表示されたそれらサーバモデルの中から割り当てを要求するサーバモデルを前記端末のサーバモデルドロップエリアに移動させ、前記連結手段では、前記サーバモデルから延びる前記連結ラインを前記ＩＰアドレスに連結する請求項１ないし請求項９いずれかに記載の仮想サーバ提供システム。
【請求項１１】
前記仮想サーバ提供システムが、前記端末において利用可能に割り当てられた仮想サーバを他の仮想サーバに変更する仮想サーバ変更手段を含み、前記仮想サーバ変更手段では、前記端末のサーバモデルドロップエリアに表示されたそれらサーバモデルの中から変更対象のサーバモデルを該端末のサーバモデル表示エリアに移動させるとともに、前記サーバモデル表示エリアに表示されたそれらサーバモデルの中から新たに割り当てを要求するサーバモデルを前記サーバモデルドロップエリアに移動させる請求項１０に記載の仮想サーバ提供システム。
【請求項１２】
前記仮想サーバ提供システムが、前記端末において利用可能に割り当てられた仮想サーバを該端末において利用不能となるように削除する仮想サーバ削除手段を含み、前記仮想サーバ削除手段では、前記端末のサーバモデルドロップエリアに表示されたそれらサーバモデルの中から削除対象のサーバモデルを該端末のサーバモデル表示エリアに移動させる請求項１０または請求項１１に記載の仮想サーバ提供システム。
【請求項１３】
前記仮想サーバ提供システムが、前記サイバー空間に存在してそれら仮想サーバを構成する各種複数の仮想ＣＰＵを仮想するＣＰＵ仮想化手段と、前記サイバー空間に存在するそれら仮想ＣＰＵを個別に具現化した各種複数のＣＰＵモデルを前記端末のＣＰＵモデル表示エリアにビジュアルに表示するＣＰＵモデル表示手段と、ＣＰＵモデルに対応した前記サイバー空間の設定対象の仮想ＣＰＵを前記仮想サーバにおいて利用可能に設定する仮想ＣＰＵ設定手段とを含み、前記仮想ＣＰＵ設定手段では、前記ＣＰＵモデル表示エリアに表示されたそれらＣＰＵモデルの中から設定を要求するＣＰＵモデルを前記端末のＣＰＵモデルドロップエリアに移動させる請求項１ないし請求項１２いずれかに記載の仮想サーバ提供システム。
【請求項１４】
前記仮想サーバ提供システムが、前記端末に割り当てられた仮想サーバに利用可能に設定された仮想ＣＰＵを他の仮想ＣＰＵに変更する仮想ＣＰＵ変更手段を含み、前記仮想ＣＰＵ変更手段では、前記端末のＣＰＵモデルドロップエリアに表示されたそれらＣＰＵモデルの中から変更対象のＣＰＵモデルを該端末のＣＰＵモデル表示エリアに移動させるとともに、前記ＣＰＵモデル表示エリアに表示されたそれらＣＰＵモデルの中から新たに設定を要求するＣＰＵモデルを前記ＣＰＵモデルドロップエリアに移動させる請求項１３に記載の仮想サーバ提供システム。
【請求項１５】
前記仮想サーバ提供システムが、前記端末に割り当てられた仮想サーバに利用可能に設定された仮想ＣＰＵを該仮想サーバにおいて利用不能となるように削除する仮想ＣＰＵ削除手段を含み、前記仮想ＣＰＵ削除手段では、前記端末のＣＰＵモデルドロップエリアに表示されたそれらＣＰＵモデルの中から削除対象のＣＰＵモデルを該端末のＣＰＵモデル表示エリアに移動させる請求項１３または請求項１４に記載の仮想サーバ提供システム。
【請求項１６】
前記ＣＰＵモデル表示手段では、それらＣＰＵモデルとともに各ＣＰＵモデルに対応する仮想ＣＰＵのクロック数、コア数、型番（プロセッサナンバー、モデルナンバー）、フロント・サイド・バス（ＦＳＢ）、キャッシュのうちの少なくともクロック数およびコア数を前記端末に表示する請求項１３ないし請求項１５いずれかに記載の仮想サーバ提供システム。
【請求項１７】
前記仮想サーバ提供システムが、前記端末に割り当てられた仮想サーバに利用可能に設定された前記ＣＰＵモデルに対応する仮想ＣＰＵの過去または現在のＣＰＵ利用率を各仮想ＣＰＵ毎に記憶するＣＰＵ利用率記憶手段と、各仮想ＣＰＵ毎のＣＰＵ利用率を前記端末に表示するＣＰＵ利用率表示手段とを含む請求項１３ないし請求項１６いずれかに記載の仮想サーバ提供システム。
【請求項１８】
前記仮想サーバ提供システムが、前記サイバー空間に存在してそれら仮想サーバを構成する各種複数の仮想メモリを仮想するメモリ仮想化手段と、前記サイバー空間に存在するそれら仮想メモリを個別に具現化した各種複数のメモリモデルを前記端末のメモリモデル表示エリアにビジュアルに表示するメモリモデル表示手段と、メモリモデルに対応した前記サイバー空間の設定対象の仮想メモリを前記仮想サーバにおいて利用可能に設定する仮想メモリ設定手段とを含み、前記仮想メモリ設定手段では、前記メモリモデル表示エリアに表示されたそれらメモリモデルの中から割り当てを要求するメモリモデルを前記端末のメモリモデルドロップエリアに移動させる請求項１ないし請求項１７いずれかに記載の仮想サーバ提供システム。
【請求項１９】
前記仮想サーバ提供システムが、前記端末に割り当てられた仮想サーバに利用可能に設定された仮想メモリを他の仮想メモリに変更する仮想メモリ変更手段を含み、前記仮想メモリ変更手段では、前記端末のメモリモデルドロップエリアに表示されたそれらメモリモデルの中から変更対象のメモリモデルを該端末のメモリモデル表示エリアに移動させるとともに、前記メモリモデル表示エリアに表示されたそれらメモリモデルの中から新たに設定を要求するメモリモデルを前記メモリモデルドロップエリアに移動させる請求項１８に記載の仮想サーバ提供システム。
【請求項２０】
前記仮想サーバ提供システムが、前記端末に割り当てられた仮想サーバに利用可能に設定された仮想メモリを該仮想サーバにおいて利用不能となるように削除する仮想メモリ削除手段を含み、前記仮想メモリ削除手段では、前記端末のメモリモデルドロップエリアに表示されたそれらメモリモデルの中から削除対象のメモリモデルを該端末のメモリモデル表示エリアに移動させる請求項１８または請求項１９に記載の仮想サーバ提供システム。
【請求項２１】
前記メモリモデル表示手段では、それらメモリモデルとともに各メモリモデルに対応する仮想メモリのメモリ容量、メモリバス（ＦＳＢ）のうちの少なくともメモリ容量を前記端末に表示する請求項１８ないし請求項２０いずれかに記載の仮想サーバ提供システム。
【請求項２２】
前記仮想サーバ提供システムが、前記端末に割り当てられた仮想サーバに利用可能に設定されたメモリモデルに対応する仮想メモリの過去または現在のメモリ利用率を各仮想メモリ毎に記憶するメモリ利用率記憶手段と、各仮想メモリ毎のメモリ利用率を前記端末に表示するメモリ利用率表示手段とを含む請求項１８ないし請求項２１いずれかに記載の仮想サーバ提供システム。
【請求項２３】
前記仮想サーバ提供システムが、前記サイバー空間に存在してそれら仮想サーバを構成する各種複数の仮想ハードディスクを仮想するハードディスク仮想化手段と、前記サイバー空間に存在するそれら仮想ハードディスクを個別に具現化した各種複数のハードディスクモデルを前記端末のハードディスクモデル表示エリアにビジュアルに表示するハードディスクモデル表示手段と、ハードディスクモデルに対応した前記サイバー空間の設定対象の仮想ハードディスクを前記仮想サーバにおいて利用可能に割り当てる仮想ハードディスク割当手段とを含み、前記仮想ハードディスク割当手段では、前記ハードディスクモデル表示エリアに表示されたそれらハードディスクモデルの中から割り当てを要求するハードディスクモデルを前記端末のハードディスクモデルドロップエリアに移動させる請求項１ないし請求項２２いずれかに記載の仮想サーバ提供システム。
【請求項２４】
前記仮想サーバ提供システムが、前記端末に割り当てられた仮想サーバに利用可能に設定された仮想ハードディスクを他の仮想ハードディスクに変更する仮想ハードディスク変更手段を含み、前記仮想ハードディスク変更手段では、前記端末のハードディスクモデルドロップエリアに表示されたそれらハードディスクモデルの中から変更対象のハードディスクモデルを該端末のハードディスクモデル表示エリアに移動させるとともに、前記ハードディスクモデル表示エリアに表示されたそれらハードディスクモデルの中から新たに設定を要求するハードディスクモデルを前記ハードディスクモデルドロップエリアに移動させる請求項２３に記載の仮想サーバ提供システム。
【請求項２５】
前記仮想サーバ提供システムが、前記端末に割り当てられた仮想サーバに利用可能に設定された仮想ハードディスクを該仮想サーバにおいて利用不能となるように削除する仮想ハードディスク削除手段を含み、前記仮想ハードディスク削除手段では、前記端末のハードディスクモデルドロップエリアに表示されたそれらハードディスクモデルの中から削除対象のハードディスクモデルを該端末のハードディスクモデル表示エリアに移動させる請求項２３または請求項２４に記載の仮想サーバ提供システム。
【請求項２６】
前記ハードディスクモデル表示手段では、それらハードディスクモデルとともに各ハードディスクモデルに対応する仮想ハードディスクの記憶容量、プラッタ容量、回転速度、バッファ容量のうちの少なくとも記憶容量を前記端末に表示する請求項２３ないし請求項２５いずれかに記載の仮想サーバ提供システム。
【請求項２７】
前記仮想サーバ提供システムが、前記端末に割り当てられた仮想サーバに利用可能に設定されたハードディスクモデルに対応する仮想ハードディスクの過去または現在のハードディスク稼働状況を各仮想ハードディスク毎に記憶するハードディスク稼働状況記憶手段と、各仮想ハードディスク毎のハードディスク稼働状況を前記端末に表示するハードディスク稼働状況表示手段とを含む請求項２３ないし請求項２６いずれかに記載の仮想サーバ提供システム。
【請求項２８】
前記仮想サーバ提供システムが、前記サイバー空間に存在してそれら仮想サーバを構成する各種複数の仮想リソッド・ステート・ドライブを仮想するリソッド・ステート・ドライブ仮想化手段と、前記サイバー空間に存在するそれら仮想リソッド・ステート・ドライブを個別に具現化した各種複数のドライブモデルを前記端末のドライブモデル表示エリアにビジュアルに表示するドライブモデル表示手段と、ドライブモデルに対応した前記サイバー空間の設定対象の仮想リソッド・ステート・ドライブを前記仮想サーバにおいて利用可能に設定する仮想リソッド・ステート・ドライブ設定手段とを含み、前記仮想リソッド・ステート・ドライブ設定手段では、前記ドライブモデル表示エリアに表示されたそれらドライブモデルの中から設定を要求するドライブモデルを前記端末のドライブモデルドロップエリアに移動させる請求項１ないし請求項２７いずれかに記載の仮想サーバ提供システム。
【請求項２９】
前記仮想サーバ提供システムが、前記端末に割り当てられた仮想サーバに利用可能に設定された仮想リソッド・ステート・ドライブを他の仮想リソッド・ステート・ドライブに変更する仮想リソッド・ステート・ドライブ変更手段を含み、前記仮想リソッド・ステート・ドライブ変更手段では、前記端末のドライブモデルドロップエリアに表示されたそれらドライブモデルの中から変更対象のドライブモデルを該端末のドライブモデル表示エリアに移動させるとともに、前記ドライブモデル表示エリアに表示されたそれらドライブモデルの中から新たに設定を要求するドライブモデルを前記ドライブモデルドロップエリアに移動させる請求項２８に記載の仮想サーバ提供システム。
【請求項３０】
前記仮想サーバ提供システムが、前記端末に割り当てられた仮想サーバに利用可能に設定された仮想リソッド・ステート・ドライブを該仮想サーバにおいて利用不能となるように削除する仮想リソッド・ステート・ドライブ削除手段を含み、前記仮想リソッド・ステート・ドライブ削除手段では、前記端末のドライブモデルドロップエリアに表示されたそれらドライブモデルの中から削除対象のドライブモデルを該端末のドライブモデル表示エリアに移動させる請求項２８または請求項２９に記載の仮想サーバ提供システム。
【請求項３１】
前記ドライブモデル表示手段では、それらドライブモデルとともに各ドライブモデルに対応する仮想リソッド・ステート・ドライブの記憶容量、最大読み出し速度／最大書き込み速度、キャッシュ容量のうちの少なくとも記憶容量を前記端末に表示する請求項２８ないし請求項３０いずれかに記載の仮想サーバ提供システム。
【請求項３２】
前記仮想サーバ提供システムが、前記端末に割り当てられた仮想サーバに利用可能に設定されたドライブモデルに対応する仮想リソッド・ステート・ドライブの過去または現在のドライブ稼働状況を各仮想リソッド・ステート・ドライブ毎に記憶するドライブ稼働状況記憶手段と、各仮想リソッド・ステート・ドライブ毎のドライブ稼働状況を前記端末に表示するドライブ稼働状況表示手段とを含む請求項２８ないし請求項３１いずれかに記載の仮想サーバ提供システム。
【請求項３３】
前記仮想サーバ提供システムが、前記サイバー空間に存在してそれら仮想サーバを構成する各種複数の仮想ネットワークインターフェイスを仮想するネットワークインターフェイス仮想化手段と、前記サイバー空間に存在するそれら仮想ネットワークインターフェイスを個別に具現化した各種複数のインターフェイスモデルを前記端末のインターフェイスモデル表示エリアにビジュアルに表示するインターフェイスモデル表示手段と、インターフェイスモデルに対応した前記サイバー空間の設定対象の仮想ネットワークインターフェイスを前記仮想サーバにおいて利用可能に設定する仮想ネットワークインターフェイス設定手段とを含み、前記仮想ネットワークインターフェイス設定手段では、前記インターフェイスモデル表示エリアに表示されたそれらインターフェイスモデルの中から設定を要求するインターフェイスモデルを前記端末のインターフェイスモデルドロップエリアに移動させる請求項１ないし請求項３２いずれかに記載の仮想サーバ提供システム。
【請求項３４】
前記仮想サーバ提供システムが、前記端末に割り当てられた仮想サーバに利用可能に設定された仮想ネットワークインターフェイスを他の仮想ネットワークインターフェイスに変更する仮想ネットワークインターフェイス変更手段を含み、前記仮想ネットワークインターフェイス変更手段では、前記端末のインターフェイスモデルドロップエリアに表示されたそれらインターフェイスモデルの中から変更対象のインターフェイスモデルを該端末のインターフェイスモデル表示エリアに移動させるとともに、前記インターフェイスモデル表示エリアに表示されたそれらインターフェイスモデルの中から新たに設定を要求するインターフェイスモデルを前記インターフェイスモデルドロップエリアに移動させる請求項３３に記載の仮想サーバ提供システム。
【請求項３５】
前記仮想サーバ提供システムが、前記端末に割り当てられた仮想サーバに利用可能に設定された仮想ネットワークインターフェイスを該仮想サーバにおいて利用不能となるように削除する仮想ネットワークインターフェイス削除手段を含み、前記仮想ネットワークインターフェイス削除手段では、前記端末のインターフェイスモデルドロップエリアに表示されたそれらインターフェイスモデルの中から削除対象のインターフェイスモデルを該端末のインターフェイスモデル表示エリアに移動させる請求項３３または請求項３４に記載の仮想サーバ提供システム。
【請求項３６】
前記インターフェイスモデル表示手段では、それらインターフェイスモデルとともに各インターフェイスモデルに対応する仮想ネットワークインターフェイスの最大転送速度を前記端末に表示する請求項３３ないし請求項３５いずれかに記載の仮想サーバ提供システム。
【請求項３７】
前記仮想サーバ提供システムが、前記端末に割り当てられた仮想サーバに利用可能に設定されたインターフェイスモデルに対応する仮想ネットワークインターフェイスの過去または現在のインターフェイス稼働状況を各仮想ネットワークインターフェイス毎に記憶するインターフェイス稼働状況記憶手段と、各仮想ネットワークインターフェイス毎のインターフェイス稼働状況を前記端末に表示するインターフェイス稼働状況表示手段とを含む請求項３３ないし請求項３６いずれかに記載の仮想サーバ提供システム。
【請求項３８】
前記仮想サーバ提供システムが、前記サイバー空間に存在して前記仮想サーバにインストールされる各種複数の仮想ＯＳを仮想するＯＳ仮想化手段と、前記サイバー空間に存在するそれら仮想ＯＳを前記端末の仮想ＯＳ表示エリアに表示する仮想ＯＳ表示手段と、前記仮想ＯＳ表示エリアに表示されたそれら仮想ＯＳの中から所定の仮想ＯＳを選択し、その仮想ＯＳの前記仮想サーバへのインストールを前記利用者が要求したときに、その仮想ＯＳを前記仮想サーバにインストールする仮想ＯＳインストール手段を含む請求項１ないし請求項３７いずれかに記載の仮想サーバ提供システム。
【請求項３９】
前記仮想サーバ提供システムが、前記仮想サーバにインストールされた仮想ＯＳを前記仮想ＯＳ表示エリアに表示された他の仮想ＯＳに変更する仮想ＯＳ変更手段を含む請求項３８に記載の仮想サーバ提供システム。
【発明の詳細な説明】
【技術分野】
【０００１】
本発明は、クラウドコンピューティングを利用する複数の利用者にクラウドピューティングの提供者がサイバー空間に仮想された仮想サーバを提供する仮想サーバ提供システムに関する。
【背景技術】
【０００２】
対象システムを利用する顧客企業のカレンダー情報を設定者によって設定する処理および仮想サーバのスケール制御のための実スケジュールを生成するための定義情報を設定者によって設定する処理を行う第１処理部と、カレンダー情報および定義情報を参照し、仮想サーバのスケール制御のための実スケジュール情報を生成するスケジューリング処理を行う第２処理部と、実スケジュール情報の記述に従って指定の日時タイミングで対象システムの仮想サーバに対するスケール制御の指示を送信する処理を行う第３処理部とを有し、カレンダー情報が顧客企業の営業日および休業日の情報を含み、定義情報が対象仮想サーバ、日付定義、スケール制御の仮想サーバ数を含み、実スケジュール情報が日時、対象仮想サーバ、スケール制御の仮想サーバ数を含む仮想サーバ制御システムが開示されている（特許文献１参照）
【先行技術文献】
【特許文献】
【０００３】
【特許文献１】特開２０１３−４１３９７号公報
【発明の概要】
【発明が解決しようとする課題】
【０００４】
前記特許文献１に開示の仮想サーバ制御システムは、利用者がそのシステムの仮想サーバの中から所定の仮想サーバを選定し、その仮想サーバをインターネットに接続可能にする場合、利用者がＩＰアドレスと仮想サーバとを可視化された連結ラインによってビジュアルに連結することができず、ＩＰアドレスと仮想サーバとの連結を視覚で確認・把握することができない。したがって、希望のＩＰアドレスに仮想サーバを速やかに接続することが難しく、割り当てを要求する仮想サーバをインターネットに速やかに接続可能にすることができない。また、仮想サーバやサーバを構成する各デバイスを視覚で確認・把握しつつ希望の性能の仮想サーバやデバイスを速やかに選定かつ利用可能にすることができず、必要以上の性能を有する仮想サーバやデバイスを選んでしまったり、利用頻度や利用方法に対して性能が劣る仮想サーバやデバイスを選んでしまう場合がある。
【０００５】
本発明の目的は、ＩＰアドレスとサイバー空間に仮想された各種複数の仮想サーバとを可視化された連結ラインによってビジュアルに連結することができ、連結ラインを介して希望のＩＰアドレスに仮想サーバを速やかに連結することできるとともに、割り当てを要求する仮想サーバをインターネットに速やかに接続可能にすることができる仮想サーバ提供システムを提供することにある。本発明の他の目的は、仮想サーバをビジュアルに認識することができ、仮想サーバを視覚で確認・把握しつつ希望する性能の仮想サーバを速やかに選定かつ利用可能にすることができ、その仮想サーバを無駄なく有効に利用することができる仮想サーバ提供システムを提供することにある。本発明の他の目的は、仮想サーバを構成する各デバイスをビジュアルに認識することができ、デバイスを視覚で確認・把握しつつ希望する性能のデバイスを速やかに選定かつ利用可能にすることができ、そのデバイスを無駄なく有効に利用することができる仮想サーバ提供システムを提供することにある。
【課題を解決するための手段】
【０００６】
前記課題を解決するための本発明の前提は、クラウドコンピューティングを利用する複数の利用者にクラウドコンピューティングの提供者がサイバー空間に存在する各種複数の仮想サーバを提供する仮想サーバ提供システムである。
【０００７】
前記前提における本発明の仮想サーバ提供システムの特徴は、仮想サーバ提供システムが、サイバー空間に存在する各種複数の仮想サーバを仮想するサーバ仮想化手段と、仮想サーバを利用者の端末において利用可能に割り当てる仮想サーバ割当手段と、端末に割り当てられた仮想サーバをインターネットに接続可能にするために、端末に表示された仮想サーバとＩＰアドレスとを端末において可視化された連結ラインで連結する連結手段とを有することにある。
【０００８】
本発明の仮想サーバ提供システムの一例として、連結手段では、利用者の端末に表示された仮想サーバから連結ラインを次第に引き出しつつ、端末に表示されたＩＰアドレスに向かってその連結ラインを伸長させてそのＩＰアドレスにその連結ラインを連結する。
【０００９】
本発明の仮想サーバ提供システムの他の一例として、連結手段では、１つの仮想サーバがそれから延びる連結ラインによって１つのＩＰアドレスに連結され、または、２つ以上の仮想サーバがそれらから延びる連結ラインによって１つのＩＰアドレスに連結される。
【００１０】
本発明の仮想サーバ提供システムの他の一例としては、仮想サーバ提供システムが連結ラインによって所定のＩＰアドレスに連結された仮想サーバを連結ラインを利用して他のＩＰアドレスに連結する連結変更手段を含み、連結変更手段では、連結ラインが連結されたＩＰアドレスからその連結ラインを引き離し、その連結ラインを他のＩＰアドレスに向かって伸長させてそのＩＰアドレスにその連結ラインを連結する。
【００１１】
本発明の仮想サーバ提供システムの他の一例としては、仮想サーバ提供システムが連結ラインによって連結されたＩＰアドレスと仮想サーバとの連結を解除する連結解除手段を含み、連結解除手段では、連結ラインが連結されたＩＰアドレスからその連結ラインを引き離し、その連結ラインを仮想サーバに向かって次第に短縮させてその連結ラインをその仮想サーバに戻す。
【００１２】
本発明の仮想サーバ提供システムの他の一例としては、仮想サーバ提供システムが、サイバー空間に存在する各種複数の仮想ルーターを仮想するルーター仮想化手段と、サイバー空間に存在する各種複数の仮想ファイアーフォールを仮想するファイアーフォール仮想化手段と、それら仮想ルーターとそれら仮想ファイアーフォールとを接続するグローバルネットワークを設定するグローバルネットワーク設定手段と、それら仮想ファイアーフォールとそれら仮想サーバとを接続するプライベートネットワークを設定するプライベートネットワーク設定手段とを含む。
【００１３】
本発明の仮想サーバ提供システムの他の一例として、プライベートネットワーク設定手段では、各１つの仮想ファイアーフォールから複数のプライベートネットワークを延出させ、それらプライベートネットワークによってそれら仮想ファイアーフォールとそれら仮想サーバとを接続する。
【００１４】
本発明の仮想サーバ提供システムの他の一例としては、仮想サーバ提供システムが連結手段によってＩＰアドレスに連結された仮想サーバに所定のサーバ機能を設定するサーバ機能設定手段を含み、サーバ機能が、Ｗｅｂサーバ機能、アプリケーションサーバ機能、メールサーバ機能、データベースサーバ機能、ＦＴＰサーバ機能、ＤＮＳサーバ機能、プロキシサーバ機能、ＳＳＨサーバ機能、ＲＤＰサーバ機能のうちの少なくとも１つである。
【００１５】
本発明の仮想サーバ提供システムの他の一例としては、仮想サーバ提供システムが仮想サーバに設定されたサーバ機能を他のサーバ機能に変更するサーバ機能変更手段を含む。
【００１６】
本発明の仮想サーバ提供システムの他の一例としては、仮想サーバ提供システムがサイバー空間に存在するそれら仮想サーバを個別に具現化した各種複数のサーバモデルを利用者の端末のサーバモデル表示エリアにビジュアルに表示するサーバモデル表示手段を含み、仮想サーバ割当手段では、サーバモデル表示エリアに表示されたそれらサーバモデルの中から割り当てを要求するサーバモデルを端末のサーバモデルドロップエリアに移動させ、連結手段では、サーバモデルから延びる連結ラインをＩＰアドレスに連結する。
【００１７】
本発明の仮想サーバ提供システムの他の一例としては、仮想サーバ提供システムが端末において利用可能に割り当てられた仮想サーバを他の仮想サーバに変更する仮想サーバ変更手段を含み、仮想サーバ変更手段では、端末のサーバモデルドロップエリアに表示されたそれらサーバモデルの中から変更対象のサーバモデルを端末のサーバモデル表示エリアに移動させるとともに、サーバモデル表示エリアに表示されたそれらサーバモデルの中から新たに割り当てを要求するサーバモデルをサーバモデルドロップエリアに移動させる。
【００１８】
本発明の仮想サーバ提供システムの他の一例としては、仮想サーバ提供システムが端末において利用可能に割り当てられた仮想サーバを端末において利用不能となるように削除する仮想サーバ削除手段を含み、仮想サーバ削除手段では、端末のサーバモデルドロップエリアに表示されたそれらサーバモデルの中から削除対象のサーバモデルを端末のサーバモデル表示エリアに移動させる。
【００１９】
本発明の仮想サーバ提供システムの他の一例としては、仮想サーバ提供システムが、サイバー空間に存在してそれら仮想サーバを構成する各種複数の仮想ＣＰＵを仮想するＣＰＵ仮想化手段と、サイバー空間に存在するそれら仮想ＣＰＵを個別に具現化した各種複数のＣＰＵモデルを端末のＣＰＵモデル表示エリアにビジュアルに表示するＣＰＵモデル表示手段と、ＣＰＵモデルに対応したサイバー空間の設定対象の仮想ＣＰＵを仮想サーバにおいて利用可能に設定する仮想ＣＰＵ設定手段とを含み、仮想ＣＰＵ設定手段では、ＣＰＵモデル表示エリアに表示されたそれらＣＰＵモデルの中から設定を要求するＣＰＵモデルを端末のＣＰＵモデルドロップエリアに移動させる。
【００２０】
本発明の仮想サーバ提供システムの他の一例としては、仮想サーバ提供システムが端末に割り当てられた仮想サーバに利用可能に設定された仮想ＣＰＵを他の仮想ＣＰＵに変更する仮想ＣＰＵ変更手段を含み、仮想ＣＰＵ変更手段では、端末のＣＰＵモデルドロップエリアに表示されたそれらＣＰＵモデルの中から変更対象のＣＰＵモデルを端末のＣＰＵモデル表示エリアに移動させるとともに、ＣＰＵモデル表示エリアに表示されたそれらＣＰＵモデルの中から新たに設定を要求するＣＰＵモデルをＣＰＵモデルドロップエリアに移動させる。
【００２１】
本発明の仮想サーバ提供システムの他の一例としては、仮想サーバ提供システムが端末に割り当てられた仮想サーバに利用可能に設定された仮想ＣＰＵを仮想サーバにおいて利用不能となるように削除する仮想ＣＰＵ削除手段を含み、仮想ＣＰＵ削除手段では、端末のＣＰＵモデルドロップエリアに表示されたそれらＣＰＵモデルの中から削除対象のＣＰＵモデルを端末のＣＰＵモデル表示エリアに移動させる。
【００２２】
本発明の仮想サーバ提供システムの他の一例として、ＣＰＵモデル表示手段では、それらＣＰＵモデルとともに各ＣＰＵモデルに対応する仮想ＣＰＵのクロック数、コア数、型番（プロセッサナンバー、モデルナンバー）、フロント・サイド・バス（ＦＳＢ）、キャッシュのうちの少なくともクロック数およびコア数を端末に表示する。
【００２３】
本発明の仮想サーバ提供システムの他の一例としては、仮想サーバ提供システムが、端末に割り当てられた仮想サーバに利用可能に設定されたＣＰＵモデルに対応する仮想ＣＰＵの過去または現在のＣＰＵ利用率を各仮想ＣＰＵ毎に記憶するＣＰＵ利用率記憶手段と、各仮想ＣＰＵ毎のＣＰＵ利用率を端末に表示するＣＰＵ利用率表示手段とを含む。
【００２４】
本発明の仮想サーバ提供システムの他の一例としては、仮想サーバ提供システムが、サイバー空間に存在してそれら仮想サーバを構成する各種複数の仮想メモリを仮想するメモリ仮想化手段と、サイバー空間に存在するそれら仮想メモリを個別に具現化した各種複数のメモリモデルを端末のメモリモデル表示エリアにビジュアルに表示するメモリモデル表示手段と、メモリモデルに対応したサイバー空間の設定対象の仮想メモリを仮想サーバにおいて利用可能に設定する仮想メモリ設定手段とを含み、仮想メモリ設定手段では、メモリモデル表示エリアに表示されたそれらメモリモデルの中から割り当てを要求するメモリモデルを端末のメモリモデルドロップエリアに移動させる。
【００２５】
本発明の仮想サーバ提供システムの他の一例としては、仮想サーバ提供システムが端末に割り当てられた仮想サーバに利用可能に設定された仮想メモリを他の仮想メモリに変更する仮想メモリ変更手段を含み、仮想メモリ変更手段では、端末のメモリモデルドロップエリアに表示されたそれらメモリモデルの中から変更対象のメモリモデルを端末のメモリモデル表示エリアに移動させるとともに、メモリモデル表示エリアに表示されたそれらメモリモデルの中から新たに設定を要求するメモリモデルをメモリモデルドロップエリアに移動させる。
【００２６】
本発明の仮想サーバ提供システムの他の一例としては、仮想サーバ提供システムが端末に割り当てられた仮想サーバに利用可能に設定された仮想メモリを仮想サーバにおいて利用不能となるように削除する仮想メモリ削除手段を含み、仮想メモリ削除手段では、端末のメモリモデルドロップエリアに表示されたそれらメモリモデルの中から削除対象のメモリモデルを端末のメモリモデル表示エリアに移動させる。
【００２７】
本発明の仮想サーバ提供システムの他の一例として、メモリモデル表示手段では、それらメモリモデルとともに各メモリモデルに対応する仮想メモリのメモリ容量、メモリバス（ＦＳＢ）のうちの少なくともメモリ容量を端末に表示する。
【００２８】
本発明の仮想サーバ提供システムの他の一例としては、仮想サーバ提供システムが、端末に割り当てられた仮想サーバに利用可能に設定されたメモリモデルに対応する仮想メモリの過去または現在のメモリ利用率を各仮想メモリ毎に記憶するメモリ利用率記憶手段と、各仮想メモリ毎のメモリ利用率を端末に表示するメモリ利用率表示手段とを含む。
【００２９】
本発明の仮想サーバ提供システムの他の一例としては、仮想サーバ提供システムが、サイバー空間に存在してそれら仮想サーバを構成する各種複数の仮想ハードディスクを仮想するハードディスク仮想化手段と、サイバー空間に存在するそれら仮想ハードディスクを個別に具現化した各種複数のハードディスクモデルを端末のハードディスクモデル表示エリアにビジュアルに表示するハードディスクモデル表示手段と、ハードディスクモデルに対応したサイバー空間の設定対象の仮想ハードディスクを仮想サーバにおいて利用可能に割り当てる仮想ハードディスク割当手段とを含み、仮想ハードディスク割当手段では、ハードディスクモデル表示エリアに表示されたそれらハードディスクモデルの中から割り当てを要求するハードディスクモデルを端末のハードディスクモデルドロップエリアに移動させる。
【００３０】
本発明の仮想サーバ提供システムの他の一例としては、仮想サーバ提供システムが端末に割り当てられた仮想サーバに利用可能に設定された仮想ハードディスクを他の仮想ハードディスクに変更する仮想ハードディスク変更手段を含み、仮想ハードディスク変更手段では、端末のハードディスクモデルドロップエリアに表示されたそれらハードディスクモデルの中から変更対象のハードディスクモデルを端末のハードディスクモデル表示エリアに移動させるとともに、ハードディスクモデル表示エリアに表示されたそれらハードディスクモデルの中から新たに設定を要求するハードディスクモデルをハードディスクモデルドロップエリアに移動させる。
【００３１】
本発明の仮想サーバ提供システムの他の一例としては、仮想サーバ提供システムが端末に割り当てられた仮想サーバに利用可能に設定された仮想ハードディスクを仮想サーバにおいて利用不能となるように削除する仮想ハードディスク削除手段を含み、仮想ハードディスク削除手段では、端末のハードディスクモデルドロップエリアに表示されたそれらハードディスクモデルの中から削除対象のハードディスクモデルを端末のハードディスクモデル表示エリアに移動させる。
【００３２】
本発明の仮想サーバ提供システムの他の一例として、ハードディスクモデル表示手段では、それらハードディスクモデルとともに各ハードディスクモデルに対応する仮想ハードディスクの記憶容量、プラッタ容量、回転速度、バッファ容量のうちの少なくとも記憶容量を端末に表示する。
【００３３】
本発明の仮想サーバ提供システムの他の一例としては、仮想サーバ提供システムが、端末に割り当てられた仮想サーバに利用可能に設定されたハードディスクモデルに対応する仮想ハードディスクの過去または現在のハードディスク稼働状況を各仮想ハードディスク毎に記憶するハードディスク稼働状況記憶手段と、各仮想ハードディスク毎のハードディスク稼働状況を端末に表示するハードディスク稼働状況表示手段とを含む。
【００３４】
本発明の仮想サーバ提供システムの他の一例としては、仮想サーバ提供システムが、サイバー空間に存在してそれら仮想サーバを構成する各種複数の仮想リソッド・ステート・ドライブを仮想するリソッド・ステート・ドライブ仮想化手段と、サイバー空間に存在するそれら仮想リソッド・ステート・ドライブを個別に具現化した各種複数のドライブモデルを端末のドライブモデル表示エリアにビジュアルに表示するドライブモデル表示手段と、ドライブモデルに対応したサイバー空間の設定対象の仮想リソッド・ステート・ドライブを仮想サーバにおいて利用可能に設定する仮想リソッド・ステート・ドライブ設定手段とを含み、仮想リソッド・ステート・ドライブ設定手段では、ドライブモデル表示エリアに表示されたそれらドライブモデルの中から設定を要求するドライブモデルを端末のドライブモデルドロップエリアに移動させる。
【００３５】
本発明の仮想サーバ提供システムの他の一例としては、仮想サーバ提供システムが端末に割り当てられた仮想サーバに利用可能に設定された仮想リソッド・ステート・ドライブを他の仮想リソッド・ステート・ドライブに変更する仮想リソッド・ステート・ドライブ変更手段を含み、仮想リソッド・ステート・ドライブ変更手段では、端末のドライブモデルドロップエリアに表示されたそれらドライブモデルの中から変更対象のドライブモデルを端末のドライブモデル表示エリアに移動させるとともに、ドライブモデル表示エリアに表示されたそれらドライブモデルの中から新たに設定を要求するドライブモデルをドライブモデルドロップエリアに移動させる。
【００３６】
本発明の仮想サーバ提供システムの他の一例としては、仮想サーバ提供システムが端末に割り当てられた仮想サーバに利用可能に設定された仮想リソッド・ステート・ドライブを仮想サーバにおいて利用不能となるように削除する仮想リソッド・ステート・ドライブ削除手段を含み、仮想リソッド・ステート・ドライブ削除手段では、端末のドライブモデルドロップエリアに表示されたそれらドライブモデルの中から削除対象のドライブモデルを端末のドライブモデル表示エリアに移動させる。
【００３７】
本発明の仮想サーバ提供システムの他の一例として、ドライブモデル表示手段では、それらドライブモデルとともに各ドライブモデルに対応する仮想リソッド・ステート・ドライブの記憶容量、最大読み出し速度／最大書き込み速度、キャッシュ容量のうちの少なくとも記憶容量を端末に表示する。
【００３８】
本発明の仮想サーバ提供システムの他の一例としては、仮想サーバ提供システムが、端末に割り当てられた仮想サーバに利用可能に設定されたドライブモデルに対応する仮想リソッド・ステート・ドライブの過去または現在のドライブ稼働状況を各仮想リソッド・ステート・ドライブ毎に記憶するドライブ稼働状況記憶手段と、各仮想リソッド・ステート・ドライブ毎のドライブ稼働状況を端末に表示するドライブ稼働状況表示手段とを含む。
【００３９】
本発明の仮想サーバ提供システムの他の一例としては、仮想サーバ提供システムが、サイバー空間に存在してそれら仮想サーバを構成する各種複数の仮想ネットワークインターフェイスを仮想するネットワークインターフェイス仮想化手段と、サイバー空間に存在するそれら仮想ネットワークインターフェイスを個別に具現化した各種複数のインターフェイスモデルを端末のインターフェイスモデル表示エリアにビジュアルに表示するインターフェイスモデル表示手段と、インターフェイスモデルに対応したサイバー空間の設定対象の仮想ネットワークインターフェイスを仮想サーバにおいて利用可能に設定する仮想ネットワークインターフェイス設定手段とを含み、仮想ネットワークインターフェイス設定手段では、インターフェイスモデル表示エリアに表示されたそれらインターフェイスモデルの中から設定を要求するインターフェイスモデルを端末のインターフェイスモデルドロップエリアに移動させる。
【００４０】
本発明の仮想サーバ提供システムの他の一例としては、仮想サーバ提供システムが端末に割り当てられた仮想サーバに利用可能に設定された仮想ネットワークインターフェイスを他の仮想ネットワークインターフェイスに変更する仮想ネットワークインターフェイス変更手段を含み、仮想ネットワークインターフェイス変更手段では、端末のインターフェイスモデルドロップエリアに表示されたそれらインターフェイスモデルの中から変更対象のインターフェイスモデルを端末のインターフェイスモデル表示エリアに移動させるとともに、インターフェイスモデル表示エリアに表示されたそれらインターフェイスモデルの中から新たに設定を要求するインターフェイスモデルをインターフェイスモデルドロップエリアに移動させる。
【００４１】
本発明の仮想サーバ提供システムの他の一例としては、仮想サーバ提供システムが端末に割り当てられた仮想サーバに利用可能に設定された仮想ネットワークインターフェイスを仮想サーバにおいて利用不能となるように削除する仮想ネットワークインターフェイス削除手段を含み、仮想ネットワークインターフェイス削除手段では、端末のインターフェイスモデルドロップエリアに表示されたそれらインターフェイスモデルの中から削除対象のインターフェイスモデルを端末のインターフェイスモデル表示エリアに移動させる。
【００４２】
本発明の仮想サーバ提供システムの他の一例として、インターフェイスモデル表示手段では、それらインターフェイスモデルとともに各インターフェイスモデルに対応する仮想ネットワークインターフェイスの最大転送速度を端末に表示する。
【００４３】
本発明の仮想サーバ提供システムの他の一例としては、仮想サーバ提供システムが、端末に割り当てられた仮想サーバに利用可能に設定されたインターフェイスモデルに対応する仮想ネットワークインターフェイスの過去または現在のインターフェイス稼働状況を各仮想ネットワークインターフェイス毎に記憶するインターフェイス稼働状況記憶手段と、各仮想ネットワークインターフェイス毎のインターフェイス稼働状況を端末に表示するインターフェイス稼働状況表示手段とを含む。
【００４４】
本発明の仮想サーバ提供システムの他の一例としては、前記仮想サーバ提供システムが、サイバー空間に存在して仮想サーバにインストールされる各種複数の仮想ＯＳを仮想するＯＳ仮想化手段と、サイバー空間に存在するそれら仮想ＯＳを端末の仮想ＯＳ表示エリアに表示する仮想ＯＳ表示手段と、仮想ＯＳ表示エリアに表示されたそれら仮想ＯＳの中から所定の仮想ＯＳを選択し、その仮想ＯＳの仮想サーバへのインストールを利用者が要求したときに、その仮想ＯＳを仮想サーバにインストールする仮想ＯＳインストール手段を含む。
【００４５】
本発明の仮想サーバ提供システムの他の一例としては、仮想サーバ提供システムが仮想サーバにインストールされた仮想ＯＳを仮想ＯＳ表示エリアに表示された他の仮想ＯＳに変更する仮想ＯＳ変更手段を含む。
【発明の効果】
【００４６】
本発明にかかるに係る仮想サーバ提供システムによれば、利用者の端末において利用可能に割り当てられた仮想サーバとＩＰアドレスとを端末において可視化された連結ラインで連結する連結手段を有するから、ＩＰアドレスとサイバー空間に仮想された各種複数の仮想サーバとを可視化された連結ラインによってビジュアルに連結することができ、連結ラインを介して希望のＩＰアドレスに仮想サーバを速やかに連結することできる。仮想サーバ提供システムは、利用者の端末に表示された連結ラインを視覚によって認識・把握しつつＩＰアドレスとサイバー空間に仮想された各種複数の仮想サーバとを連結することができるから、仮想サーバを希望のＩＰアドレスに確実に連結することができ、割り当てを要求する仮想サーバをインターネットに速やかに接続可能にすることができる。
【００４７】
連結手段において、利用者の端末に表示された仮想サーバから連結ラインを次第に引き出しつつ、端末に表示されたＩＰアドレスに向かってその連結ラインを伸長させてそのＩＰアドレスにその連結ラインを連結する仮想サーバ提供システムは、ＩＰアドレスと仮想サーバとの連結時に、仮想サーバから連結ラインを次第に引き出してその連結ラインをＩＰアドレスに連結するから、ＩＰアドレスと仮想サーバとを可視化された連結ラインによってビジュアルに連結することができ、希望のＩＰアドレスと仮想サーバとの連結を誤ることはなく、連結ラインを介して希望のＩＰアドレスに仮想サーバを確実に連結することできる。
【００４８】
連結手段において、１つの仮想サーバがそれから延びる連結ラインによって１つのＩＰアドレスに連結され、または、２つ以上の仮想サーバがそれらから延びる連結ラインによって１つのＩＰアドレスに連結される仮想サーバ提供システムは、１つのＩＰアドレスに１つまたは２つ以上の仮想サーバを可視化された連結ラインによってビジュアルに連結することができ、連結ラインを介して希望のＩＰアドレスに１つまたは複数の仮想サーバを速やかに連結することできる。仮想サーバ提供システムは、１つのＩＰアドレスに２つ以上の仮想サーバが連結された場合、それらサーバのロードバランスを取ることができ、仮想サーバの故障や保守によるサーバの停止時において他の仮想サーバを利用することができ、仮想サーバにおけるインターネットへの接続を継続することができる。
【００４９】
連結ラインによって所定のＩＰアドレスに連結された仮想サーバを連結ラインを利用して他のＩＰアドレスに連結する連結変更手段を含み、連結変更手段において、連結ラインが連結されたＩＰアドレスからその連結ラインを引き離し、その連結ラインを他のＩＰアドレスに向かって伸長させてそのＩＰアドレスにその連結ラインを連結する仮想サーバ提供システムは、利用者の端末において利用可能に割り当てられた仮想サーバとＩＰアドレスとの連結を端末において可視化された連結ラインを介して変更することができ、ＩＰアドレスと仮想サーバとの連結を可視化された連結ラインによってビジュアルに変更することができる。仮想サーバ提供システムは、利用者の端末に表示された連結ラインを視覚によって認識・把握しつつＩＰアドレスと仮想サーバとの連結を変更することができるから、変更するＩＰアドレスに仮想サーバを確実に連結することができる。仮想サーバ提供システムは、ＩＰアドレスと仮想サーバとの連結変更時に、ＩＰアドレスから連結ラインを次第に引き離し、その連結ラインを他のＩＰアドレスに向かって伸長させてそのＩＰアドレスにその連結ラインを連結するから、変更するＩＰアドレスと仮想サーバとの連結を誤ることはなく、連結ラインを介して仮想サーバと変更するＩＰアドレスとを確実に連結することできる。
【００５０】
連結ラインによって連結されたＩＰアドレスと仮想サーバとの連結を解除する連結解除手段を含み、連結解除手段において、連結ラインが連結されたＩＰアドレスからその連結ラインを引き離し、その連結ラインを仮想サーバに向かって次第に短縮させてその連結ラインをその仮想サーバに戻す仮想サーバ提供システムは、利用者の端末において利用可能に割り当てられた仮想サーバとＩＰアドレスとの連結を端末において可視化された連結ラインを介して解除することができ、ＩＰアドレスと仮想サーバとの連結を可視化された連結ラインによってビジュアルに解除することができる。仮想サーバ提供システムは、ＩＰアドレスと仮想サーバとの連結解除時に、ＩＰアドレスから連結ラインを次第に引き離し、その連結ラインを仮想サーバに向かって次第に短縮させてその連結ラインをその仮想サーバに戻すから、所定のＩＰアドレスと仮想サーバとの連結解除を誤ることはなく、連結ラインを介してＩＰアドレスと仮想サーバとの連結を確実に解除することできる。
【００５１】
サイバー空間に存在する各種複数の仮想ルーターを仮想するルーター仮想化手段と、サイバー空間に存在する各種複数の仮想ファイアーフォールを仮想するファイアーフォール仮想化手段と、それら仮想ルーターとそれら仮想ファイアーフォールとを接続するグローバルネットワークを設定するグローバルネットワーク設定手段と、それら仮想ファイアーフォールとそれら仮想サーバとを接続するプライベートネットワークを設定するプライベートネットワーク設定手段とを含む仮想サーバ提供システムは、各仮想サーバが仮想ファイアーフォールにプライベートネットワークによって接続されるから、インターネット利用時のセキュリティーを確保することができ、仮想サーバを利用して各種サービスを提供することができるとともに、仮想サーバを利用して各種サービスの提供を受けることができる。
【００５２】
プライベートネットワーク設定手段において、各１つの仮想ファイアーフォールから複数のプライベートネットワークを延出させ、それらプライベートネットワークによってそれら仮想ファイアーフォールとそれら仮想サーバとを接続する仮想サーバ提供システムは、利用者が仮想ファイアーフォールと仮想サーバとを連結する別個独立の複数のプライベートネットワークを保持することができ、異なる目的で利用する仮想サーバを作ることができるとともに、異なる目的で利用する仮想サーバを接続する複数のプライベートネットワークの提供要求に速やかに対応することができる。
【００５３】
接続手段によってＩＰアドレスに接続された仮想サーバに所定のサーバ機能を設定するサーバ機能設定手段を含み、Ｗｅｂサーバ機能、アプリケーションサーバ機能、メールサーバ機能、データベースサーバ機能、ＦＴＰサーバ機能、ＤＮＳサーバ機能、プロキシサーバ機能、ＳＳＨサーバ機能、ＲＤＰサーバ機能のうちの少なくとも１つのサーバ機能を設定可能な仮想サーバ提供システムは、それらサーバ機能のうちの希望のサーバ機能を仮想サーバに設定することができ、仮想サーバに選択した各種のサーバ機能を実行させることができる。仮想サーバ提供システムは、たとえば、仮想サーバがＷｅｂサーバ機能やアプリケーションサーバ機能、メールサーバ機能を有する場合、その仮想サーバを利用してホームページ公開をすることで、各種サービスを提供することができるとともに、各種サービスの提供を受けることができる。また、サイバー空間に存在する各種複数のアプリケーションソフトウェアを利用することができるとともに、その仮想サーバを利用して電子メールの送受信を行うことができる。さらに、仮想サーバがそれらすべてのサーバ機能を有する場合、仮想サーバにおいてそれらすべてのサーバ機能を利用して所定のサービスを提供することができるとともに、所定のサービスの提供を受けることができる。
【００５４】
仮想サーバに設定されたサーバ機能を他のサーバ機能に変更するサーバ機能変更手段を含む仮想サーバ提供システムは、仮想サーバに設定されたサーバ機能を他のサーバ機能に変更することができるから、サーバ機能の変更要求に対応することができ、仮想サーバに変更後のサーバ機能を実行させることができる。
【００５５】
サイバー空間に存在するそれら仮想サーバを個別に具現化した各種複数のサーバモデルを利用者の端末のサーバモデル表示エリアにビジュアルに表示するサーバモデル表示手段を含み、仮想サーバ割当手段において、サーバモデル表示エリアに表示されたそれらサーバモデルの中から割り当てを要求するサーバモデルを利用者の端末のサーバモデルドロップエリアに移動させ、連結手段において、サーバモデルから延びる連結ラインをＩＰアドレスに連結する仮想サーバ提供システムは、仮想サーバの割当時に、サイバー空間に存在する仮想サーバを個別に具現化した各種複数のサーバモデルを端末のサーバモデル表示エリアにビジュアルに表示し、サーバモデル表示エリアに表示されたそれらサーバモデルの中から割り当てを要求するサーバモデルを端末のサーバモデルドロップエリアに移動させるから、利用者がサーバモデル表示エリアに表示されたサーバモデルから割り当てを希望する仮想サーバをビジュアルに認識することができ、希望する性能の仮想サーバを視覚で確認・把握しつつ仮想サーバの新設または増設を行うことができるとともに、希望の性能の仮想サーバを端末において速やかに利用可能にすることができる。仮想サーバ提供システムは、サーバモデルから延びる連結ラインをＩＰアドレスに連結するから、利用者の端末に表示された連結ラインを視覚によって認識・把握しつつＩＰアドレスとサーバモデルとを連結することができ、サーバモデルに対応する仮想サーバを希望のＩＰアドレスに確実に連結することができる。
【００５６】
端末において利用可能に割り当てられた仮想サーバを他の仮想サーバに変更する仮想サーバ変更手段を含み、仮想サーバ変更手段において、端末のサーバモデルドロップエリアに表示されたそれらサーバモデルの中から変更対象のサーバモデルを端末のサーバモデル表示エリアに移動させるとともに、サーバモデル表示エリアに表示されたそれらサーバモデルの中から新たに割り当てを要求するサーバモデルをサーバモデルドロップエリアに移動させる仮想サーバ提供システムは、利用者がサーバモデルドロップエリアやサーバモデル表示エリアに表示されたサーバモデルから変更する仮想サーバや新たに割り当てる仮想サーバをビジュアルに認識することができ、性能を変更する仮想サーバを視覚で確認・把握しつつ仮想サーバの変更を行うことができるとともに、性能を変更した仮想サーバを端末において速やかに利用可能にすることができる。仮想サーバ提供システムは、仮想サーバに対応するサーバモデルを視覚で確認・把握しつつサーバモデルを速やかに変更することができるとともに、変更後のサーバモデルに対応する仮想サーバを端末において速やかに利用することができるから、利用者の利用頻度や利用方法等に応じて仮想サーバを自由かつ迅速に変更することができ、利用者にとって最適な仮想サーバが割り当てられ、各利用者が仮想サーバを最適な環境で無駄なく有効に利用することができる。
【００５７】
利用者の端末において利用可能に割り当てられた仮想サーバを端末において利用不能となるように削除する仮想サーバ削除手段を含み、仮想サーバ削除手段において、端末のサーバモデルドロップエリアに表示されたそれらサーバモデルの中から削除対象のサーバモデルを端末のサーバモデル表示エリアに移動させる仮想サーバ提供システムは、変更が必要な仮想サーバや利用の必要がなくなった仮想サーバを利用者の端末に表示されたそれらサーバモデルの中からビジュアルに認識しつつ削除する仮想サーバを的確に選定することができ、削除を希望する仮想サーバを視覚で確認・把握しつつその仮想サーバの削除を行うことができるとともに、削除を希望する仮想サーバを端末において速やかに利用不能にすることができる。
【００５８】
サイバー空間に存在してそれら仮想サーバを構成する各種複数の仮想ＣＰＵを仮想するＣＰＵ仮想化手段と、サイバー空間に存在するそれら仮想ＣＰＵを個別に具現化した各種複数のＣＰＵモデルを端末のＣＰＵモデル表示エリアにビジュアルに表示するＣＰＵモデル表示手段と、ＣＰＵモデルに対応したサイバー空間の設定対象の仮想ＣＰＵを仮想サーバにおいて利用可能に設定する仮想ＣＰＵ設定手段とを含み、仮想ＣＰＵ設定手段において、ＣＰＵモデル表示エリアに表示されたそれらＣＰＵモデルの中から設定を要求するＣＰＵモデルを利用者のＣＰＵモデルドロップエリアに移動させる仮想サーバ提供システムは、利用者がＣＰＵモデル表示エリアに表示されたＣＰＵモデルから仮想サーバに設定する仮想ＣＰＵをビジュアルに認識することができ、希望する性能の仮想ＣＰＵを視覚で確認・把握しつつ仮想ＣＰＵの新設または増設を行うことができるとともに、希望の性能の仮想ＣＰＵを仮想サーバにおいて速やかに利用可能にすることができる。仮想サーバ提供システムは、ＣＰＵモデルによって仮想ＣＰＵを視覚で確認・把握しつつ所望の仮想ＣＰＵを速やかに選定することができるとともに、その仮想ＣＰＵを仮想サーバにおいて速やかに利用することができるから、利用者の利用頻度や利用方法等に応じて所望の仮想ＣＰＵを自由かつ迅速に新設または増設することができ、利用者にとって必要以上の性能の仮想ＣＰＵまたは不十分な性能の仮想ＣＰＵが設定されることはなく、各利用者が仮想ＣＰＵを最適な環境で無駄なく有効に利用することができる。
【００５９】
仮想サーバにおいて利用可能に設定された仮想ＣＰＵを他の仮想ＣＰＵに変更する仮想ＣＰＵ変更手段を含み、仮想ＣＰＵ変更手段において、利用者の端末のＣＰＵモデルドロップエリアに表示されたそれらＣＰＵモデルの中から変更対象のＣＰＵモデルを端末のＣＰＵモデル表示エリアに移動させるとともに、ＣＰＵモデル表示エリアに表示されたそれらＣＰＵモデルの中から新たに設定を要求するＣＰＵモデルをＣＰＵモデルドロップエリアに移動させる仮想サーバ提供システムは、利用者がＣＰＵモデルドロップエリアやＣＰＵモデル表示エリアに表示されたＣＰＵモデルから変更する仮想ＣＰＵや新たに設定する仮想ＣＰＵをビジュアルに認識することができ、性能を変更する仮想ＣＰＵを視覚で確認・把握しつつ仮想ＣＰＵの変更を行うことができるとともに、性能を変更した仮想ＣＰＵを利用者の端末に割り当てられた仮想サーバにおいて速やかに利用可能にすることができる。仮想サーバ提供システムは、仮想ＣＰＵに対応するＣＰＵモデルを視覚で確認・把握しつつＣＰＵモデルを速やかに変更することができるとともに、変更後のＣＰＵモデルに対応する仮想ＣＰＵを仮想サーバにおいて速やかに利用することができるから、利用者の利用頻度や利用方法等に応じて仮想ＣＰＵを自由かつ迅速に変更することができ、利用者にとって最適な仮想ＣＰＵが設定され、各利用者が仮想ＣＰＵを最適な環境で無駄なく有効に利用することができる。
【００６０】
仮想サーバにおいて利用可能に設定された仮想ＣＰＵを仮想サーバにおいて利用不能となるように削除する仮想ＣＰＵ削除手段を含み、仮想ＣＰＵ削除手段において、利用者の端末のＣＰＵモデルドロップエリアに表示されたそれらＣＰＵモデルの中から削除対象のＣＰＵモデルを端末のＣＰＵモデル表示エリアに移動させる仮想サーバ提供システムは、変更が必要な仮想ＣＰＵや利用の必要がなくなった仮想ＣＰＵを利用者の端末に表示されたそれらＣＰＵモデルの中からビジュアルに認識しつつ削除する仮想ＣＰＵを的確に選定することができ、削除を希望する仮想ＣＰＵを視覚で確認・把握しつつその仮想ＣＰＵの削除を行うことができるとともに、削除を希望する仮想ＣＰＵを仮想サーバにおいて速やかに利用不能にすることができる。
【００６１】
ＣＰＵモデル表示手段において、それらＣＰＵモデルとともに各ＣＰＵモデルに対応する仮想ＣＰＵのクロック数、コア数、型番（プロセッサナンバー、モデルナンバー）、フロント・サイド・バス（ＦＳＢ）、キャッシュのうちの少なくともクロック数およびコア数を利用者の端末に表示する仮想サーバ提供システムは、仮想ＣＰＵのクロック数、コア数、型番、フロント・サイド・バス、キャッシュの各データのうちの少なくともクロック数とコア数とが利用者の端末に表示されることで、利用者が仮想サーバにおいて利用可能な仮想ＣＰＵの性能を各仮想ＣＰＵ毎に正確に把握することができ、仮想ＣＰＵの各性能に基づいて仮想ＣＰＵの新設や増設、変更、削除を的確に判断することができる。
【００６２】
仮想サーバにおいて利用可能に設定されたＣＰＵモデルに対応する仮想ＣＰＵの過去または現在のＣＰＵ利用率を各仮想ＣＰＵ毎に記憶するＣＰＵ利用率記憶手段と、各仮想ＣＰＵ毎のＣＰＵ利用率を端末に表示するＣＰＵ利用率表示手段とを含む仮想サーバ提供システムは、利用者が仮想サーバにおいて利用可能に設定された仮想ＣＰＵの過去または現在のＣＰＵ利用率を各仮想ＣＰＵ毎に確認・把握することができ、利用者の端末に表示されたＣＰＵ利用率に基づいて仮想ＣＰＵの新設や増設、変更、削除を的確に判断することができる。
【００６３】
サイバー空間に存在してそれら仮想サーバを構成する各種複数の仮想メモリを仮想するメモリ仮想化手段と、サイバー空間に存在するそれら仮想メモリを個別に具現化した各種複数のメモリモデルを端末のメモリモデル表示エリアにビジュアルに表示するメモリモデル表示手段と、メモリモデルに対応したサイバー空間の設定対象の仮想メモリを仮想サーバにおいて利用可能に設定する仮想メモリ設定手段とを含み、仮想メモリ設定手段において、メモリモデル表示エリアに表示されたそれらメモリモデルの中から設定を要求するメモリモデルを端末のメモリモデルドロップエリアに移動させる仮想サーバ提供システムは、利用者がメモリモデル表示エリアに表示されたメモリモデルから仮想サーバに設定する仮想メモリをビジュアルに認識することができ、希望する性能の仮想メモリを視覚で確認・把握しつつ仮想メモリの新設または増設を行うことができるとともに、希望の性能の仮想メモリを仮想サーバにおいて速やかに利用可能にすることができる。仮想サーバ提供システムは、メモリモデルによって仮想メモリを視覚で確認・把握しつつ所望の仮想メモリを速やかに選定することができるとともに、その仮想メモリを仮想サーバにおいて速やかに利用することができるから、利用者の利用頻度や利用方法等に応じて所望の仮想メモリを自由かつ迅速に新設または増設することができ、利用者にとって必要以上の性能の仮想メモリまたは不十分な性能の仮想メモリが設定されることはなく、各利用者が仮想メモリを最適な環境で無駄なく有効に利用することができる。
【００６４】
仮想サーバにおいて利用可能に設定された仮想メモリを他の仮想メモリに変更する仮想メモリ変更手段を含み、仮想メモリ変更手段において、利用者の端末のメモリモデルドロップエリアに表示されたそれらメモリモデルの中から変更対象のメモリモデルを端末のメモリモデル表示エリアに移動させるとともに、メモリモデル表示エリアに表示されたそれらメモリモデルの中から新たに設定を要求するメモリモデルをメモリモデルドロップエリアに移動させる仮想サーバ提供システムは、利用者がメモリモデルドロップエリアやメモリモデル表示エリアに表示されたメモリモデルから変更する仮想メモリや新たに設定する仮想メモリをビジュアルに認識することができ、性能を変更する仮想メモリを視覚で確認・把握しつつ仮想メモリの変更を行うことができるとともに、性能を変更した仮想メモリを利用者の端末に割り当てられた仮想サーバにおいて速やかに利用可能にすることができる。仮想サーバ提供システムは、仮想メモリに対応するメモリモデルを視覚で確認・把握しつつメモリモデルを速やかに変更することができるとともに、変更後のメモリモデルに対応する仮想メモリを仮想サーバにおいて速やかに利用することができるから、利用者の利用頻度や利用方法等に応じて仮想メモリを自由かつ迅速に変更することができ、利用者にとって最適な仮想メモリが設定され、各利用者が仮想メモリを最適な環境で無駄なく有効に利用することができる。
【００６５】
仮想サーバにおいて利用可能に設定された仮想メモリを仮想サーバにおいて利用不能となるように削除する仮想メモリ削除手段を含み、仮想メモリ削除手段において、利用者の端末のメモリモデルドロップエリアに表示されたそれらメモリモデルの中から削除対象のメモリモデルを端末のメモリモデル表示エリアに移動させる仮想サーバ提供システムは、変更が必要な仮想メモリや利用の必要がなくなった仮想メモリを利用者の端末に表示されたそれらメモリモデルの中からビジュアルに認識しつつ削除する仮想メモリを的確に選定することができ、削除を希望する仮想メモリを視覚で確認・把握しつつその仮想メモリの削除を行うことができるとともに、削除を希望する仮想メモリを仮想サーバにおいて速やかに利用不能にすることができる。
【００６６】
メモリモデル表示手段において、それらメモリモデルとともに各メモリモデルに対応する仮想メモリのメモリ容量、メモリバス（ＦＳＢ）のうちの少なくともメモリ容量を利用者の端末に表示する仮想サーバ提供システムは、仮想メモリのメモリ容量、メモリバスのうちの少なくともメモリ容量が利用者の端末に表示されることで、利用者が仮想サーバにおいて利用可能な仮想メモリの性能を各仮想メモリ毎に正確に把握することができ、仮想メモリの各性能に基づいて仮想メモリの新設や増設、変更、削除を的確に判断することができる。
【００６７】
仮想サーバにおいて利用可能に設定されたメモリモデルに対応する仮想メモリの過去または現在のメモリ利用率を各仮想メモリ毎に記憶するメモリ利用率記憶手段と、各仮想メモリ毎のメモリ利用率を利用者の端末に表示するメモリ利用率表示手段とを含む仮想サーバ提供システムは、利用者が仮想サーバにおいて利用可能な仮想メモリの過去または現在のメモリ利用率を各仮想メモリ毎に確認・把握することができ、利用者の端末に表示されたメモリ利用率に基づいて仮想メモリの新設や増設、変更、削除を的確に判断することができる。
【００６８】
サイバー空間に存在してそれら仮想サーバを構成する各種複数の仮想ハードディスクを仮想するハードディスク仮想化手段と、サイバー空間に存在するそれら仮想ハードディスクを個別に具現化した各種複数のハードディスクモデルを端末のハードディスクモデル表示エリアにビジュアルに表示するハードディスクモデル表示手段と、ハードディスクモデルに対応したサイバー空間の設定対象の仮想ハードディスクを仮想サーバにおいて利用可能に設定する仮想ハードディスク設定手段とを含み、仮想ハードディスク割当手段において、ハードディスクモデル表示エリアに表示されたそれらハードディスクモデルの中から設定を要求するハードディスクモデルを端末のハードディスクモデルドロップエリアに移動させる仮想サーバ提供システムは、利用者がハードディスクモデル表示エリアに表示されたハードディスクモデルから仮想サーバに設定する仮想ハードディスクをビジュアルに認識することができ、希望する性能の仮想ハードディスクを視覚で確認・把握しつつ仮想ハードディスクの新設または増設を行うことができるとともに、希望の性能の仮想ハードディスクを仮想サーバにおいて速やかに利用可能にすることができる。仮想サーバ提供システムは、ハードディスクモデルによって仮想ハードディスクを視覚で確認・把握しつつ所望の仮想ハードディスクを速やかに選定することができるとともに、その仮想ハードディスクを仮想サーバにおいて速やかに利用することができるから、利用者の利用頻度や利用方法等に応じて所望の仮想ハードディスクを自由かつ迅速に新設または増設することができ、利用者にとって必要以上の性能の仮想ハードディスクまたは不十分な性能の仮想ハードディスクが設定されることはなく、各利用者が仮想ハードディスクを最適な環境で無駄なく有効に利用することができる。
【００６９】
仮想サーバにおいて利用可能に設定された仮想ハードディスクを他の仮想ハードディスクに変更する仮想ハードディスク変更手段を含み、仮想ハードディスク変更手段において、利用者の端末のハードディスクモデルドロップエリアに表示されたそれらハードディスクモデルの中から変更対象のハードディスクモデルを端末のハードディスクモデル表示エリアに移動させるとともに、ハードディスクモデル表示エリアに表示されたそれらハードディスクモデルの中から新たに設定を要求するハードディスクモデルをハードディスクモデルドロップエリアに移動させる仮想サーバ提供システムは、利用者がハードディスクモデルドロップエリアやハードディスクモデル表示エリアに表示されたハードディスクモデルから変更する仮想ハードディスクや新たに設定する仮想ハードディスクをビジュアルに認識することができ、性能を変更する仮想ハードディスクを視覚で確認・把握しつつ仮想ハードディスクの変更を行うことができるとともに、性能を変更した仮想ハードディスクを利用者の端末に割り当てられた仮想サーバにおいて速やかに利用可能にすることができる。仮想サーバ提供システムは、仮想ハードディスクに対応するハードディスクモデルを視覚で確認・把握しつつハードディスクモデルを速やかに変更することができるとともに、変更後のハードディスクモデルに対応する仮想ハードディスクを仮想サーバにおいて速やかに利用することができるから、利用者の利用頻度や利用方法等に応じて仮想ハードディスクを自由かつ迅速に変更することができ、利用者にとって最適な仮想ハードディスクが設定され、各利用者が仮想ハードディスクを最適な環境で無駄なく有効に利用することができる。
【００７０】
仮想サーバにおいて利用可能に設定された仮想ハードディスクを仮想サーバにおいて利用不能となるように削除する仮想ハードディスク削除手段を含み、仮想ハードディスク削除手段において、利用者の端末のハードディスクモデルドロップエリアに表示されたそれらハードディスクモデルの中から削除対象のハードディスクモデルを端末のハードディスクモデル表示エリアに移動させる仮想サーバ提供システムは、変更が必要な仮想ハードディスクや利用の必要がなくなった仮想ハードディスクを利用者の端末に表示されたそれらハードディスクモデルの中からビジュアルに認識しつつ削除する仮想ハードディスクを的確に選定することができ、削除を希望する仮想ハードディスクを視覚で確認・把握しつつその仮想ハードディスクの削除を行うことができるとともに、削除を希望する仮想ハードディスクを仮想サーバにおいて速やかに利用不能にすることができる。
【００７１】
ハードディスクモデル表示手段において、それらハードディスクモデルとともに各ハードディスクモデルに対応する仮想ハードディスクの記憶容量、プラッタ容量、回転速度、バッファ容量のうちの少なくとも記憶容量を利用者の端末に表示する記載の仮想サーバ提供システムは、仮想ハードディスクの記憶容量、プラッタ容量、回転速度、バッファ容量のうちの少なくとも記憶容量が利用者の端末に表示されることで、利用者が仮想サーバにおいて利用可能な仮想ハードディスクの性能を各仮想ハードディスク毎に正確に把握することができ、仮想ハードディスクの各性能に基づいて仮想ハードディスクの新設や増設、変更、削除を的確に判断することができる。
【００７２】
仮想サーバにおいて利用可能に設定されたハードディスクモデルに対応する仮想ハードディスクの過去または現在のハードディスク稼働状況を各仮想ハードディスク毎に記憶するハードディスク稼働状況記憶手段と、各仮想ハードディスク毎のハードディスク稼働状況を利用者の端末に表示するハードディスク稼働状況表示手段とを含む仮想サーバ提供システムは、利用者が仮想サーバにおいて利用可能な仮想ハードディスクの過去または現在のハードディスク稼働状況を各仮想ハードディスク毎に確認・把握することができ、利用者の端末に表示されたハードディスク稼働状況に基づいて仮想ハードディスクの新設や増設、変更、削除を的確に判断することができる。
【００７３】
サイバー空間に存在してそれら仮想サーバを構成する各種複数の仮想リソッド・ステート・ドライブを仮想するリソッド・ステート・ドライブ仮想化手段と、サイバー空間に存在するそれら仮想リソッド・ステート・ドライブを個別に具現化した各種複数のドライブモデルを端末のドライブモデル表示エリアにビジュアルに表示するドライブモデル表示手段と、ドライブモデルに対応したサイバー空間の設定対象の仮想リソッド・ステート・ドライブを仮想サーバにおいて利用可能に設定する仮想リソッド・ステート・ドライブ設定手段とを含み、仮想リソッド・ステート・ドライブ設定手段において、ドライブモデル表示エリアに表示されたそれらドライブモデルの中から設定を要求するドライブモデルを端末のドライブモデルドロップエリアに移動させる仮想サーバ提供システムは、利用者がドライブモデル表示エリアに表示されたドライブモデルから仮想サーバに設定する仮想リソッド・ステート・ドライブをビジュアルに認識することができ、希望する性能の仮想リソッド・ステート・ドライブを視覚で確認・把握しつつ仮想リソッド・ステート・ドライブの新設または増設を行うことができるとともに、希望の性能の仮想リソッド・ステート・ドライブを仮想サーバにおいて速やかに利用可能にすることができる。仮想サーバ提供システムは、ドライブモデルによって仮想リソッド・ステート・ドライブを視覚で確認・把握しつつ所望の仮想リソッド・ステート・ドライブを速やかに選定することができるとともに、その仮想リソッド・ステート・ドライブを仮想サーバにおいて速やかに利用することができるから、利用者の利用頻度や利用方法等に応じて所望の仮想リソッド・ステート・ドライブを自由かつ迅速に新設または増設することができ、利用者にとって必要以上の性能の仮想リソッド・ステート・ドライブまたは不十分な性能の仮想リソッド・ステート・ドライブが設定されることはなく、各利用者が仮想リソッド・ステート・ドライブを最適な環境で無駄なく有効に利用することができる。
【００７４】
仮想サーバにおいて利用可能に設定された仮想リソッド・ステート・ドライブを他の仮想リソッド・ステート・ドライブに変更する仮想リソッド・ステート・ドライブ変更手段を含み、仮想リソッド・ステート・ドライブ変更手段において、利用者の端末のドライブモデルドロップエリアに表示されたそれらドライブモデルの中から変更対象のドライブモデルを端末のドライブモデル表示エリアに移動させるとともに、ドライブモデル表示エリアに表示されたそれらドライブモデルの中から新たに設定を要求するドライブモデルをドライブモデルドロップエリアに移動させる仮想サーバ提供システムは、利用者がドライブモデルドロップエリアやドライブモデル表示エリアに表示されたドライブモデルから変更する仮想リソッド・ステート・ドライブや新たに設定する仮想リソッド・ステート・ドライブをビジュアルに認識することができ、性能を変更する仮想リソッド・ステート・ドライブを視覚で確認・把握しつつ仮想リソッド・ステート・ドライブの変更を行うことができるとともに、性能を変更した仮想リソッド・ステート・ドライブを利用者の端末に割り当てられた仮想サーバにおいて速やかに利用可能にすることができる。仮想サーバ提供システムは、仮想リソッド・ステート・ドライブに対応するドライブモデルを視覚で確認・把握しつつドライブモデルを速やかに変更することができるとともに、変更後のドライブモデルに対応する仮想リソッド・ステート・ドライブを仮想サーバにおいて速やかに利用することができるから、利用者の利用頻度や利用方法等に応じて仮想リソッド・ステート・ドライブを自由かつ迅速に変更することができ、利用者にとって最適な仮想リソッド・ステート・ドライブが設定され、各利用者が仮想リソッド・ステート・ドライブを最適な環境で無駄なく有効に利用することができる。
【００７５】
仮想サーバにおいて利用可能に設定された仮想リソッド・ステート・ドライブを仮想サーバにおいて利用不能となるように削除する仮想リソッド・ステート・ドライブ削除手段を含み、仮想リソッド・ステート・ドライブ削除手段において、端末のドライブモデルドロップエリアに表示されたそれらドライブモデルの中から削除対象のドライブモデルを端末のドライブモデル表示エリアに移動させる仮想サーバ提供システムは、変更が必要な仮想リソッド・ステート・ドライブや利用の必要がなくなった仮想リソッド・ステート・ドライブを利用者の端末に表示されたそれらドライブモデルの中からビジュアルに認識しつつ削除する仮想リソッド・ステート・ドライブを的確に選定することができ、削除を希望する仮想リソッド・ステート・ドライブを視覚で確認・把握しつつその仮想リソッド・ステート・ドライブの削除を行うことができるとともに、削除を希望する仮想リソッド・ステート・ドライブを仮想サーバにおいて速やかに利用不能にすることができる。
【００７６】
ドライブモデル表示手段において、それらドライブモデルとともに各ドライブモデルに対応する仮想リソッド・ステート・ドライブの記憶容量、最大読み出し速度／最大書き込み速度、キャッシュ容量のうちの少なくとも記憶容量を利用者の端末に表示する仮想サーバ提供システムは、仮想リソッド・ステート・ドライブの記憶容量、最大読み出し速度／最大書き込み速度、キャッシュ容量のうちの少なくとも記憶容量が利用者の端末に表示されることで、利用者が仮想サーバにおいて利用可能な仮想リソッド・ステート・ドライブの性能を各仮想リソッド・ステート・ドライブ毎に正確に把握することができ、仮想リソッド・ステート・ドライブの各性能に基づいて仮想リソッド・ステート・ドライブの新設や増設、変更、削除を的確に判断することができる。
【００７７】
仮想サーバにおいて利用可能に設定されたドライブモデルに対応する仮想リソッド・ステート・ドライブの過去または現在のドライブ稼働状況を各仮想リソッド・ステート・ドライブ毎に記憶するドライブ稼働状況記憶手段と、各仮想リソッド・ステート・ドライブ毎のドライブ稼働状況を端末に表示するドライブ稼働状況表示手段とを含む仮想サーバ提供システムは、利用者が仮想サーバにおいて利用可能な仮想リソッド・ステート・ドライブの過去または現在のドライブ稼働状況を各仮想リソッド・ステート・ドライブ毎に確認・把握することができ、利用者の端末に表示されたドライブ稼働状況に基づいて仮想リソッド・ステート・ドライブの新設や増設、変更、削除を的確に判断することができる。
【００７８】
サイバー空間に存在してそれら仮想サーバを構成する各種複数の仮想ネットワークインターフェイスを仮想するネットワークインターフェイス仮想化手段と、サイバー空間に存在するそれら仮想ネットワークインターフェイスを個別に具現化した各種複数のインターフェイスモデルを端末のインターフェイスモデル表示エリアにビジュアルに表示するインターフェイスモデル表示手段と、インターフェイスモデルに対応したサイバー空間の設定対象の仮想ネットワークインターフェイスを仮想サーバにおいて利用可能に設定する仮想ネットワークインターフェイス設定手段とを含み、仮想ネットワークインターフェイス設定手段において、インターフェイスモデル表示エリアに表示されたそれらインターフェイスモデルの中から設定を要求するインターフェイスモデルを端末のインターフェイスモデルドロップエリアに移動させる仮想サーバ提供システムは、利用者がインターフェイスモデル表示エリアに表示されたインターフェイスモデルから仮想サーバに設定する仮想ネットワークインターフェイスをビジュアルに認識することができ、希望する性能の仮想ネットワークインターフェイスを視覚で確認・把握しつつ仮想ネットワークインターフェイスの新設または増設を行うことができるとともに、希望の性能の仮想ネットワークインターフェイスを仮想サーバにおいて速やかに利用可能にすることができる。仮想サーバ提供システムは、インターフェイスモデルによって仮想ネットワークインターフェイスを視覚で確認・把握しつつ所望の仮想ネットワークインターフェイスを速やかに選定することができるとともに、その仮想ネットワークインターフェイスを仮想サーバにおいて速やかに利用することができるから、利用者の利用頻度や利用方法等に応じて所望の仮想ネットワークインターフェイスを自由かつ迅速に新設または増設することができ、利用者にとって必要以上の性能の仮想ネットワークインターフェイスまたは不十分な性能の仮想ネットワークインターフェイスが設定されることはなく、各利用者が仮想ネットワークインターフェイスを最適な環境で無駄なく有効に利用することができる。
【００７９】
仮想サーバにおいて利用可能に設定された仮想ネットワークインターフェイスを他の仮想ネットワークインターフェイスに変更する仮想ネットワークインターフェイス変更手段を含み、仮想ネットワークインターフェイス変更手段において、利用者の端末のインターフェイスモデルドロップエリアに表示されたそれらインターフェイスモデルの中から変更対象のインターフェイスモデルを端末のインターフェイスモデル表示エリアに移動させるとともに、インターフェイスモデル表示エリアに表示されたそれらインターフェイスモデルの中から新たに設定を要求するインターフェイスモデルをインターフェイスモデルドロップエリアに移動させる仮想サーバ提供システムは、利用者がインターフェイスモデルドロップエリアやインターフェイスモデル表示エリアに表示されたインターフェイスモデルから変更する仮想ネットワークインターフェイスや新たに設定する仮想ネットワークインターフェイスをビジュアルに認識することができ、性能を変更する仮想ネットワークインターフェイスを視覚で確認・把握しつつ仮想ネットワークインターフェイスの変更を行うことができるとともに、性能を変更した仮想ネットワークインターフェイスを利用者の端末に割り当てられた仮想サーバにおいて速やかに利用可能にすることができる。仮想サーバ提供システムは、仮想ネットワークインターフェイスに対応するインターフェイスモデルを視覚で確認・把握しつつインターフェイスモデルを速やかに変更することができるとともに、変更後のインターフェイスモデルに対応する仮想ネットワークインターフェイスを仮想サーバにおいて速やかに利用することができるから、利用者の利用頻度や利用方法等に応じて仮想ネットワークインターフェイスを自由かつ迅速に変更することができ、利用者にとって最適な仮想ネットワークインターフェイスが設定され、各利用者が仮想ネットワークインターフェイスを最適な環境で無駄なく有効に利用することができる。
【００８０】
仮想サーバにおいて利用可能に設定された仮想ネットワークインターフェイスを仮想サーバにおいて利用不能となるように削除する仮想ネットワークインターフェイス削除手段を含み、仮想ネットワークインターフェイス削除手段において、端末のインターフェイスモデルドロップエリアに表示されたそれらインターフェイスモデルの中から削除対象のインターフェイスモデルを端末のインターフェイスモデル表示エリアに移動させる仮想サーバ提供システムは、変更が必要な仮想ネットワークインターフェイスや利用の必要がなくなった仮想ネットワークインターフェイスを利用者の端末に表示されたそれらインターフェイスモデルの中からビジュアルに認識しつつ削除する仮想ネットワークインターフェイスを的確に選定することができ、削除を希望する仮想ネットワークインターフェイスを視覚で確認・把握しつつその仮想ネットワークインターフェイスの削除を行うことができるとともに、削除を希望する仮想ネットワークインターフェイスを仮想サーバにおいて速やかに利用不能にすることができる。
【００８１】
インターフェイスモデル表示手段において、それらインターフェイスモデルとともに各インターフェイスモデルに対応する仮想ネットワークインターフェイスの最大転送速度を利用者の端末に表示する仮想サーバ提供システムは、仮想ネットワークインターフェイスの最大転送速度が利用者の端末に表示されることで、利用者が仮想サーバにおいて利用可能な仮想ネットワークインターフェイスの性能を各仮想ネットワークインターフェイス毎に正確に把握することができ、仮想ネットワークインターフェイスの各性能に基づいて仮想ネットワークインターフェイスの新設や増設、変更、削除を的確に判断することができる。
【００８２】
仮想サーバにおいて利用可能に設定されたインターフェイスモデルに対応する仮想ネットワークインターフェイスの過去または現在のインターフェイス稼働状況を各仮想ネットワークインターフェイス毎に記憶するインターフェイス稼働状況記憶手段と、各仮想ネットワークインターフェイス毎のインターフェイス稼働状況を利用者の端末に表示するインターフェイス稼働状況表示手段とを含む仮想サーバ提供システムは、利用者が仮想サーバにおいて利用可能な仮想ネットワークインターフェイスの過去または現在のインターフェイス稼働状況を各仮想ネットワークインターフェイス毎に確認・把握することができ、利用者の端末に表示されたインターフェイス稼働状況に基づいて仮想ネットワークインターフェイスの新設や増設、変更、削除を的確に判断することができる。
【００８３】
サイバー空間に存在して仮想サーバにインストールされる各種複数の仮想ＯＳを仮想するＯＳ仮想化手段と、サイバー空間に存在するそれら仮想ＯＳを端末の仮想ＯＳ表示エリアに表示する仮想ＯＳ表示手段と、仮想ＯＳ表示エリアに表示されたそれら仮想ＯＳの中から所定の仮想ＯＳを選択し、その仮想ＯＳの仮想サーバへのインストールを利用者が要求したときに、その仮想ＯＳを仮想サーバにインストールする仮想ＯＳインストール手段を含む仮想サーバ提供システムは、利用者が仮想ＯＳ表示エリアに表示された仮想ＯＳから仮想サーバにインストールする仮想ＯＳを選出することができ、希望する仮想ＯＳを仮想サーバに速やかにインストールすることができる。
【００８４】
仮想サーバにインストールされた仮想ＯＳを仮想ＯＳ表示エリアに表示された他の仮想ＯＳに変更する仮想ＯＳ変更手段を含む仮想サーバ提供システムは、すでにインストール済みの仮想ＯＳを他の仮想ＯＳに変更することができるから、利用者が仮想サーバにインストールする仮想ＯＳを迅速に変更することができ、仮想サーバを速やかに使用可能にすることができる。
【図面の簡単な説明】
【００８５】
【図１】一例として示す仮想サーバ提供システムの構成概念図。
【図２】他の一例として示すバーチャルマシン提供システムの構成概念図。
【図３】他の一例として示すバーチャルマシン提供システムの構成概念図。
【図４】他の一例として示すバーチャルマシン提供システムの構成概念図。
【図５】クライアントマシンやモバイルデバイスのディスプレイに表示されたログイン画面の一例を示す図。
【図６】クライアントマシンやモバイルデバイスのディスプレイに表示された初期画面の一例を示す図。
【図７】クライアントマシンやモバイルデバイスのディスプレイに表示された利用者情報画面の一例を示す図。
【図８】クライアントマシンやモバイルデバイスのディスプレイに表示された仮想サーバ設定画面の一例を示す図。
【図９】クライアントマシンやモバイルデバイスのディスプレイに表示されたネットワーク設定画面の一例を示す図。
【図１０】図９から続くネットワーク設定画面を示す図。
【図１１】図１０から続くネットワーク設定画面を示す図。
【図１２】クライアントマシンやモバイルデバイスのディスプレイに表示された仮想デバイス設定画面の一例を示す図。
【図１３】クライアントマシンやモバイルデバイスのディスプレイに表示された変更サーバ決定画面の一例を示す図。
【図１４】クライアントマシンやモバイルデバイスのディスプレイに表示されたサーバ変更確認画面の一例を示す図。
【図１５】クライアントマシンやモバイルデバイスのディスプレイに表示された変更デバイス決定画面の一例を示す図。
【図１６】クライアントマシンやモバイルデバイスのディスプレイに表示されたデバイス変更画面の一例を示す図。
【図１７】クライアントマシンやモバイルデバイスのディスプレイに表示されたデバイス変更確認画面の一例を示す図。
【図１８】クライアントマシンやモバイルデバイスのディスプレイに表示された連結変更画面の一例を示す図。
【図１９】図１８から続く連結変更画面を示す図。
【図２０】クライアントマシンやモバイルデバイスのディスプレイに表示された削除サーバ決定画面の一例を示す図。
【図２１】クライアントマシンやモバイルデバイスのディスプレイに表示されたサーバ削除確認画面の一例を示す図。
【図２２】クライアントマシンやモバイルデバイスのディスプレイに表示された削除デバイス決定画面の一例を示す図。
【図２３】クライアントマシンやモバイルデバイスのディスプレイに表示されたデバイス削除画面の一例を示す図。
【図２４】クライアントマシンやモバイルデバイスのディスプレイに表示されたデバイス削除確認画面の一例を示す図。
【図２５】クライアントマシンやモバイルデバイスのディスプレイに表示された連結解除画面の一例を示す図。
【図２６】図２５から続く連結解除画面を示す図。
【図２７】クライアントマシンやモバイルデバイスのディスプレイに表示された利用状況画面の一例を示す図。
【図２８】クライアントマシンやモバイルデバイスのディスプレイに表示された利用状況表示画面の一例を示す図。
【発明を実施するための形態】
【００８６】
一例として示す仮想サーバ提供システム１０Ａ〜１０Ｄの構成概念図である図１〜図４等の添付の図面を参照し、本発明に係る仮想サーバ提供システムの詳細を説明すると、以下のとおりである。なお、仮想サーバ提供システム１０Ａ〜１０Ｄは、それを管理する管理事業者のメガデータセンター１１に構築され、物理マシン上に仮想されてサイバー空間１２（クラウド）に存在する仮想データセンターの各種複数の仮想サーバを各利用者（ユーザー）に提供する。
【００８７】
以下の説明では、管理事業者に対する利用者のユーザー登録が完了し、管理事業者から各ユーザーのユーザーＩＤおよびパスワードが発行されているものとする。システム１０Ａ〜１０Ｄ（メガデータセンター１１）には、各利用者のユーザーＩＤおよびパスワード、ユーザーＩＤおよびパスワードに対応する利用者番号、利用者名（法人名（代表者名を含む）、個人名）、所属部課、役職、住所（法人住所、個人住所）、電話番号、ＦＡＸ番号、メールアドレス等の利用者情報が格納（記録）されている。
【００８８】
図１に示す仮想サーバ提供システム１０Ａは、メガデータセンター１１において物理的に存在（実在）するハードウェアと、サイバー空間１２（クラウド）に存在する仮想されたハードウェアとから構成されている。物理的なハードウェアは、メガデータセンター１１に存在する物理ルーター１３（物理セキュリティールーター）と、メガデータセンター１１に存在する物理ファイアーフォール１４と、メガデータセンター１１に存在する物理サーバ１５とから形成されている。システム１０Ａでは、物理ファイアーフォール１４に物理サーバ１５が接続されている。
【００８９】
仮想されたハードウェアは、物理ルーター１３上に仮想されてサイバー空間１２に存在する第１〜第ｎ仮想ルーター１６１〜１６ｎ（バーチャルセキュリティールーター）と、物理ファイアーフォール１４上に仮想されてサイバー空間１２に存在する第１〜第ｎ仮想ファイアーフォール１７１〜１７ｎ（バーチャルファイアーフォール）と、物理サーバ１４上に仮想されてサイバー空間１２に存在する複数の仮想サーバ１８１〜１８ｎ（バーチャルサーバ）とから形成されている。
【００９０】
物理ルーター１３と物理ファイアーフォール１４とは、グローバルネットワーク１９を介して接続されている。物理ファイアーフォール１４と物理サーバ１５とは、プライベートネットワーク２０を介して接続されている。第１〜第ｎ仮想ファイアーフォール１７１〜１７ｎは、第１〜第ｎグローバルネットワーク１９１〜１９ｎを介して第１〜第ｎ仮想ルーター１６１〜１６ｎに個別に接続されている。
【００９１】
システム１０Ａでは、第１〜第ｎ仮想ファイアーフォール１７１〜１７ｎから１本の第１〜第ｎプライベートネットワーク２０１〜２０ｎが延出し、それらプライベートネットワーク２０１〜２０ｎによって第１〜第ｎ仮想ファイアーフォール１７１〜１７ｎと各仮想サーバ１８１〜１８ｎとが個別に接続されている。システム１０Ａでは、各仮想ファイアーフォール１７１〜１７ｎに複数の仮想サーバ１８１〜１８ｎがつながってサーバグループを形成している。
【００９２】
物理ファイアーフォール１４や物理サーバ１５は、中央処理装置（ＣＰＵまたはＭＰＵ）と記憶装置（メモリ）とを備え、大容量ハードディスクを備えたコンピュータである。物理サーバ１５は、インターネット２１に接続可能であり、インターネット２１を利用することで、不特定多数の他のサーバ（コンピュータ）にアクセスかつログインすることができる。物理サーバ１５は、各種情報をインターネット２１を介して不特定多数のサーバに提供する。
【００９３】
物理サーバ１５は、ＨＴＴＰに即してクライアントソフトウェアのウェブブラウザに対し、ＨＴＭＬやオブジェクトの表示を提供するホームページ公開のためのＷｅｂサーバ機能、アプリケーションソフトウェアの実行を運用、管理するアプリケーションサーバ機能、電子メールの送受信を運用、管理するメールサーバ機能、データベースを構築するために必要なデータをデータベース管理システム(DBMS)によって運用、管理し、他のコンピュータや他のサーバからの要求を受け付けて各種データを読み書きする機能を提供するデータベースサーバ機能、ＦＴＰを利用してファイルの送受信を行う機能を提供するＦＴＰサーバ機能、Domain Name Systemによってホストの識別子（ホスト名）を利用者が理解し易い形式（ドメイン名）とコンピュータが理解し易い形式（ＩＰアドレス）とに対応付ける（ホスト名とそのホスト名に割り当てるＩＰアドレスとの対応付けを設定する）ＤＮＳサーバ機能、内部ネットワークからインターネット接続を行う際に高速なアクセスや安全な通信を確保する機能を提供するプロキシサーバ機能、ＳＳＨサーバ機能、ＲＤＰサーバ機能を有する。
【００９４】
各仮想サーバ１８１〜１８ｎは、仮想ＣＰＵ（中央処理装置）、仮想メモリ（記憶装置）、仮想ハードディスク、仮想リソッド・ステート・ドライブ、仮想ネットワークインターフェイス等の各仮想サーバを備えたコンピュータである。各仮想サーバ１８１〜１８ｎには、Ｗｅｂサーバ機能、アプリケーションサーバ機能、メールサーバ機能、データベースサーバ機能、ＦＴＰサーバ機能、ＤＮＳサーバ機能、プロキシサーバ機能、ＳＳＨサーバ機能、ＲＤＰサーバ機能のうちの少なくとも１つの機能を設定可能である。
【００９５】
それら仮想サーバ１８１〜１８ｎは、物理的なＯＳ（オペレーティングシステム）または仮想ＯＳ（仮想オペレーティングシステム）によって動作する論理的なコンピュータである。仮想サーバ１８１〜１８ｎは、インターネット２１に接続可能であり、インターネット２１を利用することで、不特定多数の他のサーバ（コンピュータ）にアクセスかつログインすることができる。各仮想サーバ１８１〜１８ｎは、各種情報をインターネット２１を介して不特定多数のサーバに提供し、各種情報をインターネット２１を介して不特定多数のサーバから受け取る。
【００９６】
各利用者の施設には、ディスプレイ２２、キーボード２４、マウス２５から形成された複数のクライアントマシン２６１〜２６ｎ（端末）が設置されている。また、各利用者は、スマートフォンやタブレット、携帯電話等のインターネットへ接続可能なモバイルデバイス２７１〜２７ｎ（端末）を保持している。クライアントマシン２６１〜２６ｎやモバイルデバイス２７１〜２７ｎには、システム１０Ａ（システム１０Ｂ〜１０Ｃを含む）を利用するための特別なアプリケーションはインストールされていない。
【００９７】
クライアントマシン２６１〜２６ｎをインターネット２１に接続する場合、クライアントマシン２６１〜２６ｎがユーザークライアント２３によって外部の物理サーバや仮想サーバに接続され、それらサーバを介してインターネット２１に接続される。モバイルデバイス２７１〜２７ｎをインターネットに接続する場合、モバイルデバイス２７１〜２７ｎが外部の物理サーバや仮想サーバを介してインターネット２１に接続される。クライアントマシン２６１〜２６ｎやモバイルデバイス２７１〜２７ｎは、インターネット２１を利用することで、不特定多数の他のサーバ（コンピュータやモバイルデバイス）にアクセスかつログインすることができる。
【００９８】
クライアントマシン２６１〜２６ｎやモバイルデバイス２７１〜２７ｎは、インターネット２１に接続した後、このシステム１０Ａ（システム１０Ｂ〜１０Ｃを含む）にログインし、それらシステム１０Ａ〜１０Ｃが提供する各種複数の仮想サーバ１８１〜１８ｎを利用することができる。利用者は、仮想サーバ１８１〜１８ｎを利用することで、インターネット２１を介して各種情報を不特定多数のサーバに提供することができるとともに、インターネット２０を介して不特定多数のサーバから各種情報の提供を受けることができる。
【００９９】
図２は、他の一例として示す仮想サーバ提供システム１０Ｂの構成概念図である。図２では、管理事業者がメガデータセンター１１に第１〜第ｎ物理サーバ１５１〜１５ｎを増設した場合を示す。図２に示す仮想サーバ提供システム１０Ｂにおいて、物理的なハードウェアは、メガデータセンター１１に存在する物理ルーター１３と、メガデータセンター１１に存在する物理ファイアーフォール１４と、メガデータセンター１１に存在する複数の第１〜第ｎ物理サーバ１５１〜１５ｎとから形成されている。図２のシステム１０Ｂでは、物理ファイアーフォール１４に複数の第１〜第ｎ物理サーバ１５１〜１５ｎが接続されている。物理ファイアーフォール１４や第１〜第ｎ物理サーバ１５１〜１５ｎは、図１の物理ファイアーフォール１４や物理サーバ１５と同一である。
【０１００】
仮想されたハードウェアは、物理ルーター１１上に仮想されてサイバー空間１２に存在する第１〜第ｎ仮想ルーター１６１〜１６ｎと、物理ファイアーフォール１４上に仮想されてサイバー空間１２に存在する第１〜第ｎ仮想ファイアーフォール１７１〜１７ｎと、複数の第１〜第ｎ物理サーバ１５１〜１５ｎ上に仮想されてサイバー空間１２に存在する複数の仮想サーバ１８１〜１８ｎとから形成されている。
【０１０１】
物理ルーター１３と物理ファイアーフォール１４とは、グローバルネットワーク１９を介して接続されている。物理ファイアーフォール１４と第１〜第ｎ物理サーバ１５１〜１５ｎとは、プライベートネットワーク２０１〜２０ｎを介して接続されている。図２のシステム１０Ｂにおいて、物理ファイアーフォール１４上に仮想された第１〜第ｎ仮想ファイアーフォール１７１〜１７ｎは、第１〜第ｎグローバルネットワーク１９１〜１９ｎを介して物理ルーター１３上に仮想された第１〜第ｎ仮想ルーター１６１〜１６ｎに個別に接続されている。
【０１０２】
システム１０Ｂでは、第１〜第ｎ仮想ファイアーフォール１７１〜１７ｎから複数本（２本以上）の第１〜第ｎプライベートネットワーク２０１〜２０ｎが延出し、それらプライベートネットワーク２０１〜２０ｎによって第１〜第ｎ仮想ファイアーフォール１７１〜１７ｎと第１〜第ｎ仮想サーバ１８１〜１８ｎとが接続されている。システム１０Ｂでは、各仮想ファイアーフォール１７１〜１７ｎに複数の仮想サーバ１８１〜１８ｎがつながってサーバグループを形成している。
【０１０３】
図３は、他の一例として示す仮想サーバ提供システム１０Ｃの構成概念図である。図３では、管理事業者がデータセンター１１に物理ルーター１３１〜１３ｎや物理ファイアーフォール１４１〜１４ｎ、物理サーバ１５１〜１５ｎを増設した場合を示す。図３に示す仮想サーバ提供システム１０Ｃにおいて、物理的に存在するハードウェアは、メガデータセンター１１に存在する複数の物理ルーター１３１〜１３ｎと、メガデータセンター１１に存在して各物理ルーター１３１〜１３ｎに対応する複数の物理ファイアーフォール１４１〜１４ｎと、メガデータセンター１１に存在して各物理ファイアーフォール１４１〜１４ｎに対応する複数の物理サーバ１５１〜１５ｎとから形成されている。図３のシステム１０Ｃでは、各物理ファイアーフォール１４１〜１４ｎに各物理サーバ１５１〜１５ｎが接続されている。物理ファイアーフォール１４１〜１４ｎや物理サーバ１５１〜１５ｎは、図１の物理ファイアーフォール１４や物理サーバ１５と同一である。
【０１０４】
仮想されたハードウェアは、それら物理ルーター１３１〜１３ｎ上に仮想されてサイバー空間１２に存在する第１〜第ｎ仮想ルーター１６１〜１６ｎと、それら物理ファイアーフォール１４１〜１４ｎ上に仮想されてサイバー空間１２に存在する第１〜第ｎ仮想ファイアーフォール１７１〜１７ｎと、それら物理サーバ１５１〜１５ｎ上に仮想されてサイバー空間１２に存在する複数の仮想サーバ１８１〜１８ｎとから形成されている。
【０１０５】
物理ルーター１３１〜１３ｎと物理ファイアーフォール１４１〜１４ｎとは、第１〜第ｎグローバルネットワーク１９１〜１９ｎを介して接続されている。物理ファイアーフォール１４１〜１４ｎとそれら物理サーバ１５１〜１５ｎとは、第１〜第ｎプライベートネットワーク２０１〜２０ｎを介して接続されている。図３のシステム１０Ｃにおいて、各物理ファイアーフォール１４１〜１４ｎ上に仮想された第１〜第ｎ仮想ファイアーフォール１７１〜１７ｎは、グローバルネットワーク１９１〜１９ｎを介して各物理ルーター１３１〜１３ｎ上に仮想された第１〜第ｎ仮想ルーター１６１〜１６ｎに個別に接続されている。
【０１０６】
システム１０Ｃでは、第１〜第ｎ仮想ファイアーフォール１７１〜１７ｎから１本の第１〜第ｎプライベートネットワーク２０１〜２０ｎが延出し、それらプライベートネットワーク２０１〜２０ｎによって第１〜第ｎ仮想ファイアーフォール１７１〜１７ｎと各仮想サーバ１８１〜１８ｎとが個別に接続されている。システム１０Ｃでは、各仮想ファイアーフォール１７１〜１７ｎに複数の仮想サーバ１８１〜１８ｎがつながってマシングループを形成している。
【０１０７】
図４は、他の一例として示す仮想サーバ提供システム１０Ｄの構成概念図である。図４では、管理事業者がデータセンター１１に物理ルーター１３１〜１３ｎや物理ファイアーフォール１４１〜１４ｎ、物理サーバ１５１〜１５ｎを増設した場合を示す。図４に示す仮想サーバ提供システム１０Ｄにおいて、物理的に存在するハードウェアは、メガデータセンター１１に存在する複数の物理ルーター１３１〜１３ｎと、メガデータセンター１１に存在して各物理ルーター１３１〜１３ｎに対応する複数の物理ファイアーフォール１４１〜１４ｎと、メガデータセンター１１に存在して各物理ファイアーフォール１４１〜１４ｎに対応する複数の物理サーバ１５１〜１５ｎとから形成されている。図４のシステム１０Ｄでは、各物理ファイアーフォール１４１〜１４ｎに各物理サーバ１５１〜１５ｎが接続されている。物理ファイアーフォール１４１〜１４ｎや物理サーバ１５１〜１５ｎは、図１の物理ファイアーフォール１４や物理サーバ１５と同一である。
【０１０８】
仮想されたハードウェアは、それら物理ルーター１３１〜１３ｎ上に仮想されてサイバー空間１２に存在する第１〜第ｎ仮想ルーター１６１〜１６ｎと、それら物理ファイアーフォール１４１〜１４ｎ上に仮想されてサイバー空間１２に存在する第１〜第ｎ仮想ファイアーフォール１７１〜１７ｎと、それら物理サーバ１５１〜１５ｎ上に仮想されてサイバー空間１２に存在する複数の仮想サーバ１８１〜１８ｎとから形成されている。
【０１０９】
物理ルーター１３１〜１３ｎと物理ファイアーフォール１４１〜１４ｎとは、第１〜第ｎグローバルネットワーク１９１〜１９ｎを介して接続されている。物理ファイアーフォール１４１〜１４ｎとそれら物理サーバ１５１〜１５ｎとは、第１〜第ｎプライベートネットワーク２０１〜２０ｎを介して接続されている。図４のシステム１０Ｄにおいて、各物理ファイアーフォール１４１〜１４ｎ上に仮想された第１〜第ｎ仮想ファイアーフォール１７１〜１７ｎは、グローバルネットワーク１９１〜１９ｎを介して各物理ルーター１３１〜１３ｎ上に仮想された第１〜第ｎ仮想ルーター１６１〜１６ｎに個別に接続されている。
【０１１０】
システム１０Ｄでは、第１〜第ｎ仮想ファイアーフォール１７１〜１７ｎから複数（２本以上）の第１〜第ｎプライベートネットワーク２０１〜２０ｎが延出し、それらプライベートネットワーク２０１〜２０ｎによって第１〜第ｎ仮想ファイアーフォール１７１〜１７ｎと各仮想サーバ１８１〜１８ｎとが接続されている。システム１０Ｄでは、各仮想ファイアーフォール１７１〜１７ｎに複数の仮想サーバ１８１〜１８ｎがつながってマシングループを形成している。
【０１１１】
仮想サーバ提供システム１０Ａ〜１０Ｄは、サイバー空間１２に存在する各種複数の仮想ルーター１６１〜１６ｎを物理ルーター１３，１３１〜１３ｎ上に仮想するルーター仮想化手段を実行し、サイバー空間１２に存在する各種複数の仮想ファイアーフォール１７１〜１７ｎを物理ファイアーフォール１４，１４１〜１４ｎ上に仮想するファイアーフォール仮想化手段を実行する。なお、システム１０Ａ〜１０Ｄは、各利用者のクライアントマシン２６１〜２６ｎやモバイルデバイス２７１〜２７ｎに仮想デスクトップを提供し、クライアントマシン２６１〜２６ｎやモバイルデバイス２７１〜２７ｎのディスプレイ２２に仮想デスクトップを表示させる仮想デスクトップ表示手段を実行する場合がある。
【０１１２】
システム１０Ａ〜１０Ｄは、サイバー空間１２に存在する各種複数の仮想サーバ１８１〜１８ｎを物理サーバ１５，１５１〜１５ｎ上に仮想するサーバ仮想化手段を実行する。システム１０Ａ〜１０Ｄは、それら仮想サーバ１８１〜１８ｎを構成してサイバー空間１２に存在する各種複数の仮想ＣＰＵ（仮想サーバを形成するハードウェア）を物理ＣＰＵ上に仮想するＣＰＵ仮想化手段を実行し、それら仮想サーバ１８１〜１８ｎを構成してサイバー空間１２に存在する各種複数の仮想メモリ（仮想サーバを形成するハードウェア）を物理メモリ上に仮想するメモリ仮想化手段を実行する。
【０１１３】
システム１０Ａ〜１０Ｄは、それら仮想サーバ１８１〜１８ｎを構成してサイバー空間１２に存在する各種複数の仮想ハードディスク（仮想サーバを形成するハードウェア）を物理ハードディスク上に仮想するハードディスク仮想化手段を実行し、それら仮想サーバ１８１〜１８ｎを構成してサイバー空間１２に存在する各種複数の仮想リソッド・ステート・ドライブ（仮想サーバを形成するハードウェア）を物理リソッド・ステート・ドライブ上に仮想するリソッド・ステート・ドライブ仮想化手段を実行する。システム１０Ａ〜１０Ｄは、それら仮想サーバ１８１〜１８ｎを構成してサイバー空間１２に存在する各種複数の仮想ネットワークインターフェイス（仮想サーバを形成するハードウェア）を物理ネットワークインターフェイス上に仮想するインターフェイス仮想化手段を実行し、サイバー空間１２に存在して仮想サーバ１８１〜１８ｎにインストールする各種複数の仮想ＯＳを仮想するＯＳ仮想化手段を実行する。
【０１１４】
システム１０Ａ〜１０Ｄは、サイバー空間１２に存在するそれら仮想サーバ１８１〜１８ｎを個別に具現化（可視化）した各種複数のサーバモデル２９（図８参照）をディスプレイ２２のサーバモデル表示エリアにビジュアルに表示するサーバモデル表示手段を実行する。システム１０Ａ〜１０Ｄは、所定のサーバモデルの新設または増設が要求されたときに、新設対象または増設対象のサーバモデル２９に対応したサイバー空間１２の仮想サーバ１８１〜１８ｎをクライアントマシン２６１〜２６ｎ（端末）やモバイルデバイス２７１〜２７ｎ（端末）において利用可能に割り当てる仮想サーバ割当手段を実行する。
【０１１５】
システム１０Ａ〜１０Ｄは、所定のサーバモデル２９の変更が要求されたときに、変更後のサーバモデル２９に対応したサイバー空間の仮想サーバ１８１〜１８ｎをクライアントマシン２６１〜２６ｎ（端末）やモバイルデバイス２７１〜２７ｎ（端末）において利用可能に割り当てる仮想サーバ変更手段を実行し、所定のサーバモデル２９の削除が要求されたときに、そのサーバモデル２９に対応するサイバー空間１２の仮想サーバ１８１〜１８ｎをクライアントマシン２６１〜２６ｎ（端末）やモバイルデバイス２７１〜２７ｎ（端末）において利用不能となるように削除する仮想サーバ削除手段を実行する。仮想サーバ割当手段や仮想サーバ変更手段では、第１〜第ｎ仮想ファイアーフォール１７１〜１７ｎにつながるサーバグループのうちの最も処理効率が高いサーバグループに属する仮想サーバ１８１〜１８ｎを利用者に利用可能に割り当てる。
【０１１６】
システム１０Ａ〜１０Ｄは、それら仮想ルーター１６１〜１６ｎとそれら仮想ファイアーフォール１７１〜１７ｎとを接続するグローバルネットワーク１９１〜１９ｎを設定するグローバルネットワーク設定手段を実行し、それら仮想ファイアーフォール１７１〜１７ｎとそれら仮想サーバ１８１〜１８ｎとを接続するプライベートネットワーク２０１〜２０ｎを設定するプライベートネットワーク設定手段を実行する。システム１０Ａ〜１０Ｄは、サーバモデル２９（仮想サーバ１８１〜１８ｎ）を設定（新設または増設）、変更した場合、所定のＩＰアドレス９ｂ〜９ｇとサーバモデル２９とを連結ライン３６（図９〜図１１参照）によって連結する連結手段を実行し、ＩＰアドレスを各仮想サーバ１８１〜１８ｎに設定するＩＰアドレス設定手段を実行する。
【０１１７】
システム１０Ａ〜１０Ｄは、連結ライン３６によって所定のＩＰアドレス９ｂ〜９ｇに連結されたサーバモデル２９（仮想サーバ１８１〜１８ｎ）を連結ライン３６を利用して他のＩＰアドレス９ｂ〜９ｇに連結する連結変更手段を実行し、連結ライン３６によって連結されたＩＰアドレス９ｂ〜９ｇとサーバモデル２９（仮想サーバ１８１〜１８ｎ）との連結を解除する連結解除手段を実行する。システム１０Ａ〜１０Ｄは、Ｗｅｂサーバ機能、アプリケーションサーバ機能、メールサーバ機能、データベースサーバ機能、FTPサーバ機能、ＤＮＳサーバ機能、プロキシサーバ機能、ＳＳＨサーバ機能、ＲＤＰサーバ機能のうちの少なくとも１つの機能を各仮想サーバ１８１〜１８ｎに設定するサーバ機能設定手段を実行する。システム１０Ａ〜１０Ｄは、仮想サーバ１８１〜１８ｎに設定されたサーバ機能を他のサーバ機能に変更するサーバ機能変更手段を実行する。
【０１１８】
システム１０Ａ〜１０Ｄは、サイバー空間１２に存在するそれら仮想ＣＰＵを個別に具現化（可視化）した各種複数のＣＰＵモデル３０（図１２参照）をディスプレイ２２のＣＰＵモデル表示エリアにビジュアルに表示するＣＰＵモデル表示手段を実行する。システム１０Ａ〜１０Ｄは、所定のＣＰＵモデル３０の新設または増設が要求されたときに、新設対象または増設対象のＣＰＵモデル３０に対応したサイバー空間１２の仮想ＣＰＵを仮想サーバ１８１〜１８ｎにおいて利用可能に設定する仮想ＣＰＵ設定手段を実行する。システム１０Ａ〜１０Ｄは、ＣＰＵモデル３０の変更が要求されたときに、変更後のＣＰＵモデル３０に対応したサイバー空間の仮想ＣＰＵを仮想サーバ１８１〜１８ｎにおいて利用可能に割り当てる仮想ＣＰＵ変更手段を実行し、所定のＣＰＵモデル３０の削除が要求されたときに、そのＣＰＵモデル３０に対応するサイバー空間１２の仮想ＣＰＵを仮想サーバ１８１〜１８ｎにおいて利用不能となるように削除する仮想ＣＰＵ削除手段を実行する。
【０１１９】
ＣＰＵモデル表示手段では、それらＣＰＵモデル３０とともに、各ＣＰＵモデル３０に対応する仮想ＣＰＵのクロック数、コア数、型番（プロセッサナンバー、モデルナンバー）、フロント・サイド・バス（ＦＳＢ）、キャッシュがクライアントマシン２６１〜２６ｎやモバイルデバイス２７１〜２７ｎのディスプレイ２２に表示される。なお、ディスプレイ２２には、それらのすべてではなく、それらのうちの少なくともクロック数およびコア数が表示される場合がある。
【０１２０】
システム１０Ａ〜１０Ｄは、サイバー空間１２に存在するそれら仮想メモリを個別に具現化（可視化）した各種複数のメモリモデル３１（図１２参照）をディスプレイ２２のメモリモデル表示エリアにビジュアルに表示するメモリモデル表示手段を実行する。システム１０Ａ〜１０Ｄは、所定のメモリモデルの新設または増設が要求されたときに、新設対象または増設対象のメモリモデル３１に対応したサイバー空間１２の仮想メモリを仮想サーバ１８１〜１８ｎにおいて利用可能に設定する仮想メモリ設定手段を実行する。システム１０Ａ〜１０Ｄは、メモリモデル３１の変更が要求されたときに、変更後のメモリモデル３１に対応したサイバー空間１２の仮想メモリを仮想サーバ１８１〜１８ｎにおいて利用可能に設定する仮想メモリ変更手段を実行し、所定のメモリモデル３１の削除が要求されたときに、そのメモリモデル３１に対応するサイバー空間１２の仮想メモリを仮想サーバ１８１〜１８ｎにおいて利用不能となるように削除する仮想メモリ削除手段を実行する。
【０１２１】
メモリモデル表示手段では、それらメモリモデル３１とともに、各メモリモデル３１に対応する仮想メモリのメモリ容量、メモリバス（ＦＳＢ）がクライアントマシン２６１〜２６ｎやモバイルデバイス２７１〜２７ｎのディスプレイ２２に表示される。なお、ディスプレイ２２には、それらのすべてではなく、それらのうちの少なくともメモリ容量が表示される場合がある。
【０１２２】
システム１０Ａ〜１０Ｄは、サイバー空間１２に存在するそれら仮想ハードディスクを個別に具現化（可視化）した各種複数のハードディスクモデル３２（図１２参照）をディスプレイ２２のハードディスクモデル表示エリアにビジュアルに表示するハードディスクモデル表示手段を実行する。システム１０Ａ〜１０Ｄは、所定のハードディスクモデルの新設または増設が要求されたときに、新設対象または増設対象のハードディスクモデル３２に対応したサイバー空間１２の仮想ハードディスクを仮想サーバ１８１〜１８ｎにおいて利用可能に設定する仮想ハードディスク設定手段を実行する。システム１０Ａ〜１０Ｄは、ハードディスクモデル３２の変更が要求されたときに、変更後のハードディスクモデル３２に対応したサイバー空間１２の仮想ハードディスクを仮想サーバ１８１〜１８ｎにおいて利用可能に設定する仮想ハードディスク変更手段を実行し、所定のハードディスクモデル３２の削除が要求されたときに、そのハードディスクモデル３２に対応するサイバー空間１２の仮想ハードディスクを仮想サーバ１８１〜１８ｎにおいて利用不能となるように削除する仮想ハードディスク削除手段を実行する。
【０１２３】
ハードディスクモデル表示手段では、それらハードディスクモデル３２とともに、各ハードディスクモデル３２に対応する仮想ハードディスクの記憶容量、プラッタ容量、回転速度、バッファ容量がクライアントマシン２６１〜２６ｎやモバイルデバイス２７１〜２７ｎのディスプレイ２２に表示される。なお、ディスプレイ２２には、それらのすべてではなく、それらのうちの少なくとも記憶容量が表示される場合がある。
【０１２４】
システム１０Ａ〜１０Ｄは、サイバー空間１２に存在するそれら仮想リソッド・ステート・ドライブを個別に具現化（可視化）した各種複数のドライブモデル３３（図１２参照）をディスプレイ２２のドライブモデル表示エリアにビジュアルに表示するドライブモデル表示手段を実行する。システム１０Ａ〜１０Ｄは、所定のドライブモデル３３の新設または増設が要求されたときに、新設対象または増設対象のドライブモデル３３に対応したサイバー空間１２の仮想リソッド・ステート・ドライブを仮想サーバ１８１〜１８ｎにおいて利用可能に設定する仮想リソッド・ステート・ドライブ設定手段を実行する。システム１０Ａ〜１０Ｄは、ドライブモデル３３の変更が要求されたときに、変更後のドライブモデル３３に対応したサイバー空間１２の仮想リソッド・ステート・ドライブを仮想サーバ１８１〜１８ｎにおいて利用可能に設定する仮想リソッド・ステート・ドライブ変更手段を実行し、所定のドライブモデル３３の削除が要求されたときに、そのドライブモデル３３に対応するサイバー空間１２の仮想リソッド・ステート・ドライブを仮想サーバ１８１〜１８ｎにおいて利用不能となるように削除する仮想リソッド・ステート・ドライブ削除手段を実行する。
【０１２５】
ドライブモデル表示手段では、それらドライブモデル３３とともに、各ドライブモデル３３に対応する仮想リソッド・ステート・ドライブの記憶容量、最大読み出し速度／最大書き込み速度、キャッシュ容量がクライアントマシン２６１〜２６ｎやモバイルデバイス２７１〜２７ｎのディスプレイ２２に表示される。なお、ディスプレイ２２には、それらのすべてではなく、それらのうちの少なくとも記憶容量が表示される場合がある。
【０１２６】
システム１０Ａ〜１０Ｄは、サイバー空間１２に存在するそれら仮想ネットワークインターフェイスを個別に具現化（可視化）した各種複数のインターフェイスモデル３４（図１２参照）をディスプレイ２２のインターフェイスモデル表示エリアにビジュアルに表示するインターフェイスモデル表示手段を実行する。システム１０Ａ〜１０Ｄは、所定のインターフェイスモデル３４の新設または増設が要求されたときに、新設対象または増設対象のインターフェイスモデル３４に対応したサイバー空間１２の仮想ネットワークインターフェイスを仮想サーバ１８１〜１８ｎにおいて利用可能に設定する仮想ネットワークインターフェイス設定手段を実行する。システム１０Ａ〜１０Ｄは、インターフェイスモデル３４の変更が要求されたときに、変更後のインターフェイスモデル３４に対応したサイバー空間１２の仮想ネットワークインターフェイスを仮想サーバ１８１〜１８ｎにおいて利用可能に設定する仮想ネットワークインターフェイス変更手段を実行し、所定のインターフェイスモデル３４の削除が要求されたときに、そのインターフェイスモデル３４に対応するサイバー空間１２の仮想ネットワークインターフェイスを仮想サーバ１８１〜１８ｎにおいて利用不能となるように削除する仮想ネットワークインターフェイス削除手段を実行する。インターフェイスモデル表示手段では、それらインターフェイスモデル３４とともに、各インターフェイスモデルに対応する仮想ネットワークインターフェイスの最大転送速度がディスプレイ２２に表示される。
【０１２７】
システム１０Ａ〜１０Ｄは、物理的なＯＳやサイバー空間１２に存在する仮想ＯＳをディスプレイ２２のＯＳ表示エリアにビジュアルに表示するＯＳ表示手段や仮想ＯＳ表示手段を実行し、物理的なＯＳや仮想ＯＳのインストールが要求されたときに、そのＯＳを仮想サーバにインストールするＯＳインストール手段や仮想ＯＳインストール手段を実行する。システム１０Ａ〜１０Ｄは、仮想サーバにインストールされたＯＳをＯＳ表示エリアに表示された他の物理的なＯＳや他の仮想ＯＳに変更するＯＳ変更手段や仮想ＯＳ変更手段を実行し、仮想サーバにインストールされた物理的なＯＳや仮想ＯＳを仮想サーバからアンインストールするＯＳ削除手段を実行する。
【０１２８】
システム１０Ａ〜１０Ｄは、利用者に割り当てられてサーバモデル設定エリアに表示されたサーバモデル２９に対応する仮想サーバの割当日時、稼動時間、最後の電源ＯＮ日時、最後の電源ＯＦＦ日時を時系列かつ各仮想サーバ毎に記憶する稼働状況記憶手段を実行し、各仮想サーバ毎の割当日時、稼動時間、最後の電源ＯＮ日時、最後の電源ＯＦＦ日時をディスプレイ２２に時系列に表示する稼働状況表示手段を実行する。システム１０Ａ〜１０Ｄは、利用者に利用可能に設定されたＣＰＵモデル３０に対応する仮想ＣＰＵの過去または現在のＣＰＵ利用率を時系列かつ各仮想ＣＰＵ毎に記憶するＣＰＵ利用率記憶手段を実行し、各仮想ＣＰＵ毎のＣＰＵ利用率をディスプレイ２２に時系列に表示するＣＰＵ利用率表示手段を実行する。
【０１２９】
システム１０Ａ〜１０Ｄは、利用者に利用可能に割り当てられたメモリモデル３１に対応する仮想メモリの過去または現在のメモリ利用率を時系列かつ各仮想メモリ毎に記憶するメモリ利用率記憶手段を実行し、各仮想メモリ毎のメモリ利用率をディスプレイ２２に時系列に表示するメモリ利用率表示手段を実行する。システム１０Ａ〜１０Ｄは、利用者に利用可能に割り当てられたハードディスクモデル３２に対応する仮想ハードディスクの過去または現在のハードディスク稼働状況を時系列かつ各仮想ハードディスク毎に記憶するハードディスク稼働状況記憶手段を実行し、各仮想ハードディスク毎のハードディスク稼働状況をディスプレイ２２に表示するハードディスク稼働状況表示手段を実行する。
【０１３０】
システム１０Ａ〜１０Ｄは、利用者に利用可能に割り当てられたドライブモデル３３に対応する仮想リソッド・ステート・ドライブの過去または現在のドライブ稼働状況を時系列かつ各仮想リソッド・ステート・ドライブ毎に記憶するドライブ稼働状況記憶手段を実行し、各仮想リソッド・ステート・ドライブ毎のドライブ稼働状況をディスプレイ２２に表示するドライブ稼働状況表示手段を実行する。システム１０Ａ〜１０Ｄは、利用者に利用可能に割り当てられたインターフェイスモデル３４に対応する仮想ネットワークインターフェイスの過去または現在のインターフェイス稼働状況を時系列かつ各仮想ネットワークインターフェイス毎に記憶するインターフェイス稼働状況記憶手段を実行し、各仮想ネットワークインターフェイス毎のインターフェイス稼働状況をディスプレイ２２に表示するインターフェイス稼働状況表示手段を実行する。
【０１３１】
図５は、クライアントマシン２６１〜２６ｎやモバイルデバイス２７１〜２７ｎのディスプレイ２２に表示されたログイン画面の一例を示す図であり、図６は、クライアントマシン２６１〜２６ｎやモバイルデバイス２７１〜２７ｎのディスプレイ２２に表示された初期画面の一例を示す図である。図７は、クライアントマシン２６１〜２６ｎやモバイルデバイス２７１〜２７ｎのディスプレイ２２に表示された利用者情報画面の一例を示す図である。なお、それら図や以下に示す各図では、各入力エリアや各表示エリアに表示される情報の記載を省略している。
【０１３２】
なお、システム１０Ａ〜１０Ｄでは、各種複数の仮想ルーター１６１〜１６ｎが物理ルーター１３，１３１〜１３ｎ上に事前に仮想され（ルーター仮想化手段）、それら仮想ルーター１６１〜１６ｎがサイバー空間１２に存在し、各種複数の仮想ファイアーフォール１７１〜１７ｎが物理ファイアーフォール１４，１４１〜１４ｎ上に仮想され（ファイアーフォール仮想化手段）、仮想ファイアーフォール１７１〜１７ｎがサイバー空間１２に存在している。
【０１３３】
利用者が新規に仮想サーバ提供システム１０Ａ〜１０Ｄの利用を希望する場合、システム１０Ａ〜１０Ｄを管理する管理事業者に連絡する。利用者は、利用者名（法人名（代表者名を含む）、個人名）、所属部課、役職、電話番号、ＦＡＸ番号、郵便番号、住所（法人住所、個人住所）、メールアドレス等のユーザー情報を担当者に伝える。連絡を受けた管理事業者は、物理サーバ１５，１５１〜１５ｎを利用して新規ユーザー登録を行う。管理事業者は、新規ユーザー登録を行った後、ユーザー登録した利用者にアカウント（携帯電話の場合は認証コード）、ユーザーＩＤをメール送信する。利用者は、システム１０Ａ〜１０Ｄにログインするためのパスワードの設定を行う。物理サーバ１５，１５１〜１５ｎは、利用者を特定するユーザー識別子を生成するとともに、ユーザー番号およびユーザーＩＤを生成し、生成したユーザー識別子とユーザー情報（登録日時、ユーザー番号、ユーザーＩＤ、パスワードを含む）とを関連付けた状態でハードディスクに格納する。
【０１３４】
ユーザー登録後にクライアントマシン２６１〜２６ｎやモバイルデバイス２７１〜２７ｎを起動すると、それらのディスプレイ２２にシステム１０Ａ〜１０Ｄを示すアイコン（図示せず）が表示される。システム１０Ａ〜１０Ｄを示すアイコンをクリックすると、クライアントマシン２６１〜２６ｎやモバイルデバイス２７１〜２７ｎがインターネット２１を介してシステム１０Ａ〜１０Ｄにアクセスし、図５に示す仮想サーバ提供システム（ログイン）画面がクライアントマシン２６１〜２６ｎやモバイルデバイス２７１〜２７ｎのディスプレイ２２に表示される。
【０１３５】
図５のログイン画面には、ユーザーＩＤ入力エリア５ａ、パスワード入力エリア５ｂ、ログインボタン５ｃ、キャンセルボタン５ｄが表示される。キャンセルボタン５ｄをクリックすると、システム１０Ａ〜１０Ｄへのアクセスが解除される。利用者は、ユーザーＩＤ入力エリア５ａにユーザーＩＤを入力し、パスワード入力エリア５ｂにパスワードを入力した後、ログインボタン５ｃをクリックする。
【０１３６】
ログインボタン５ｃをクリックすると、クライアントマシン２６１〜２６ｎやモバイルデバイス２７１〜２７ｎがシステム１０Ａ〜１０Ｄにログインし、システム１０Ａ〜１０Ｄが提供する各種サービスを利用することができる。システム１０Ａ〜１０Ｄは、図６に示す仮想サーバ提供システム（初期画面）をクライアントマシン２６１〜２６ｎやモバイルデバイス２７１〜２７ｎのディスプレイ２２に表示させる。なお、仮想デスクトップ表示手段を行う場合、システム１０Ａ〜１０Ｄは、クライアントマシン２６１〜２６ｎやモバイルデバイス２７１〜２７ｎに仮想デスクトップを提供し、ディスプレイ２２に仮想デスクトップ（初期画面）（図示せず）が表示される。図６の初期画面には、ユーザー情報表示ボタン６ａ、仮想サーバ設定ボタン６ｂ、イベント表示ボタン６ｃ、ログアウトボタン６ｄが表示される。ログアウトボタン６ｄをクリックすると、クライアントマシン２６１〜２６ｎやモバイルデバイス２７１〜２７ｎがシステム１０Ａ〜１０Ｄからログアウトする。
【０１３７】
利用者がユーザー情報表示ボタン６ａまたは仮想サーバ設定ボタン６ｂをクリックすると、図７に示す仮想サーバ提供システム（利用者情報）画面がクライアントマシン２６１〜２６ｎやモバイルデバイス２７１〜２７ｎのディスプレイ２２に表示される。図７の利用者情報画面には、各種の利用者情報が表示された利用者情報表示エリア７ａ、仮想サーバ設定ボタン７ｂ、仮想サーバ変更ボタン７ｃ、デバイス変更ボタン７ｄ、連結変更ボタン７ｅ、仮想サーバ削除ボタン７ｆ、デバイス削除ボタン７ｇ、連結解除ボタン７ｈ、仮想サーバ一覧表示ボタン７ｉ、初期画面ボタン７ｊ、ログアウトボタン７ｋが表示される。
【０１３８】
利用者情報表示エリア７ａには、利用者名が表示された利用者名表示エリア７ｌ、電話番号・ＦＡＸ番号が表示された電話番号・ＦＡＸ番号表示エリア７ｍ、住所が表示された住所表示エリア７ｎ、メールアドレスが表示されたメールアドレス表示エリア７ｏ、ユーザー登録日時が表示された登録日時表示エリア７ｐ、ユーザー番号が表示されたユーザー番号表示エリア７ｑが表示される。初期画面ボタン７ｊをクリックすると、図６の初期画面に戻る。利用者は、利用者情報画面によってシステム１０Ａ〜１０Ｄに登録された自己の各種情報を確認することができる。
【０１３９】
図８は、クライアントマシン２６１〜２６ｎやモバイルデバイス２７１〜２７ｎのディスプレイ２２に表示された仮想サーバ設定画面の一例を示す図であり、図９は、クライアントマシン２６１〜２６ｎやモバイルデバイス２７１〜２７ｎのディスプレイ２２に表示されたネットワーク設定画面の一例を示す図である。図１０は、図９から続くネットワーク設定画面を示す図であり、図１１は、図１０から続くネットワーク設定画面を示す図である。利用者が仮想サーバ１８１〜１８ｎを新設または増設する場合やデバイスを新設または増設する場合、図７の利用者情報画面の仮想サーバ設定ボタン７ｂをクリックする。仮想サーバ設定ボタン７ｂをクリックすると、図８に示す仮想サーバ提供システム（仮想サーバ設定）画面がクライアントマシン２６１〜２６ｎやモバイルデバイス２７１〜２７ｎのディスプレイ２２に表示される。
【０１４０】
図８の仮想サーバ設定画面には、利用者名を表示した利用者名表示エリア８ａ、サーバモデル２９を設定するサーバモデル設定エリア８ｂ、仮想サーバ１８１〜１８ｎを具現化（可視化）した各種複数のサーバモデル２９を表示したサーバモデル表示エリア８ｃ、割り当て済みの仮想サーバ１８１〜１８ｎのサーバ名を表示した既設仮想サーバ一覧表示エリア８ｄ、仮想サーバ設定ボタン８ｅ、利用者情報画面ボタン８ｌ、初期画面ボタン８ｆ、ログアウトボタン８ｇが表示される。利用者情報画面ボタン８ｌをクリックすると、図７の利用者情報画面に戻る。
【０１４１】
サーバモデル設定エリア８ｂには、既設の仮想サーバ１８１〜１８ｎに対応するサーバモデル２９およびサーバ名を表示した既設サーバモデル表示エリア８ｈ、仮想サーバ１８１〜１８ｎを新設または増設する場合に使用するサーバモデルドロップエリア８ｉが表示される。既に仮想サーバ１８１〜１８ｎが設定されている場合、その仮想サーバ１８１〜１８ｎに対応するサーバモデル２９が既設サーバモデル表示エリア８ｈに表示され、仮想サーバ１８１〜１８ｎが設定されていない場合、サーバモデル２９が既設サーバモデル表示エリア８ｈに表示されない。サーバモデル表示エリア８ｃには、システム１０Ａ〜１０Ｄにログインした利用者に設定可能な仮想サーバ１８１〜１８ｎを具現化したサーバモデル２９が表示される。サーバモデル表示エリア８ｃには、デバイス設定済みサーバモデル表示エリア８ｊ、デバイス未設定サーバモデル表示エリア８ｋが表示される（サーバモデル表示手段）。
【０１４２】
デバイス設定済みサーバモデル表示エリア８ｊには、仮想ＣＰＵ、仮想メモリ、仮想ハードディスク、仮想リソッド・ステート・ドライブ、仮想ネットワークインターフェイス、仮想ＯＳまたは物理的なＯＳのうち、少なくとも仮想ＣＰＵ、仮想メモリ、仮想ハードディスク、仮想ネットワークインターフェイス、仮想ＯＳまたは物理的なＯＳが設定されたそれぞれキャパシティーの異なる各種複数の仮想サーバ１８１〜１８ｎを具現化（可視化）した各種複数のサーバモデル２９が表示される。デバイス未設定サーバモデル表示エリア８ｋには、仮想ＣＰＵ、仮想メモリ、仮想ハードディスク、仮想リソッド・ステート・ドライブ、仮想ネットワークインターフェイス、仮想ＯＳまたは物理的なＯＳが未設定の各種複数の仮想サーバ１８１〜１８ｎを具現化（可視化）した各種複数のサーバモデル２９が表示される。
【０１４３】
なお、既設サーバモデル表示エリア８ｈに表示されたサーバモデル２９の上にカーソルを移動させ、または、既設仮想サーバ一覧表示エリア８ｄに表示された仮想サーバ１８１〜１８ｎの名称上にカーソルを移動させ、あるいは、デバイス設定済みサーバモデル表示エリア８ｊに表示されたサーバモデル２９の上にカーソルを移動させた後、サーバモデル２９や名称をクリックすると、そのサーバモデル２９やそのサーバ名に対応する仮想サーバ１８１〜１８ｎの各種デバイスの性能を表示したデバイス性能表示画面（図示せず）がディスプレイ２２に表示される。
【０１４４】
デバイス性能表示画面には、サーバモデル２９の形態、サーバモデル２９の名称、そのサーバモデル２９に対応する仮想サーバ１８１〜１８ｎの仮想ＣＰＵのクロック数およびコア数（その他、型番、フロント・サイド・バス、キャッシュが含まれる場合もある）、仮想メモリのメモリ容量（その他、メモリバスが含まれる場合もある）、仮想ハードディスクの記憶容量（その他、プラッタ容量、回転速度、バッファ容量が含まれる場合もある）、仮想リソッド・ステート・ドライブの記憶容量（その他、最大読み出し速度／最大書き込み速度、キャッシュ容量が含まれる場合もある）、仮想ネットワークインターフェイスの最大転送速度、仮想ＯＳまたは物理的なＯＳの名称、戻るボタンが表示される。
【０１４５】
デバイス設定済みの仮想サーバ１８１〜１８ｎを設定する場合、利用者は、デバイス性能表示画面において仮想サーバ１８１〜１８ｎの各種デバイスの性能を確認した後、デバイス性能表示画面の戻るボタンをクリックして図８の仮想サーバ設定画面に戻り、デバイス設定済みサーバモデル表示エリア８ｊ（サーバモデル表示エリア８ｃ）に表示されたサーバモデル２９の中から新設または増設するサーバモデル２９を選択する。利用者は、選択した１つまたは複数のサーバモデル２９をドラッグアンドドロップによってサーバモデルドロップエリア８ｉ（サーバモデル設定エリア８ｂ）に移動させる。サーバモデル２９をサーバモデルドロップエリア８ｉに移動させると、そのサーバモデル２９がサーバモデルドロップエリア８ｉに表示されるとともに、そのサーバモデル２９がデバイス設定済みサーバモデル表示エリア８ｊから消去される。サーバモデル２９をサーバモデルドロップエリア８ｉに移動させた後、仮想サーバ設定ボタン８ｅをクリックすると、設定確認画面（図示せず）がディスプレイ２２に表示される。
【０１４６】
設定確認画面には、仮想サーバ名称入力エリア、設定実行ボタン、キャンセルボタンが表示される。キャンセルボタンをクリックすると、図８の仮想サーバ提供システム（仮想サーバ設定）画面に戻る。設定確認画面の仮想サーバ名称入力エリアに新設または増設する仮想サーバ１８１〜１８ｎの名称を入力し、設定実行ボタンをクリックすると、システム１０Ａ〜１０Ｄは、そのサーバモデル２９に対応したサイバー空間１２の仮想サーバ１８１〜１８ｎをクライアントマシン２６１〜２６ｎ（端末）やモバイルデバイス２７１〜２７ｎ（端末）において利用可能に割り当てる（仮想サーバ新設手段、仮想サーバ増設手段）。システム１０Ａ〜１０Ｄは、仮想サーバ新設手段や仮想サーバ増設手段によって仮想サーバ１８１〜１８ｎが割り当てられた場合、図９に示す仮想サーバ提供システム（ネットワーク設定画面）をクライアントマシン２６１〜２６ｎやモバイルデバイス２７１〜２７ｎのディスプレイ２２に表示する。
【０１４７】
なお、仮想サーバ新設手段や仮想サーバ増設手段では、第１〜第ｎ仮想ファイアーフォール１７１〜１７ｎにつながるサーバグループのうちの最も処理効率が高いサーバグループに属する仮想サーバ１８１〜１８ｎを利用者に割り当てる。システム１０Ａ〜１０Ｄは、最も処理効率が高いサーバグループに属する仮想サーバ１８１〜１８ｎを利用者に割り当てるから、システム１０Ａ〜１０Ｄにおける仮想サーバ１８１〜１８ｎの処理効率を向上させることができ、仮想サーバ１８１〜１８ｎの処理トラブルを回避することができる。
【０１４８】
図９のネットワーク設定画面には、利用者名を表示した利用者名表示エリア９ａ、ＩＰアドレスの番号（図示せず）を表示したＩＰアドレス番号表示エリア９ｂ〜９ｇ、新設または増設された仮想サーバ１８１〜１８ｎを具現化したサーバモデル２９を表示したサーバモデル表示エリア９ｈ〜９ｌ、連結ボタン９ｍ、仮想サーバ設定画面ボタン９ｎ、クリアボタン９ｏが表示される。利用者は、カーソル３５をサーバモデル表示エリア９ｈに表示されたサーバモデル２９の上に合わせた後、ドラッギングしつつカーソル３５をＩＰアドレス番号表示エリア９ｂに向かって移動させると、図９に示すように、サーバモデル表示エリア９ｈのサーバモデル２９から連結ライン３６が延びる。利用者は、そのまま、カーソル３５をＩＰアドレス番号表示エリア９ｂの上に持って行った後、カーソル３５をリリースすると、図１０に示すように、連結ライン３６によってＩＰアドレス番号表示エリア９ｂとサーバモデル表示エリア９ｈのサーバモデル２９とが連結される（連結手段）。
【０１４９】
次に、サーバモデル２９に連結されたＩＰアドレス番号をクリックすると、サーバモデル２９に設定する各種のサーバ機能を表示したサーバ機能表示エリア１０ａが表示される。サーバ機能表示エリア１０ａには、Ｗｅｂサーバ、アプリケーションサーバ、メールサーバ、データベースサーバ、ＦＴＰサーバ、ＤＮＳサーバ、プロキシサーバ、ＳＳＨサーバ、ＲＤＰサーバが表示される。利用者は、それらサーバ（サーバ機能）のうちの少なくとも１つを反転させる（指定する）。さらに、図１１に示すように、他のサーバモデル表示エリア９ｉ〜９ｌに表示されたサーバモデル２９とＩＰアドレス番号表示エリア９ｂ〜９ｄとを連結ライン３６によって連結する（連結手段）。なお、仮想サーバ設定画面ボタン９ｎをクリックすると、図８の仮想サーバ設定画面に戻り、クリアボタン９ｏをクリックすると、連結ライン３６がクリアされ、サーバモデル２９とＩＰアドレス番号表示エリア９ｂ〜９ｄとの連結をやり直す。仮想サーバ提供システム１０Ａ〜１０Ｄは、それらサーバ機能のうちの希望のサーバ機能を仮想サーバ１８１〜１８ｎに設定することができ、仮想サーバ１８１〜１８ｎに選択した各種のサーバ機能を実行させることができる。
【０１５０】
サーバモデル２９とＩＰアドレス番号表示エリア９ｂ〜９ｄとを連結した後、連結ボタン９ｍをクリックする。連結ボタン９ｍをクリックすると、システム１０Ａ〜１０Ｄは、各仮想サーバ１８１〜１８ｎ毎にＩＰアドレスを設定しつつ（ＩＰアドレス設定手段）、仮想サーバ新設手段や仮想サーバ増設手段において、グローバルネットワーク１９１〜１９ｎを介して複数の仮想ルーター１６１〜１６ｎと仮想ファイアーフォール１７１〜１７ｎとを接続し（グローバルネットワーク設定手段）、プライベートネットワーク２０１〜２０ｎを介して仮想ファイアーフォール１７１〜１７ｎとサイバー空間１２の仮想サーバ１８１〜１８ｎとを接続することで（プライベートネットワーク設定手段）、クライアントマシン２６１〜２６ｎ（端末）やモバイルデバイス２７１〜２７ｎ（端末）において仮想サーバ１８１〜１８ｎを利用可能にするとともに、仮想サーバ１８１〜１８ｎをインターネット２１に接続可能にする。
【０１５１】
なお、各種複数の仮想サーバ１８１〜１８ｎが物理サーバ１５，１５１〜１５ｎ上に事前に仮想され（サーバ仮想化手段）、それら仮想サーバ１８１〜１８ｎがサイバー空間１２に既に存在する場合があり、または、仮想サーバ１８１〜１８ｎの新設や増設の要求があったときに仮想サーバ１８１〜１８ｎが物理サーバ１５，１５１〜１５ｎ上に仮想され（サーバ仮想化手段）、仮想サーバ１８１〜１８ｎが順次サイバー空間１２に蓄積される場合がある。また、クライアントマシン２６１〜２６ｎやモバイルデバイス２７１〜２７ｎにおいて利用可能に設定された各仮想サーバ１８１〜１８ｎには、サーバ機能表示エリア１０ａにおいて指定されたＷｅｂサーバ機能やアプリケーションサーバ機能、メールサーバ機能、データベースサーバ機能、FTPサーバ機能、ＤＮＳサーバ機能、プロキシサーバ機能、ＳＳＨサーバ機能、ＲＤＰサーバ機能のうちの少なくとも１つが仮想サーバ１８１〜１８ｎに設定される（サーバ機能設定手段）。
【０１５２】
システム１０Ａ〜１０Ｄは、新設または増設した仮想サーバ１８１〜１８ｎおよびサーバの名称、ＩＰアドレス（ＩＰアドレス番号）、各サーバ機能をユーザー識別子に関連付けた状態で物理サーバ１５，１５１〜１５ｎ（管理サーバ）のハードディスクまたは仮想サーバ１８１〜１８ｎ（管理サーバ）の仮想ハードディスクに格納し、グローバルネットワーク１９１〜１９ｎのネットワークアドレスをユーザー識別子に関連付けた状態で物理サーバ１５，１５１〜１５ｎのハードディスクまたは仮想サーバ１８１〜１８ｎの仮想ハードディスクに格納するとともに、プライベートネットワーク２０１〜２０ｎのネットワークアドレスをユーザー識別子に関連付けた状態で物理サーバ１５，１５１〜１５ｎのハードディスクまたは仮想サーバ１８１〜１８ｎの仮想ハードディスクに格納する。
【０１５３】
図１２は、クライアントマシン２６１〜２６ｎやモバイルデバイス２７１〜２７ｎのディスプレイ２２に表示された仮想デバイス設定画面の一例を示す図である。デバイス未設定の仮想サーバ１８１〜１８ｎを設定する場合、利用者は、図８の仮想サーバ設定画面においてデバイス未設定サーバモデル表示エリア８ｌ（サーバモデル表示エリア８ｃ）に表示されたサーバモデル２９の中から新設または増設するサーバモデル２９を選択する。利用者は、選択した１つまたは複数のサーバモデル２９をドラッグアンドドロップによってサーバモデルドロップエリア８ｉ（サーバモデル設定エリア８ｂ）に移動させる。サーバモデル２９をサーバモデルドロップエリア８ｉに移動させると、そのサーバモデル２９がサーバモデルドロップエリア８ｉに表示されるとともに、そのサーバモデル２９がデバイス未設定サーバモデル表示エリア８ｌから消去される。サーバモデル２９をサーバモデルドロップエリア８ｉに移動させた後、仮想サーバ設定ボタン８ｅをクリックすると、図９に示す仮想サーバ提供システム（仮想デバイス設定）画面がクライアントマシン２６１〜２６ｎやモバイルデバイス２７１〜２７ｎのディスプレイ２２に表示される。
【０１５４】
図１２の仮想デバイス設定画面には、利用者名を表示した利用者名表示エリア１２ａ、デバイス未設定サーバモデルを表示したデバイス未設定サーバモデル表示エリア１２ｂ、各種複数の仮想デバイスを表示した仮想デバイス表示エリア１２ｃ、ＯＳ表示エリア１２ｄ、仮想デバイス設定ボタン１２ｅ、利用者情報画面ボタン１２ｓ、初期画面ボタン１２ｆ、ログアウトボタン１２ｇが表示される。デバイス未設定サーバモデル表示エリア１２ｂには、ＣＰＵモデルドロップエリア１２ｈ、メモリモデルドロップエリア１２ｉ、ハードディスクモデルドロップエリア１２ｊ、ドライブモデルドロップエリア１２ｋ、インターフェイスモデルドロップエリア１２ｌ、ＯＳドロップエリア１２ｍが表示される。仮想デバイス表示エリア１２ｃには、ＣＰＵモデル表示エリア１２ｎ、メモリモデル表示エリア１２ｏ、ハードディスクモデル表示エリア１２ｐ、ドライブモデル表示エリア１２ｑ、インターフェイスモデル表示エリア１２ｒが表示される。ＯＳ表示エリア１２ｄには、仮想サーバ１８１〜１８ｎにインストールする各種複数の物理的なＯＳまたは仮想ＯＳが表示される（ＯＳ表示手段、仮想ＯＳ表示手段）。
【０１５５】
ＣＰＵモデル表示エリア１２ｎには、サイバー空間１２に存在する各種複数の仮想ＣＰＵを具現化した各種複数のＣＰＵモデル３０とそのＣＰＵモデル３０（仮想ＣＰＵ）のクロック数およびコア数とが表示され（ＣＰＵモデル表示手段）、メモリモデル表示エリア１２ｏには、サイバー空間１２に存在する各種複数の仮想メモリを具現化した各種複数のメモリモデル３１とそのメモリモデル３１（仮想メモリ）のメモリ容量とが表示される（メモリモデル表示手段）。ハードディスクモデル表示エリア１２ｐには、サイバー空間１２に存在する各種複数の仮想ハードディスクを具現化した各種複数のハードディスクモデル３２とそのハードディスクモデル３２（仮想ハードディスク）の記憶容量とが表示される（ハードディスクモデル表示手段）。
【０１５６】
ドライブモデル表示エリア１２ｑには、サイバー空間１２に存在する各種複数の仮想リソッド・ステート・ドライブを具現化した各種複数のドライブモデル３３とそのドライブモデル３３（仮想リソッド・ステート・ドライブ）の記憶容量とが表示され（ドライブモデル表示手段）、インターフェイスモデル表示エリア１２ｒには、サイバー空間１２に存在する各種複数の仮想ネットワークインターフェイスを具現化した各種複数のインターフェイスモデル３４とそのインターフェイスモデル３４（仮想ネットワークインターフェイス）の最大転送速度とが表示される（インターフェイスモデル表示手段）。
【０１５７】
デバイス未設定のサーバモデル２９（仮想サーバ１８１〜１８ｎ）にＣＰＵモデル３０（仮想ＣＰＵ）を設置する場合、利用者は、ＣＰＵモデル表示エリア１２ｎに表示されたＣＰＵモデル３０の中から新設または増設するＣＰＵモデル３０を選択する。利用者は、選択した１つまたは複数のＣＰＵモデル３０をドラッグアンドドロップによってＣＰＵモデルドロップエリア１２ｈ（ＣＰＵモデル設定エリア）に移動させる。ＣＰＵモデル３０をＣＰＵモデルドロップエリア１２ｈに移動させると、そのＣＰＵモデル３０がＣＰＵモデルドロップエリア１２ｈに表示されるとともに、そのＣＰＵモデル３０がＣＰＵモデル表示エリア１２ｎから消去される。
【０１５８】
デバイス未設定のサーバモデル２９（仮想サーバ１８１〜１８ｎ）にメモリモデル３１（仮想メモリ）を設置する場合、利用者は、メモリモデル表示エリア１２ｏに表示されたメモリモデル３１の中から新設または増設するメモリモデル３１を選択する。利用者は、選択した１つまたは複数のメモリモデル３１をドラッグアンドドロップによってメモリモデルドロップエリア１２ｉ（メモリモデル設定エリア）に移動させる。メモリモデル３１をメモリモデルドロップエリア１２ｉに移動させると、そのメモリモデル３１がメモリモデルドロップエリア１２ｉに表示されるとともに、そのメモリモデル３１がメモリモデル表示エリア１２ｏから消去される。
【０１５９】
デバイス未設定のサーバモデル２９（仮想サーバ１８１〜１８ｎ）にハードディスクモデル３２（仮想ハードディスク）を設置する場合、利用者は、ハードディスクモデル表示エリア１２ｐに表示されたハードディスクモデル３２の中から新設または増設するハードディスクモデル３２を選択する。利用者は、選択した１つまたは複数のハードディスクモデル３２をドラッグアンドドロップによってハードディスクモデルドロップエリア１２ｊ（ハードディスクモデル設定エリア）に移動させる。ハードディスクモデル３２をハードディスクモデルドロップエリア９ｊに移動させると、そのハードディスクモデル３２がハードディスクモデルドロップエリア１２ｊに表示されるとともに、そのハードディスクモデル３２がハードディスクモデル表示エリア１２ｐから消去される。
【０１６０】
デバイス未設定のサーバモデル２９（仮想サーバ１８１〜１８ｎ）にドライブモデル３３（仮想リソッド・ステート・ドライブ）を設置する場合、利用者は、ドライブモデル表示エリア１２ｑに表示されたドライブモデル３３の中から新設または増設するドライブモデル３３を選択する。利用者は、選択した１つまたは複数のドライブモデル３３をドラッグアンドドロップによってドライブモデルドロップエリア１２ｋ（ドライブモデル設定エリア）に移動させる。ドライブモデル３３をドライブモデルドロップエリア１２ｋに移動させると、そのドライブモデル３３がドライブモデルドロップエリア１２ｋに表示されるとともに、そのドライブモデル３３がドライブモデル表示エリア１２ｑから消去される。
【０１６１】
デバイス未設定のサーバモデル２９（仮想サーバ１８１〜１８ｎ）にインターフェイスモデル３４（仮想ネットワークインターフェイス）を設置する場合、利用者は、インターフェイスモデル表示エリア１２ｒに表示されたインターフェイスモデル３４の中から新設または増設するインターフェイスモデル３４を選択する。利用者は、選択した１つまたは複数のインターフェイスモデル３４をドラッグアンドドロップによってインターフェイスモデルドロップエリア１２ｌ（インターフェイスモデル設定エリア）に移動させる。インターフェイスモデル３４をインターフェイスモデルドロップエリア１２ｌに移動させると、そのインターフェイスモデル３４がインターフェイスモデルドロップエリア１２ｌに表示されるとともに、そのインターフェイスモデル３４がインターフェイスモデル表示エリア１２ｒから消去される。
【０１６２】
デバイス未設定のサーバモデル２９（仮想サーバ１８１〜１８ｎ）に物理的なＯＳまたは仮想ＯＳをインストールする場合、利用者は、ＯＳ表示エリア１２ｄに表示された物理的なＯＳまたは仮想ＯＳの中からインストールするＯＳを選択する。利用者は、選択したＯＳをドラッグアンドドロップによってＯＳドロップエリア１２ｍ（ＯＳ設定エリア）に移動させる。ＯＳをＯＳドロップエリア１２ｍに移動させると、そのＯＳがＯＳドロップエリア１２ｍに表示される。
【０１６３】
ＣＰＵモデル３０やメモリモデル３１、ハードディスクモデル３２、ドライブモデル３３、インターフェイスモデル３４、物理的なＯＳまたは仮想ＯＳをそれらドロップエリア１２ｈ〜１２ｍに移動させた後、仮想デバイス設定ボタン１２ｅをクリックする。仮想デバイス設定ボタン１２ｅをクリックすると、設定確認画面（図示せず）がディスプレイ２２に表示される。設定確認画面には、仮想サーバ名称入力エリア、設定実行ボタン、キャンセルボタンが表示される。キャンセルボタンをクリックすると、図９の仮想サーバ提供システム（仮想デバイス設定）画面に戻る。
【０１６４】
設定確認画面において仮想サーバ名称入力エリアに新設または増設する仮想サーバ１８１〜１８ｎの名称を入力し、設定実行ボタンをクリックすると、システム１０Ａ〜１０Ｄは、システム１０Ａ〜１０Ｄは、ＣＰＵモデルドロップエリア１２ｈのＣＰＵモデル３０に対応したサイバー空間１２の仮想ＣＰＵを仮想サーバ１８１〜１８ｎ（クライアントマシン２６１〜２６ｎやモバイルデバイス２７１〜２７ｎ）において利用可能に設定する（仮想ＣＰＵ設定手段）。システム１０Ａ〜１０Ｄは、新設または増設した仮想ＣＰＵを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。なお、各種複数の仮想ＣＰＵが物理ＣＰＵ上に事前に仮想され（ＣＰＵ仮想化手段）、それら仮想ＣＰＵがサイバー空間１２に既に存在する場合があり、または、仮想ＣＰＵの新設や増設の要求があったときに仮想ＣＰＵが物理ＣＰＵ上に仮想され（ＣＰＵ仮想化手段）、仮想ＣＰＵが順次サイバー空間１２に蓄積される場合がある。
【０１６５】
システム１０Ａ〜１０Ｄは、メモリモデルドロップエリア９ｉのメモリモデル３１に対応したサイバー空間１２の仮想メモリを仮想サーバ１８１〜１８ｎ（クライアントマシン２６１〜２６ｎやモバイルデバイス２７１〜２７ｎ）において利用可能に設定する（仮想メモリ設定手段）。システム１０Ａ〜１０Ｄは、新設または増設した仮想メモリを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。なお、各種複数の仮想メモリが物理メモリ上に事前に仮想され（メモリ仮想化手段）、それら仮想メモリがサイバー空間１２に既に存在する場合があり、または、仮想メモリの新設や増設の要求があったときに仮想メモリが物理メモリ上に仮想され（メモリ仮想化手段）、仮想メモリが順次サイバー空間１２に蓄積される場合がある。
【０１６６】
システム１０Ａ〜１０Ｄは、ハードディスクモデルドロップエリア１２ｊのハードディスクモデル３２に対応したサイバー空間１２の仮想ハードディスクを仮想サーバ１８１〜１８ｎ（クライアントマシン２６１〜２６ｎやモバイルデバイス２７１〜２７ｎ）において利用可能に割り当てる（仮想ハードディスク新設手段、仮想ハードディスク増設手段）。システム１０Ａ〜１０Ｄは、新設または増設した仮想ハードディスクを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。なお、各種複数の仮想ハードディスクが物理ハードディスク上に事前に仮想され（ハードディスク仮想化手段）、それら仮想ハードディスクがサイバー空間１２に既に存在する場合があり、または、仮想ハードディスクの新設や増設の要求があったときに仮想ハードディスクが物理ハードディスク上に仮想され（ハードディスク仮想化手段）、仮想ハードディスクが順次サイバー空間１２に蓄積される場合がある。
【０１６７】
システム１０Ａ〜１０Ｄは、ドライブモデルドロップエリア１２ｋのドライブモデル３３に対応したサイバー空間１２の仮想リソッド・ステート・ドライブを仮想サーバ１８１〜１８ｎ（クライアントマシン２６１〜２６ｎやモバイルデバイス２７１〜２７ｎ）において利用可能に設定する（仮想リソッド・ステート・ドライブ設定手段）。システム１０Ａ〜１０Ｄは、新設または増設した仮想リソッド・ステート・ドライブを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。なお、各種複数の仮想リソッド・ステート・ドライブが物理リソッド・ステート・ドライブ上に事前に仮想され（リソッド・ステート・ドライブ仮想化手段）、それら仮想リソッド・ステート・ドライブがサイバー空間１２に既に存在する場合があり、または、仮想リソッド・ステート・ドライブの新設や増設の要求があったときに仮想が物理リソッド・ステート・ドライブ上に仮想され（リソッド・ステート・ドライブ仮想化手段）、仮想リソッド・ステート・ドライブが順次サイバー空間１２に蓄積される場合がある。
【０１６８】
システム１０Ａ〜１０Ｄは、インターフェイスモデルドロップエリア９ｌのインターフェイスモデル３４に対応したサイバー空間１２の仮想ネットワークインターフェイスを仮想サーバ１８１〜１８ｎ（クライアントマシン２６１〜２６ｎやモバイルデバイス２７１〜２７ｎ）において利用可能に設定する（仮想ネットワークインターフェイス設定手段）。システム１０Ａ〜１０Ｄは、新設または増設した仮想ネットワークインターフェイスを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。なお、各種複数の仮想ネットワークインターフェイスが物理ネットワークインターフェイス上に事前に仮想され（インターフェイス仮想化手段）、それら仮想ネットワークインターフェイスがサイバー空間１２に既に存在する場合があり、または、仮想ネットワークインターフェイスの新設や増設の要求があったときに仮想ネットワークインターフェイスが物理ネットワークインターフェイス上に仮想され（ネットワークインターフェイス仮想化手段）、仮想ネットワークインターフェイスが順次サイバー空間１２に蓄積される場合がある。
【０１６９】
システム１０Ａ〜１０Ｄは、ＯＳドロップエリア９ｍに表示された物理的なＯＳまたはサイバー空間１２の仮想ＯＳを仮想サーバ１８１〜１８ｎにインストールする（ＯＳインストール手段、仮想ＯＳインストール手段）。システム１０Ａ〜１０Ｄは、インストールしたＯＳを仮想サーバ１８１〜１８ｎおよびユーザー識別子に関連付けた状態で物理サーバ１５，１５１〜１５ｎ（管理サーバ）のハードディスクまたは仮想サーバ１８１〜１８ｎ（管理サーバ）の仮想ハードディスクに格納する。なお、各種複数の仮想ＯＳが事前に仮想され（ＯＳ仮想化手段）、それら仮想ＯＳがサイバー空間１２に既に存在する場合があり、または、仮想ＯＳの新設や増設の要求があったときに仮想ＯＳが仮想され（ＯＳ仮想化手段）、仮想ＯＳが順次サイバー空間１２に蓄積される場合がある。
【０１７０】
それらデバイスの設定が完了し、ＯＳのインストールが完了した後、システム１０Ａ〜１０Ｄは、図９に示すネットワーク設定画面をディスプレイ２２に表示する。利用者は、図９〜図１１において説明した手順でサーバモデル２９とＩＰアドレス番号表示エリア９ｂ〜９ｄとを連結する。システム１０Ａ〜１０Ｄは、ＩＰアドレス番号表示エリア９ｂとサーバモデル表示エリア９ｈのサーバモデル２９とを連結し（連結手段）、各仮想サーバ１８１〜１８ｎ毎にＩＰアドレスを設定しつつ（ＩＰアドレス設定手段）、グローバルネットワーク１９１〜１９ｎを介して複数の仮想ルーター１６１〜１６ｎと仮想ファイアーフォール１７１〜１７ｎとを接続し（グローバルネットワーク設定手段）、プライベートネットワーク２０１〜２０ｎを介して仮想ファイアーフォール１７１〜１７ｎとサイバー空間１２の仮想サーバ１８１〜１８ｎとを接続する（プライベートネットワーク設定手段）。システム１０Ａ〜１０Ｄは、サーバモデル２９に対応したサイバー空間１２の仮想サーバ１８１〜１８ｎをクライアントマシン２６１〜２６ｎやモバイルデバイス２７１〜２７ｎにおいて利用可能に割り当てる（仮想サーバ割当手段）。
【０１７１】
システム１０Ａ〜１０Ｄは、新設または増設した仮想サーバ１８１〜１８ｎおよびサーバ名をユーザー識別子に関連付けた状態で格納し、グローバルネットワーク１９１〜１９ｎのネットワークアドレスをユーザー識別子に関連付けた状態で格納するとともに、プライベートネットワーク２０１〜２０ｎのネットワークアドレスをユーザー識別子に関連付けた状態で格納する。仮想サーバ新設手段や仮想サーバ増設手段が完了した後、システム１０Ａ〜１０Ｄは、図７の仮想サーバ提供システム（利用者情報）画面をクライアントマシン２６１〜２６ｎやモバイルデバイス２７１〜２７ｎのディスプレイ２２に表示する。
【０１７２】
仮想サーバ提供システム１０Ａ〜１０Ｄは、サイバー空間１２に存在する仮想サーバ１８１〜１８ｎを個別に具現化した各種複数のサーバモデル２９をサーバモデル表示エリア８ｃにビジュアルに表示し、サーバモデル表示エリア８ｃに表示されたそれらサーバモデル２９の中から新設または増設するサーバモデル２９をサーバモデルドロップエリア８ｉに移動させ、そのサーバモデル２９の新設または増設が要求されたときに、新設または増設するサーバモデル２９に対応したサイバー空間１２の仮想サーバ１８１〜１８ｎをクライアントマシン２６１〜２６ｎやモバイルデバイス２７１〜２７ｎにおいて利用可能に割り当てるから、利用者がサーバモデル表示エリア８ｃに表示されたサーバモデル２９から新設または増設する仮想サーバ１８１〜１８ｎをビジュアルに認識することができ、希望する性能（スペック）の仮想サーバ１８１〜１８ｎを視覚で確認・把握しつつ仮想サーバ１８１〜１８ｎの選定を行うことができるとともに、希望の性能の仮想サーバ１８１〜１８ｎをクライアントマシン２６１〜２６ｎやモバイルデバイス２７１〜２７ｎにおいて速やかに利用可能にすることができる。
【０１７３】
仮想サーバ提供システム１０Ａ〜１０Ｄは、利用者の利用頻度や利用方法等に即した仮想サーバ１８１〜１８ｎをサーバモデル２９として視覚で確認・把握しつつ所望の仮想サーバ１８１〜１８ｎを速やかに選定することができるとともに、その仮想サーバ１８１〜１８ｎをクライアントマシン２６１〜２６ｎやモバイルデバイス２７１〜２７ｎにおいて速やかに利用することができるから、利用者の利用頻度や利用方法等に応じて所望の仮想サーバ１８１〜１８ｎを自由かつ迅速に新設または増設することができ、利用者にとって必要以上の性能の仮想サーバ１８１〜１８ｎまたは不十分な性能の仮想サーバ１８１〜１８ｎが割り当てられることはなく、各利用者が仮想サーバ１８１〜１８ｎを最適な環境で無駄なく有効に利用することができる。
【０１７４】
仮想サーバ提供システム１０Ａ〜１０Ｄは、利用者が各デバイスのモデル表示エリア１２ｎ〜１２ｒに表示された各モデル３０〜３４から新設または増設する仮想ＣＰＵ、仮想メモリ、仮想ハードディスク、仮想リソッド・ステート・ドライブ、仮想ネットワークインターフェイスをビジュアルに認識することができ、希望する性能（スペック）のデバイスを視覚で確認・把握しつつ各デバイスの選定を行うことができるとともに、希望の性能のデバイスを仮想サーバ１８１〜１８ｎにおいて速やかに利用可能にすることができる。
【０１７５】
仮想サーバ提供システム１０Ａ〜１０Ｄは、利用者の利用頻度や利用方法等に即した各デバイスを各モデルに基づいて視覚で確認・把握しつつ所望のデバイスを速やかに選定することができるとともに、そのデバイスを仮想サーバ１８１〜１８ｎにおいて速やかに利用することができるから、利用者の利用頻度や利用方法等に応じて所望のデバイスを自由かつ迅速に新設または増設することができ、利用者にとって必要以上の性能のデバイスまたは不十分な性能のデバイスが割り当てられることはなく、各利用者が各デバイスを最適な環境で無駄なく有効に利用することができる。
【０１７６】
図１３は、クライアントマシン２６１〜２６ｎやモバイルデバイス２７１〜２７ｎのディスプレイ２２に表示された変更サーバ決定画面の一例を示す図であり、図１４は、クライアントマシン２６１〜２６ｎやモバイルデバイス２７１〜２７ｎのディスプレイ２２に表示されたサーバ変更確認画面の一例を示す図である。利用者が既設の仮想サーバ１８１〜１８ｎを他の仮想サーバ１８１〜１８ｎに変更する場合、図７の利用者情報画面の仮想サーバ変更ボタン７ｃをクリックする。仮想サーバ変更ボタン７ｃをクリックすると、図１３に示す仮想サーバ提供システム（変更サーバ決定）画面がクライアントマシン２６１〜２６ｎやモバイルデバイス２７１〜２７ｎのディスプレイ２２に表示される。図１３の変更サーバ決定画面には、利用者名を表示した利用者名表示エリア１３ａ、サーバモデル２９を変更するサーバモデル設定エリア１３ｂ、仮想サーバ１８１〜１８ｎを具現化した各種複数のサーバモデル２９を表示したサーバモデル表示エリア１３ｃ、割り当て済みの仮想サーバ１８１〜１８ｎの名称を表示した既設仮想サーバ一覧表示エリア１３ｄ、仮想サーバ変更ボタン１３ｅ、利用者情報画面ボタン１３ｌ、初期画面ボタン１３ｆ、ログアウトボタン１３ｇが表示される。
【０１７７】
サーバモデル変更エリア１３ｂには、利用者に利用可能に割り当てられた既設の仮想サーバ１８１〜１８ｎに対応するサーバモデル２９およびサーバ名を表示した既設サーバモデル表示エリア１３ｈ、サーバモデル２９（仮想サーバ１８１〜１８ｎ）を変更する場合に使用するサーバモデルドロップエリア１３ｉが表示される。サーバモデル表示エリア１３ｃには、システム１０Ａ〜１０Ｄにログインした利用者に設定可能な仮想サーバ１８１〜１８ｎを具現化したサーバモデル２９が表示される。サーバモデル表示エリア１３ｃには、デバイス設定済みサーバモデル表示エリア１３ｊ、デバイス未設定サーバモデル表示エリア１３ｋが表示される（サーバモデル表示手段）。
【０１７８】
既設サーバモデル表示エリア１３ｈに表示されたサーバモデル２９の上にカーソル３５を移動させ、または、既設仮想サーバ一覧表示エリア１３ｄに表示された仮想サーバ１８１〜１８ｎの名称上にカーソル３５を移動させ、あるいは、デバイス設定済みサーバモデル表示エリア１３ｊに表示されたサーバモデル２９の上にカーソル３５を移動させた後、サーバモデル２９や名称をクリックすると、そのサーバモデル２９やその名称に対応する仮想サーバ１８１〜１８ｎの各種デバイスの性能を表示したデバイス性能表示画面（図示せず）がディスプレイ２２に表示される。
【０１７９】
既設の仮想サーバ１８１〜１８ｎを変更する場合、利用者は、デバイス性能表示画面において仮想サーバ１８１〜１８ｎの各種デバイスの性能を確認した後、デバイス性能表示画面の戻るボタンをクリックして図１３の変更サーバ決定画面に戻り、既設サーバモデル表示エリア１３ｈ（サーバモデル設定エリア）に表示された変更対象のサーバモデル２９をドラッグアンドドロップによってデバイス設定済サーバモデル表示エリア１３ｊやデバイス未設定サーバモデル表示エリア１３ｋの空きスペース１３ｊ′，１３ｋ′に移動させる。サーバモデル２９を既設サーバモデル表示エリア１３ｈから空きスペース１３ｊ′，１３ｋ′に移動させると、既設サーバモデル表示エリア１３ｈから変更対象のサーバモデル２９が消去され、変更対象のサーバモデル２９が空きスペース１３ｊ′，１３ｋ′に表示される。
【０１８０】
次に、サーバモデル表示エリア１３ｃに表示されたサーバモデル２９の中から新たに設定するサーバモデル２９を選択し、選択したサーバモデル２９をドラッグアンドドロップによってサーバモデル表示エリア１３ｃからサーバモデルドロップエリア１３ｉ（サーバモデル設定エリア１３ｂ）に移動させる。選択したサーバモデル２９をサーバモデルドロップエリア１３ｉに移動させると、サーバモデル表示エリア１３ｃからそのサーバモデル２９が消去され、選択したサーバモデル２９がサーバモデルドロップエリア１３ｉに表示される。それによって既設のサーバモデル２９（変更対象の仮想サーバ１８１〜１８ｎ）が新たに設定する他のサーバモデル２９（変更後の仮想サーバ１８１〜１８ｎ）に入れ替わる。
【０１８１】
図１３の変更サーバ決定画面において変更対象の仮想サーバ１８１〜１８ｎを新たな仮想サーバ１８１〜１８ｎに入れ替えた後、仮想サーバ変更ボタン１３ｅをクリックする。なお、サーバモデル表示エリア１３ｃのデバイス未設定サーバモデル表示エリア１３ｋからデバイス未設定のサーバモデル２９を選択した場合、図１２に示す仮想サーバ提供システム（仮想デバイス設定）画面がディスプレイ２２に表示され、図１２において説明した手順によってサーバモデル２９（仮想サーバ１８１〜１８ｎ）に各デバイス（仮想ＣＰＵ、仮想メモリ、仮想ハードディスク、仮想リソッド・ステート・ドライブ、仮想ネットワークインターフェイス、ＯＳ）を設定し、仮想デバイス設定ボタン１２ｅをクリックする。仮想サーバ変更ボタン１３ｅまたは仮想デバイス設定ボタン１２ｅをクリックすると、図１４に示す仮想サーバ提供システム（サーバ変更確認）画面がディスプレイ２２に表示される。
【０１８２】
図１４のサーバ変更確認画面には、利用者名を表示した利用者名表示エリア１４ａ、図１３の変更サーバ決定画面のサーバモデル表示エリア１３ｃにおいて選択された新たなサーバモデル２９（仮想サーバ１８１〜１８ｎ）および仮想サーバ名称入力エリアを表示したサーバモデル確認エリア１４ｂ、サーバ変更確認ボタン１４ｃ、変更サーバ決定画面ボタン１４ｄ、クリアボタン１４ｅが表示される。変更サーバ決定画面ボタン１４ｄをクリックすると、仮想サーバ変更ボタン１３ｅをクリックする直前の図１３の変更サーバ決定画面に戻る。クリアボタン１４ｅをクリックすると、サーバモデル２９を入れ替える前の状態の図１３の変更サーバ決定画面に戻る。
【０１８３】
サーバモデル確認エリア１４ｂには、各サーバモデル２９の他に、サーバモデル２９に設定されたＣＰＵモデル３０、メモリモデル３１、ハードディスクモデル３２、ドライブモデル３３、インターフェイスモデル３４が表示される。利用者は、変更後のサーバモデル２９およびそれらデバイスを確認した後、図１４のサーバ変更確認画面のサーバ変更確認ボタン１４ｃをクリックする。サーバ変更確認ボタン１４ｃをクリックすると、システム１０Ａ〜１０Ｄは、図９に示すネットワーク設定画面をディスプレイ２２に表示する。利用者は、図９〜図１１において説明した手順でサーバモデル２９とＩＰアドレス番号表示エリア９ｂ〜９ｄとを連結する。
【０１８４】
システム１０Ａ〜１０Ｄは、ＩＰアドレス番号表示エリア９ｂとサーバモデル表示エリア９ｈのサーバモデル２９とを連結し（連結手段）、各仮想サーバ１８１〜１８ｎ毎にＩＰアドレスを設定しつつ（ＩＰアドレス設定手段）、グローバルネットワーク１９１〜１９ｎを介して複数の仮想ルーター１６１〜１６ｎと仮想ファイアーフォール１７１〜１７ｎとを接続し（グローバルネットワーク設定手段）、プライベートネットワーク２０１〜２０ｎを介して仮想ファイアーフォール１７１〜１７ｎとサイバー空間１２の仮想サーバ１８１〜１８ｎとを接続する（プライベートネットワーク設定手段）。システム１０Ａ〜１０Ｄは、変更対象のサーバモデル２９に対応するサイバー空間１２の仮想サーバ１８１〜１８ｎを利用者のクライアントマシン２６１〜２６ｎやモバイルデバイス２７１〜２７ｎにおいて利用不能にするとともに、サーバモデル確認エリア１４ｂにおける変更後（入れ替え後）の新たなサーバモデル２９に対応したサイバー空間１２の仮想サーバ１８１〜１８ｎをクライアントマシン２６１〜２６ｎやモバイルデバイス２７１〜２７ｎにおいて利用可能に割り当てる（仮想サーバ変更手段）。
【０１８５】
仮想サーバ変更手段では、第１〜第ｎ仮想ファイアーフォール１７１〜１７ｎにつながるサーバグループのうちの最も処理効率が高いサーバグループに属する仮想サーバ１８１〜１８ｎを利用者に割り当てる。システム１０Ａ〜１０Ｄは、変更後の仮想サーバ１８１〜１８ｎおよびサーバ名をユーザー識別子に関連付けた状態で格納し、グローバルネットワーク１９１〜１９ｎのネットワークアドレスをユーザー識別子に関連付けた状態で格納するとともに、プライベートネットワーク２０１〜２０ｎのネットワークアドレスをユーザー識別子に関連付けた状態で格納する。仮想サーバ変更手段が完了した後、システム１０Ａ〜１０Ｄは、図７の仮想サーバ提供システム（利用者情報）画面をクライアントマシン２６１〜２６ｎやモバイルデバイス２７１〜２７ｎのディスプレイ２２に表示する。
【０１８６】
仮想サーバ提供システム１０Ａ〜１０Ｄは、利用者がサーバモデルドロップエリア１３ｉ（サーバモデル設定エリア１３ｂ）やサーバモデル表示エリア１３ｃに表示されたサーバモデル２９から変更する仮想サーバ１８１〜１８ｎをビジュアルに認識することができ、性能（スペック）を変更する仮想サーバ１８１〜１８ｎを視覚で確認・把握しつつ仮想サーバ１８１〜１８ｎの変更を行うことができるとともに、性能を変更した仮想サーバ１８１〜１８ｎを利用者のクライアントマシン２６１〜２６ｎやモバイルデバイス２７１〜２７ｎにおいて速やかに利用可能にすることができる。
【０１８７】
仮想サーバ提供システム１０Ａ〜１０Ｄは、利用者の利用頻度や利用方法等に即した仮想サーバ１８１〜１８ｎを視覚で確認・把握しつつ仮想サーバ１８１〜１８ｎを速やかに変更することができるとともに、その仮想サーバ１８１〜１８ｎをクライアントマシン２６１〜２６ｎやモバイルデバイス２７１〜２７ｎにおいて速やかに利用することができるから、利用者の利用頻度や利用方法等に応じて仮想サーバ１８１〜１８ｎを自由かつ迅速に変更することができ、利用者にとって最適な仮想サーバ１８１〜１８ｎが割り当てられ、各利用者が仮想サーバ１８１〜１８ｎを最適な環境で無駄なく有効に利用することができる。
【０１８８】
図１５は、クライアントマシン２６１〜２６ｎやモバイルデバイス２７１〜２７ｎのディスプレイ２２に表示された変更デバイス決定画面の一例を示す図であり、図１６は、クライアントマシン２６１〜２６ｎやモバイルデバイス２７１〜２７ｎのディスプレイ２２に表示されたデバイス変更画面の一例を示す図である。図１７は、クライアントマシン２６１〜２６ｎやモバイルデバイス２７１〜２７ｎのディスプレイ２２に表示されたデバイス変更確認画面の一例を示す図である。利用者が既設の仮想サーバ１８１〜１８ｎを形成する各デバイスを変更する場合、図７の利用者情報画面のデバイス変更ボタン７ｄをクリックする。デバイス変更ボタン７ｄをクリックすると、図１５に示す仮想サーバ提供システム（変更デバイス決定）画面がクライアントマシン２６１〜２６ｎやモバイルデバイス２７１〜２７ｎのディスプレイ２２に表示される。
【０１８９】
図１５の変更デバイス決定画面には、利用者名を表示した利用者名表示エリア１５ａ、利用者に利用可能に割り当てられた既設のサーバモデル２９（仮想サーバ１８１〜１８ｎ）およびサーバ名を表示したサーバモデル表示エリア１５ｂ、変更対象のデバイス（ハードウェア）を選択するデバイス選択エリア１５ｃ、決定ボタン１５ｄ、利用者情報画面ボタン１５ｎ、初期画面ボタン１５ｅ、ログアウトボタン１５ｆ、クリアボタン１５ｇが表示される。デバイス選択エリア１５ｃには、ＣＰＵ、メモリ、ハードディスク、リソッド・ステート・ドライブ、ネットワークインターフェイス、ＯＳ、それらに対するチェックボックス１５ｈ〜１５ｍが表示される。
【０１９０】
利用者は、図１５の変更デバイス決定画面においてサーバモデル表示エリア１５ｂに表示されたサーバモデル２９の中からデバイスを変更するサーバモデル２９を選択（サーバモデル表示エリア１２ｂのプルダウンリストからサーバモデル２９を選択）するとともに、デバイス選択エリア１５ｃに表示された各デバイスのうち、変更するデバイスのチェックボックス１５ｈ〜１５ｍにチェックマークを入れた後、決定ボタン１５ｄをクリックする。なお、クリアボタン１５ｇをクリックすると、サーバモデル２９の選択が解除されるとともに、チェックボックス１５ｈ〜１５ｍのチェックマークが外れ、サーバモデル２９の選択および変更するデバイスの選択をやり直す。なお、チェックボックス１５ｈ〜１５ｍのすべてにチェックマークが入れられたものとする。
【０１９１】
図１５の変更デバイス決定画面の決定ボタン１５ｄをクリックすると、図１６に示す仮想サーバ提供システム（デバイス変更）画面がクライアントマシン２６１〜２６ｎやモバイルデバイス２７１〜２７ｎのディスプレイ２２に表示される。図１６のデバイス変更画面には、利用者名を表示した利用者名表示エリア１６ａ、図１５の変更デバイス決定画面のサーバモデル表示エリア１５ｂにおいて選択されたサーバモデル２９（仮想サーバ１８１〜１８ｎ）およびサーバ名を表示したサーバモデル表示エリア１６ｂ、各種複数の仮想デバイスを表示した仮想デバイス表示エリア１６ｃ、ＯＳ表示エリア１６ｄ、デバイス変更ボタン１６ｅ、変更デバイス決定画面ボタン１６ｆ、ログアウトボタン１６ｇ、クリアボタン１６ｓが表示される。変更デバイス決定画面ボタン１６ｆをクリックすると、図１５の変更デバイス決定画面に戻る。クリアボタン１６ｓをクリックすると、デバイスを入れ替える前の状態に戻る。
【０１９２】
サーバモデル表示エリア１６ｂには、サーバモデル２９に対応する仮想サーバ１８１〜１８ｎを形成するＣＰＵモデルドロップエリア１６ｈ（ＣＰＵモデル設定エリア）、メモリモデルドロップエリア１６ｉ（メモリモデル設定エリア）、ハードディスクモデルドロップエリア１６ｊ（ハードディスクモデル設定エリア）、ドライブモデルドロップエリア１６ｋ（ドライブモデル設定エリア）、インターフェイスモデルドロップエリア１６ｌ（インターフェイスモデル設定エリア）、ＯＳドロップエリア１６ｍが表示される。仮想デバイス表示エリア１６ｃには、ＣＰＵモデル表示エリア１６ｎ、メモリモデル表示エリア１６ｏ、ハードディスクモデル表示エリア１６ｐ、ドライブモデル表示エリア１６ｑ、インターフェイスモデル表示エリア１６ｒが表示される。ＯＳ表示エリア１６ｄには、変更可能な各種複数の物理的なＯＳまたは仮想ＯＳが表示される（ＯＳ表示手段、仮想ＯＳ表示手段）。
【０１９３】
ＣＰＵモデルドロップエリア１６ｈには、既設定のＣＰＵモデル３０とそのＣＰＵモデル３０（仮想ＣＰＵ）のクロック数およびコア数とが表示され、メモリモデルドロップエリア１６ｉには、既設定のメモリモデル３１とそのメモリモデル３１（仮想メモリ）のメモリ容量とが表示される。ハードディスクモデルドロップエリア１６ｊには、既設定のハードディスクモデル３２とそのハードディスクモデル３２（仮想ハードディスク）の記憶容量とが表示され、ドライブモデルドロップエリア１６ｋには、既設定のドライブモデル３３とそのドライブモデル３３（仮想リソッド・ステート・ドライブ）の記憶容量とが表示される。インターフェイスモデルドロップエリア１６ｌには、既設定のインターフェイスモデル３４とそのインターフェイスモデル３４（仮想ネットワークインターフェイス）の最大転送速度とが表示される。ＯＳドロップエリア１６ｍには、サーバモデル表示エリア１２ｂに表示されたサーバモデル２９（仮想サーバ１８１〜１８ｎ）にインストールされたＯＳの名称が表示される。
【０１９４】
ＣＰＵモデル表示エリア１６ｎには、サイバー空間１２に存在する各種複数の仮想ＣＰＵを具現化した各種複数の変更可能なＣＰＵモデル３０とそのＣＰＵモデル３０（仮想ＣＰＵ）のクロック数およびコア数とが表示され（ＣＰＵモデル表示手段）、メモリモデル表示エリア１６ｏには、サイバー空間１２に存在する各種複数の仮想メモリを具現化した各種複数の変更可能なメモリモデル３１とそのメモリモデル３１（仮想メモリ）のメモリ容量とが表示される（メモリモデル表示手段）。ハードディスクモデル表示エリア１６ｐには、サイバー空間１２に存在する各種複数の仮想ハードディスクを具現化した各種複数の変更可能なハードディスクモデル３２とそのハードディスクモデル３２（仮想ハードディスク）の記憶容量とが表示される（ハードディスクモデル表示手段）。
【０１９５】
ドライブモデル表示エリア１６ｑには、サイバー空間１２に存在する各種複数の仮想リソッド・ステート・ドライブ３３を具現化した各種複数の変更可能なドライブモデルとそのドライブモデル３３（仮想リソッド・ステート・ドライブ）の記憶容量とが表示され（ドライブモデル表示手段）、インターフェイスモデル表示エリア１６ｒには、サイバー空間１２に存在する各種複数の仮想ネットワークインターフェイスを具現化した各種複数の変更可能なインターフェイスモデル３４とそのインターフェイスモデル３４（仮想ネットワークインターフェイス）の最大転送速度とが表示される（インターフェイスモデル表示手段）。
【０１９６】
既設のサーバモデル２９（仮想サーバ１８１〜１８ｎ）に設置されたＣＰＵモデル３０（仮想ＣＰＵ）を変更する場合、利用者は、ＣＰＵモデルドロップエリア１６ｈ（ＣＰＵモデル設定エリア）に表示された変更対象のＣＰＵモデル３０をドラッグアンドドロップによってＣＰＵモデル表示エリア１６ｎの空きスペース１６ｎ′に移動させる。ＣＰＵモデル３０をＣＰＵモデルドロップエリア１６ｈから空きスペース１６ｎ′に移動させると、ＣＰＵモデルドロップエリア１６ｈから変更対象のＣＰＵモデル３０が消去され、変更対象のＣＰＵモデル３０が空きスペース１６ｎ′に表示される。
【０１９７】
次に、ＣＰＵモデル表示エリア１６ｎに表示されたＣＰＵモデル３０の中から新たに設定するＣＰＵモデル３０を選択し、選択したＣＰＵモデル３０をドラッグアンドドロップによってＣＰＵモデル表示エリア１６ｎからＣＰＵモデルドロップエリア１６ｈに移動させる。選択したＣＰＵモデル３０をＣＰＵモデルドロップエリア１６ｈに移動させると、ＣＰＵモデル表示エリア１６ｎからそのＣＰＵモデル３０が消去され、選択したＣＰＵモデル３０がＣＰＵモデルドロップエリア１６ｈに表示される。それによって既設のＣＰＵモデル３０（変更対象の仮想ＣＰＵ）が新たに設定するＣＰＵモデル３０（仮想ＣＰＵ）に入れ替わる。
【０１９８】
既設のサーバモデル２９（仮想サーバ１８１〜１８ｎ）に設置されたメモリモデル３１（仮想メモリ）を変更する場合、利用者は、メモリモデルドロップエリア１６ｉ（メモリモデル設定エリア）に表示された変更対象のメモリモデル３１をドラッグアンドドロップによってメモリモデル表示エリア１６ｏの空きスペース１６ｏ′に移動させる。メモリモデル３１をメモリモデルドロップエリア１６ｉから空きスペース１６ｏ′に移動させると、メモリモデルドロップエリア１６ｉから変更対象のメモリモデル３１が消去され、変更対象のメモリモデル３１が空きスペース１６ｏ′に表示される。
【０１９９】
次に、メモリモデル表示エリア１６ｏに表示されたメモリモデル３１の中から新たに設定するメモリモデル３１を選択し、選択したメモリモデル３１をドラッグアンドドロップによってメモリモデル表示エリア１６ｏからメモリモデルドロップエリア１６ｉに移動させる。選択したメモリモデル３１をメモリモデルドロップエリア１６ｉに移動させると、メモリモデル表示エリア１６ｏからそのメモリモデル３１が消去され、選択したメモリモデル３１がメモリモデルドロップエリア１６ｉに表示される。それによって既設のメモリモデル３１（変更対象の仮想メモリ）が新たに設定するメモリモデル３１（仮想メモリ）に入れ替わる。
【０２００】
既設のサーバモデル２９（仮想サーバ１８１〜１８ｎ）に設置されたハードディスクモデル３２（仮想ハードディスク）を変更する場合、利用者は、ハードディスクモデルドロップエリア１６ｊ（ハードディスクモデル設定エリア）に表示された変更対象のハードディスクモデル３２をドラッグアンドドロップによってハードディスクモデル表示エリア１６ｐの空きスペース１６ｐ′に移動させる。ハードディスクモデル３２をハードディスクモデルドロップエリア１６ｊから空きスペース１６ｐ′に移動させると、ハードディスクモデルドロップエリア１６ｊから変更対象のハードディスクモデル３２が消去され、変更対象のハードディスクモデル３２が空きスペース１６ｐ′に表示される。
【０２０１】
次に、ハードディスクモデル表示エリア１６ｐに表示されたハードディスクモデル３２の中から新たに設定するハードディスクモデル３２を選択し、選択したハードディスクモデル３２をハードディスクモデル表示エリア１６ｐからドラッグアンドドロップによってハードディスクモデルドロップエリア１６ｊに移動させる。選択したハードディスクモデル３２をハードディスクモデルドロップエリア１６ｊに移動させると、ハードディスクモデル表示エリア１６ｐからそのハードディスクモデル３２が消去され、選択したハードディスクモデル３２がハードディスクモデルドロップエリア１６ｊに表示される。それによって既設のハードディスクモデル３２（変更対象の仮想ハードディスク）が新たに設定するハードディスクモデル３２（仮想ハードディスク）に入れ替わる。
【０２０２】
既設のサーバモデル２９（仮想サーバ１８１〜１８ｎ）に設置されたドライブモデル３３（仮想リソッド・ステート・ドライブ）を変更する場合、利用者は、ドライブモデルドロップエリア１６ｋ（ドライブモデル設定エリア）に表示された変更対象のドライブモデル３３をドラッグアンドドロップによってドライブモデル表示エリア１６ｑの空きスペース１６ｑ′に移動させる。ドライブモデル３３をドライブモデルドロップエリア１６ｋから空きスペース１６ｑ′に移動させると、ドライブモデルドロップエリア１６ｋから変更対象のドライブモデル３３が消去され、変更対象のドライブモデル３３が空きスペース１６ｑ′に表示される。
【０２０３】
次に、ドライブモデル表示エリア１６ｑに表示されたドライブモデル３３の中から新たに設定するドライブモデル３３を選択し、選択したドライブモデル３３をドラッグアンドドロップによってドライブモデル表示エリア１６ｑからドライブモデルドロップエリア１６ｋに移動させる。選択したドライブモデル３３をドライブモデルドロップエリア１６ｋに移動させると、ドライブモデル表示エリア１６ｑからそのドライブモデル３３が消去され、選択したドライブモデル３３がドライブモデルドロップエリア１６ｋに表示される。それによって既設のドライブモデル３３（変更対象の仮想リソッド・ステート・ドライブ）が新たに設定するドライブモデル３３（仮想リソッド・ステート・ドライブ）に入れ替わる。
【０２０４】
既設のサーバモデル２９（仮想サーバ１８１〜１８ｎ）に設置されたインターフェイスモデル３４（仮想ネットワークインターフェイス）を変更する場合、利用者は、インターフェイスモデルドロップエリア１６ｌ（インターフェイスモデル設定エリア）に表示された変更対象のインターフェイスモデル３４をドラッグアンドドロップによってインターフェイスモデル表示エリア１６ｒの空きスペース１６ｒ′に移動させる。インターフェイスモデル３４をインターフェイスモデルドロップエリア１６ｌから空きスペース１６ｒ′に移動させると、インターフェイスモデルドロップエリア１６ｌから変更対象のインターフェイスモデル３４が消去され、変更対象のインターフェイスモデル３４が空きスペース１６ｒ′に表示される。
【０２０５】
次に、インターフェイスモデル表示エリア１６ｒに表示されたインターフェイスモデル３４の中から新たに設定するインターフェイスモデル３４を選択し、選択したインターフェイスモデル３４をドラッグアンドドロップによってインターフェイスモデル表示エリア１６ｑからインターフェイスモデルドロップエリア１６ｌに移動させる。選択したインターフェイスモデル３４をインターフェイスモデルドロップエリア１６ｌに移動させると、インターフェイスモデル表示エリア１６ｒからそのインターフェイスモデル３４が消去され、選択したインターフェイスモデル３４がインターフェイスモデルドロップエリア１６ｌに表示される。それによって既設のインターフェイスモデル３４（変更対象の仮想ネットワークインターフェイス）が新たに設定するインターフェイスモデル３４（仮想ネットワークインターフェイス）に入れ替わる。
【０２０６】
既設のサーバモデル２９（仮想サーバ１８１〜１８ｎ）にインストールされたＯＳ（物理的なＯＳまたは仮想ＯＳ）を変更する場合、利用者は、ＯＳドロップエリア１６ｍに表示された変更予定のＯＳを反転させた後、右クリックの右クリックメニューを表示させ、右クリックメニューの削除ボタンをクリックすることによってＯＳドロップエリア１６ｍのＯＳを消去する。次に、ＯＳ表示エリア１６ｄに表示された物理的なＯＳまたは仮想ＯＳの中から新たにインストールするＯＳを選択し、選択したＯＳをドラッグアンドドロップによってＯＳドロップエリア１６ｍに移動させる。ＯＳをＯＳドロップエリア１６ｍに移動させると、そのＯＳがＯＳドロップエリア１６ｍに表示される。
【０２０７】
図１６のデバイス変更画面において変更対象のデバイスを新たなデバイスに入れ替えた後、デバイス変更ボタン１６ｅをクリックする。デバイス変更ボタン１６ｅをクリックすると、図１７に示す仮想サーバ提供システム（デバイス変更確認）画面がディスプレイ２２に表示される。図１７のデバイス変更確認画面には、利用者名を表示した利用者名表示エリア１７ａ、図１５の変更デバイス決定画面のサーバモデル表示エリア１５ｂにおいて選択されたサーバモデル２９（仮想サーバ１８１〜１８ｎ）およびサーバ名を表示したサーバモデル表示エリア１７ｂ、デバイス変更確認ボタン１７ｃ、デバイス変更画面ボタン１７ｄ、クリアボタン１７ｅが表示される。デバイス変更画面ボタン１７ｄをクリックすると、デバイス変更ボタン１６ｅをクリックする直前の図１６のデバイス変更画面に戻る。クリアボタン１７ｅをクリックすると、デバイスを入れ替える前の状態の図１６のデバイス変更画面に戻る。
【０２０８】
サーバモデル表示エリア１７ｂには、変更後（入れ替えた後）のＣＰＵモデル３０とそのＣＰＵモデル３０（仮想ＣＰＵ）のクロック数およびコア数とを表示したＣＰＵモデル確認エリア１７ｆ、変更後（入れ替えた後）のメモリモデル３１とそのメモリモデル３１（仮想メモリ）のメモリ容量とを表示したメモリモデル確認エリア１７ｇ、既設のハードディスクモデル３２や変更後（入れ替えた後）のハードディスクモデル３２とそれらハードディスクモデル３２（仮想ハードディスク）の記憶容量とを表示したハードディスクモデル確認エリア１７ｈ、既設のドライブモデル３３や変更後（入れ替えた後）のドライブモデル３３とそれらドライブモデル３３（仮想リソッド・ステート・ドライブ）の記憶容量とを表示したドライブモデル確認エリア１７ｉ、既設のインターフェイスモデル３４や変更後（入れ替えた後）のインターフェイスモデル３４とそれらインターフェイスモデル３４（仮想ネットワークインターフェイス）の最大転送速度とを表示したインターフェイスモデル確認エリア１７ｊ、既設のＯＳまたは入れ替えた後のＯＳを表示したＯＳ確認エリア１７ｋが表示される。
【０２０９】
変更後のＣＰＵモデル３０やメモリモデル３１、ハードディスクモデル３２、ドライブモデル３３、インターフェイスモデル３４、ＯＳを確認した後、図１７のデバイス変更確認画面のデバイス変更確認ボタン１７ｃをクリックすると、システム１０Ａ〜１０Ｄは、変更対象のＣＰＵモデル３０に対応するサイバー空間１２の仮想ＣＰＵを仮想サーバ１８１〜１８ｎにおいて利用不能にするとともに、ＣＰＵモデル確認エリア１７ｆにおける変更後のＣＰＵモデル３０に対応したサイバー空間１２の仮想ＣＰＵを仮想サーバ１８１〜１８ｎ（クライアントマシン２６１〜２６ｎやモバイルデバイス２７１〜２７ｎ）において利用可能に設定する（仮想ＣＰＵ変更手段）。システム１０Ａ〜１０Ｄは、変更後の仮想ＣＰＵを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。
【０２１０】
システム１０Ａ〜１０Ｄは、変更対象のメモリモデル３１に対応するサイバー空間１２の仮想メモリを仮想サーバ１８１〜１８ｎにおいて利用不能にするとともに、メモリモデル確認エリア１７ｇにおける変更後のメモリモデル３１に対応したサイバー空間１２の仮想メモリを仮想サーバ１８１〜１８ｎ（クライアントマシン２６１〜２６ｎやモバイルデバイス２７１〜２７ｎ）において利用可能に設定する（仮想メモリ変更手段）。システム１０Ａ〜１０Ｄは、変更後の仮想メモリを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。
【０２１１】
システム１０Ａ〜１０Ｄは、変更対象のハードディスクモデル３２に対応するサイバー空間１２の仮想ハードディスクを仮想サーバ１８１〜１８ｎにおいて利用不能にするとともに、ハードディスクモデル確認エリア１７ｈにおける変更後のハードディスクモデル３２に対応したサイバー空間１２の仮想ハードディスクを仮想サーバ１８１〜１８ｎ（クライアントマシン２６１〜２６ｎやモバイルデバイス２７１〜２７ｎ）において利用可能に設定する（仮想ハードディスク変更手段）。システム１０Ａ〜１０Ｄは、変更後の仮想ハードディスクを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。
【０２１２】
システム１０Ａ〜１０Ｄは、変更対象のドライブモデル３３に対応するサイバー空間１２の仮想リソッド・ステート・ドライブを仮想サーバ１８１〜１８ｎにおいて利用不能にするとともに、ドライブモデル確認エリア１７ｉにおける変更後のドライブモデル３３に対応したサイバー空間１２の仮想リソッド・ステート・ドライブを仮想サーバ１８１〜１８ｎ（クライアントマシン２６１〜２６ｎやモバイルデバイス２７１〜２７ｎ）において利用可能に割り当てる（仮想リソッド・ステート・ドライブ変更手段）。システム１０Ａ〜１０Ｄは、変更後の仮想リソッド・ステート・ドライブを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。
【０２１３】
システム１０Ａ〜１０Ｄは、変更対象のインターフェイスモデル３４に対応するサイバー空間１２の仮想ネットワークインターフェイスを仮想サーバ１８１〜１８ｎにおいて利用不能にするとともに、インターフェイスモデル確認エリア１７ｊにおける変更後のインターフェイスモデル３４に対応したサイバー空間１２の仮想ネットワークインターフェイスを仮想サーバ１８１〜１８ｎ（クライアントマシン２６１〜２６ｎやモバイルデバイス２７１〜２７ｎ）において利用可能に割り当てる（仮想ネットワークインターフェイス変更手段）。システム１０Ａ〜１０Ｄは、変更後の仮想ネットワークインターフェイスを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。
【０２１４】
システム１０Ａ〜１０Ｄは、変更対象のＯＳ（物理的なＯＳまたは仮想ＯＳ）を仮想サーバ１８１〜１８ｎからアンインストールするとともに、ＯＳドロップエリア１７ｍに表示された変更後のＯＳ（物理的なＯＳまたは仮想ＯＳ）を仮想サーバ１８１〜１８ｎにインストールする（ＯＳ変更手段，仮想ＯＳ変更手段）。システム１０Ａ〜１０Ｄは、変更後のＯＳを仮想サーバ１８１〜１８ｎおよびユーザー識別子に関連付けた状態で物理サーバ１５，１５１〜１５ｎのハードディスクまたは仮想サーバ１８１〜１８ｎの仮想ハードディスクに格納する。
【０２１５】
仮想サーバ提供システム１０Ａ〜１０Ｄは、利用者が各デバイスに対応するサーバモデル表示エリア１６ｂや仮想デバイス表示エリア１６ｃに表示された各モデル３０〜３４から変更するデバイス（仮想ＣＰＵ、仮想メモリ、仮想ハードディスク、仮想リソッド・ステート・ドライブ、仮想ネットワークインターフェイス）をビジュアルに認識することができ、性能（スペック）を変更する各デバイスを視覚で確認・把握しつつデバイスの変更を行うことができるとともに、性能を変更したデバイスを仮想サーバ１８１〜１８ｎにおいて速やかに利用可能にすることができる。
【０２１６】
仮想サーバ提供システム１０Ａ〜１０Ｄは、利用者の利用頻度や利用方法等に即した各デバイスを視覚で確認・把握しつつデバイスを速やかに変更することができるとともに、そのデバイスを仮想サーバ１８１〜１８ｎにおいて速やかに利用することができるから、利用者の利用頻度や利用方法等に応じて各デバイスを自由かつ迅速に変更することができ、利用者にとって最適なデバイスが割り当てられ、各利用者がデバイスを最適な環境で無駄なく有効に利用することができる。
【０２１７】
図１８は、クライアントマシン２６１〜２６ｎやモバイルデバイス２７１〜２７ｎのディスプレイ２２に表示された連結変更画面の一例を示す図であり、図１９は、図１８から続く連結変更画面を示す図である。利用者が既設の仮想サーバ１８１〜１８ｎとＩＰアドレスとの連結を変更する場合、図７の利用者情報画面の連結変更ボタン７ｅをクリックする。連結変更ボタン７ｅをクリックすると、図１８に示す仮想サーバ提供システム（連結変更）画面がクライアントマシン２６１〜２６ｎやモバイルデバイス２７１〜２７ｎのディスプレイ２２に表示される。図１８の仮想サーバ提供システム（連結変更）画面には、利用者名を表示した利用者名表示エリア１８ａ、ＩＰアドレスの番号（図示せず）を表示したＩＰアドレス番号表示エリア１８ｂ〜１８ｇ、新設または増設された仮想サーバ１８１〜１８ｎを具現化したサーバモデル２９を表示したサーバモデル表示エリア１８ｈ〜１８ｌ、連結変更ボタン１８ｍ、利用者情報画面ボタン１８ｎ、クリアボタン１８ｏが表示される。
【０２１８】
利用者は、連結ライン３６が連結された変更対象のＩＰアドレス番号表示エリア１８ｄの上にカーソル３５を合わせた後、ドラッギングしつつカーソル３５をＩＰアドレス番号表示エリア１８ｄからサーバモデル２９に向かって移動させ、変更対象のＩＰアドレス番号表示エリア１８ｄから連結ライン３６を引き離す。次に、カーソル３５をドラッギングしつつカーソル３５を他のＩＰアドレス番号表示エリア１８ｆに向かって移動させることで、連結ライン３６を他のＩＰアドレス番号表示エリア１８ｆに向かって伸長させ、カーソル３５をＩＰアドレス番号表示エリア１８ｆの上に持って行った後、カーソル３５をリリースする。カーソル３５をリリースすると、図１９に示すように、連結ライン３６によってＩＰアドレス番号表示エリア１８ｆとサーバモデル表示エリア１８ｌのサーバモデル２９とが連結される（連結変更手段）。
【０２１９】
次に、サーバモデル２９に連結されたＩＰアドレス番号をクリックすると、サーバモデル２９に設定する各種のサーバ機能を表示したサーバ機能表示エリア１０ａが表示される。サーバ機能表示エリア１０ａには、Ｗｅｂサーバ、アプリケーションサーバ、メールサーバ、データベースサーバ、ＦＴＰサーバ、ＤＮＳサーバ、プロキシサーバ、ＳＳＨサーバ、ＲＤＰサーバが表示される。利用者は、既設のサーバ機能を他のサーバ機能に変更する場合、それらサーバ（サーバ機能）のうちの変更後のサーバを反転させる（指定する）。なお、利用者情報画面ボタン１８ｎをクリックすると、図７の利用者情報画面に戻り、クリアボタン１８ｏをクリックすると、変更後の連結ライン３６がクリアされ、変更前の連結変更画面が表示される。
【０２２０】
サーバモデル２９とＩＰアドレス番号表示エリア１８ｂ〜１８ｄとを連結を変更した後（サーバ機能を変更した場合を含む）、連結変更ボタン１８ｍをクリックする。連結変更ボタン１８ｍをクリックすると、システム１０Ａ〜１０Ｄは、仮想サーバ１８１〜１８ｎに変更後のＩＰアドレスを設定するとともに（ＩＰアドレス設定手段）、サーバ機能が変更される場合、変更後のサーバ機能（Ｗｅｂサーバ機能、アプリケーションサーバ機能、メールサーバ機能、データベースサーバ機能、FTPサーバ機能、ＤＮＳサーバ機能、プロキシサーバ機能、ＳＳＨサーバ機能、ＲＤＰサーバ機能のうちの少なくとも１つ）を仮想サーバ１８１〜１８ｎに設定する（サーバ機能変更手段）。システム１０Ａ〜１０Ｄは、仮想サーバ１８１〜１８ｎおよびサーバの名称、変更後のＩＰアドレス（ＩＰアドレス番号）、変更後のサーバ機能をユーザー識別子に関連付けた状態で物理サーバ１５，１５１〜１５ｎのハードディスクまたは仮想サーバ１８１〜１８ｎの仮想ハードディスクに格納する。
【０２２１】
仮想サーバ提供システム１０Ａ〜１０Ｄは、クライアントマシン２６１〜２６ｎやモバイルデバイス２７１〜２７ｎにおいて利用可能に割り当てられた仮想サーバ１８１〜１８ｎとＩＰアドレス（ＩＰアドレス番号）との連結をクライアントマシン２６１〜２６ｎやモバイルデバイス２７１〜２７ｎにおいて可視化された連結ライン３６を介して変更することができ、ＩＰアドレスと仮想サーバ１８１〜１８ｎとの連結を可視化された連結ライン３６によってビジュアルに変更することができる。システム１０Ａ〜１０Ｄは、仮想サーバ１８１〜１８ｎに設定されたサーバ機能を他のサーバ機能に変更することができるから、サーバ機能の変更要求に対応することができ、仮想サーバ１８１〜１８ｎに変更後のサーバ機能を実行させることができる。
【０２２２】
図２０は、クライアントマシン２６１〜２６ｎやモバイルデバイス２７１〜２７ｎのディスプレイ２２に表示された削除サーバ決定画面の一例を示す図であり、図２２は、クライアントマシン２６１〜２６ｎやモバイルデバイス２７１〜２７ｎのディスプレイ２２に表示されたサーバ削除確認画面の一例を示す図である。利用者が既設の仮想サーバ１８１〜１８ｎを削除する場合、図７の利用者情報画面の仮想サーバ削除ボタン７ｆをクリックする。仮想サーバ削除ボタン７ｆをクリックすると、図２０に示す仮想サーバ提供システム（削除サーバ決定）画面がクライアントマシン２６１〜２６ｎやモバイルデバイス２７１〜２７ｎのディスプレイ２２に表示される。
【０２２３】
図２０の削除サーバ決定画面には、利用者名を表示した利用者名表示エリア２０ａ、利用者に利用可能に割り当てられた各種複数の既設のサーバモデル２９（仮想サーバ１８１〜１８ｎ）およびサーバ名を表示した削除サーバモデル表示エリア２０ｂ（サーバモデル設定エリア）、削除サーバモデルドロップエリア２０ｃ（サーバモデル表示エリア）、仮想サーバ削除ボタン２０ｄ、利用者情報画面ボタン２０ｅ、初期画面ボタン２０ｆ、ログアウトボタン２０ｇが表示される。
【０２２４】
既に設定済みの仮想サーバ１８１〜１８ｎを削除するには、図２０の削除サーバ決定画面のサーバモデル削除エリア２０ｂに表示されたサーバモデル２９のうち、削除対象のサーバモデル２９をドラッグアンドドロップによってサーバモデルドロップエリア２０ｂのスペース２０ｃ′に移動させる。サーバモデル２９をサーバモデルドロップエリア２０ｂのスペース２０ｃ′に移動させると、サーバモデル削除エリア２０ｂから削除対象のサーバモデル２９が消去され、削除対象のサーバモデル２９がスペース２０ｃ′に表示される。削除対象のサーバモデル２９をサーバモデルドロップエリア２０ｂのスペース２０ｃ′に移動させた後、仮想サーバ削除ボタン２０ｃをクリックする。
【０２２５】
仮想サーバ削除ボタン２０ｃをクリックすると、図２１に示す仮想サーバ提供システム（サーバ削除確認）画面がクライアントマシン２６１〜２６ｎやモバイルデバイス２７１〜２７ｎのディスプレイ２２に表示される。図２１のサーバ削除確認画面には、利用者名を表示した利用者名表示エリア２１ａ、図２０の削除サーバ決定画面のサーバモデル削除エリア２０ｂにおいて選択された削除対象のサーバモデル２９（仮想サーバ１８１〜１８ｎ）を表示した削除サーバモデル確認エリア２１ｂ、サーバ削除確認ボタン２１ｃ、削除サーバ決定画面ボタン２１ｄ、クリアボタン２１ｅが表示される。削除サーバ決定画面ボタン２１ｄをクリックすると、仮想サーバ削除ボタン２０ｅをクリックする直前の図２０の削除サーバ決定画面に戻る。クリアボタン２１ｅをクリックすると、削除するサーバモデル２９を選択する前の状態の図２０の削除サーバ決定画面に戻る。
【０２２６】
削除サーバモデル確認エリア２１ｂには、削除対象の各サーバモデル２９の他に、サーバ名、サーバモデル２９に設定されたＣＰＵモデル３０、メモリモデル３１、ハードディスクモデル３２、ドライブモデル３３、インターフェイスモデル３４が表示される。削除対象のサーバモデル２９およびそれらデバイスを確認した後、サーバモデル２９（仮想サーバ１８１〜１８ｎ）を削除する場合、利用者は、図２１のサーバ削除確認画面のサーバ削除確認ボタン２１ｃをクリックする。サーバ削除確認ボタン２１ｃをクリックすると、削除確認メッセージ画面（図示せず）が表示され、削除確認メッセージ画面の削除ボタンをクリックすると、システム１０Ａ〜１０Ｄは、削除対象のサーバモデル２９に対応するサイバー空間１２の仮想サーバ１８１〜１８ｎを利用者のクライアントマシン２６１〜２６ｎ（端末）やモバイルデバイス２７１〜２７ｎ（端末）において利用不能となるように削除する（仮想サーバ削除手段）。システム１０Ａ〜１０Ｄは、仮想サーバ削除手段を実行した後、図７の仮想サーバ提供システム（利用者情報）画面をディスプレイ２２に表示する。利用者は、仮想サーバ１８１〜１８ｎを削除した後、新たな仮想サーバ１８１〜１８ｎを新設または増設する場合、図８において説明した手順によって新たな仮想サーバ１８１〜１８ｎを設定する。
【０２２７】
仮想サーバ提供システム１０Ａ〜１０Ｄは、代替が必要な仮想サーバ１８１〜１８ｎや利用の必要がなくなった仮想サーバ１８１〜１８ｎをディスプレイ２２の削除サーバ決定画面に表示されたそれらサーバモデルの中からビジュアルに認識しつつ削除する仮想サーバ１８１〜１８ｎを的確に選定することができ、削除を希望する仮想サーバ１８１〜１８ｎの性能（スペック）を視覚で確認・把握しつつその仮想サーバ１８１〜１８ｎの削除を行うことができるとともに、削除を希望する仮想サーバ１８１〜１８ｎをクライアントマシン２６１〜２６ｎやモバイルデバイス２７１〜２７ｎにおいて速やかに利用不能にすることができる。
【０２２８】
図２２は、クライアントマシン２６１〜２６ｎやモバイルデバイス２７１〜２７ｎのディスプレイ２２に表示された削除デバイス決定画面の一例を示す図であり、図２３は、クライアントマシン２６１〜２６ｎやモバイルデバイス２７１〜２７ｎのディスプレイ２２に表示されたデバイス削除画面の一例を示す図である。図２４は、クライアントマシン２６１〜２６ｎやモバイルデバイス２７１〜２７ｎのディスプレイ２２に表示されたデバイス削除確認画面の一例を示す図である。利用者が既設の仮想サーバ１８１〜１８ｎを形成する各デバイスを削除する場合、図７の利用者情報画面のデバイス削除ボタン７ｇをクリックする。デバイス削除ボタン７ｇをクリックすると、図２２に示す仮想サーバ提供システム（削除デバイス決定）画面がクライアントマシン２６１〜２６ｎやモバイルデバイス２７１〜２７ｎのディスプレイ２２に表示される。
【０２２９】
図２２の削除デバイス決定画面には、利用者名を表示した利用者名表示エリア２２ａ、利用者に利用可能に割り当てられた既設のサーバモデル２９（仮想サーバ１８１〜１８ｎ）およびサーバ名を表示したサーバモデル表示エリア２２ｂ、削除対象のデバイス（ハードウェア）を選択するデバイス選択エリア２２ｃ、決定ボタン２２ｄ、利用者情報画面ボタン２２ｎ、初期画面ボタン２２ｅ、ログアウトボタン２２ｆ、クリアボタン２２ｇが表示される。デバイス選択エリア２２ｃには、ＣＰＵ、メモリ、ハードディスク、リソッド・ステート・ドライブ、ネットワークインターフェイス、ＯＳ、それらに対するチェックボックス２２ｈ〜２２ｍが表示される。サーバモデル表示エリア２２ｂには、そこに表示されたサーバモデル２９に対応する仮想サーバ１８１〜１８ｎの稼働状態（○，△，×）、仮想サーバ１８１〜１８ｎの割当日時、仮想サーバ１８１〜１８ｎの最後の電源ＯＮ日時、仮想サーバ１８１〜１８ｎの最後の電源ＯＦＦ日時が表示される。利用者は、仮想サーバ１８１〜１８ｎの稼働状態や割当日時、電源ＯＮ日時、最後の電源ＯＦＦ日時を見ることによってその仮想サーバ１８１〜１８ｎのパフォーマンスを知ることができる。
【０２３０】
利用者は、図２２の削除デバイス決定画面においてサーバモデル表示エリア２２ｂに表示されたサーバモデル２９の中からデバイスを削除するサーバモデル２９を選択（サーバモデル表示エリア１７ｂのプルダウンリストからサーバモデル２９を選択）するとともに、デバイス選択エリア２２ｃに表示された各デバイスのうち、変更するデバイスのチェックボックス２２ｈ〜２２ｍにチェックマークを入れた後、決定ボタン２２ｄをクリックする。なお、クリアボタン２２ｇをクリックすると、サーバモデル２９の選択が解除されるとともに、チェックボックス２２ｈ〜２２ｍのチェックマークが外れ、サーバモデル２９の選択および削除するデバイスの選択をやり直す。なお、チェックボックス２２ｈ〜２２ｍのすべてにチェックマークが入れられたものとする。
【０２３１】
図２２の削除デバイス決定画面の決定ボタン２２ｄをクリックすると、図２３に示す仮想サーバ提供システム（デバイス削除）画面がクライアントマシン２６１〜２６ｎやモバイルデバイス２７１〜２７ｎのディスプレイ２２に表示される。図２３のデバイス削除画面には、利用者名を表示した利用者名表示エリア２３ａ、図２２の削除デバイス決定画面のサーバモデル表示エリア２２ｂにおいて選択されたサーバモデル２９（仮想サーバ１８１〜１８ｎ）およびサーバ名を表示したサーバモデル表示エリア２３ｂ、デバイス削除ボタン２３ｃ、削除デバイス決定画面ボタン２３ｄ、ログアウトボタン２３ｅ、クリアボタン２３ｆが表示される。削除デバイス決定画面ボタン２３ｄをクリックすると、図２２の削除デバイス決定画面に戻る。クリアボタン２３ｆをクリックすると、削除するデバイスを選択する前の状態に戻る。
【０２３２】
サーバモデル表示エリア２３ｂには、そこに表示されたサーバモデル２９に対応する仮想サーバ１８１〜１８ｎの稼働状態（○，△，×）、仮想サーバ１８１〜１８ｎの割当日時、仮想サーバ１８１〜１８ｎの最後の電源ＯＮ日時、仮想サーバ１８１〜１８ｎの最後の電源ＯＦＦ日時、ＣＰＵモデル表示エリア２３ｇ、メモリモデル表示エリア２３ｈ、ハードディスクモデル表示エリア２３ｉ、ドライブモデル表示エリア２３ｊ、インターフェイスモデル表示エリア２３ｋ、ＯＳ表示エリア２３ｌが表示される。
【０２３３】
ＣＰＵモデル表示エリア２３ｇには、サーバモデル２９に対応する仮想サーバ１８１〜１８ｎの削除対象のＣＰＵモデル３０、そのＣＰＵモデル３０（仮想ＣＰＵ）のクロック数およびコア数、そのＣＰＵモデル３０（仮想ＣＰＵ）の利用率（時系列表示を含む）が表示される。メモリモデル表示エリア２３ｈには、サーバモデル２９に対応する仮想サーバ１８１〜１８ｎの削除対象のメモリモデル３１、そのメモリモデル３１（仮想メモリ）のメモリ容量、そのメモリモデル３１（仮想メモリ）の利用率（時系列表示を含む）が表示される。
【０２３４】
ハードディスクモデル表示エリア２３ｉには、サーバモデル２９に対応する仮想サーバ１８１〜１８ｎの削除対象のハードディスクモデル３２、そのハードディスクモデル３２（仮想ハードディスク）の記憶容量、そのハードディスクモデル３２（仮想ハードディスク）の稼働状況（○，×）が表示される。ドライブモデル表示エリア２３ｊには、サーバモデル２９に対応する仮想サーバ１８１〜１８ｎの削除対象のドライブモデル３３、そのドライブモデル３３（仮想リソッド・ステート・ドライブ）の記憶容量、そのドライブモデル３３（仮想リソッド・ステート・ドライブ）の稼働状況（○，×）が表示される。インターフェイスモデル表示エリア２３ｋには、サーバモデル２９に対応する仮想サーバ１８１〜１８ｎの削除対象のインターフェイスモデル３４、そのインターフェイスモデル３４（仮想ネットワークインターフェイス）の最大転送速度、そのインターフェイスモデル３４（仮想ネットワークインターフェイス）の稼働状況（○，×）が表示される。ＯＳ表示エリア２３ｌには、サーバモデル２９（仮想サーバ１８１〜１８ｎ）にインストールされたＯＳが表示される。
【０２３５】
利用者は、仮想サーバ１８１〜１８ｎの稼働状態や割当日時、電源ＯＮ日時、最後の電源ＯＦＦ日時を見ることによってその仮想サーバ１８１〜１８ｎのパフォーマンスを再度確認することができるとともに、仮想ＣＰＵの利用率や仮想メモリの利用率を見ることによって仮想ＣＰＵや仮想メモリの利用状況を知ることができる。さらに、仮想ハードディスクの稼働状況（○，×）、仮想リソッド・ステート・ドライブの稼働状況（○，×）、仮想ネットワークインターフェイスの稼働状況（○，×）を見ることによって仮想ハードディスクや仮想リソッド・ステート・ドライブ、仮想ネットワークインターフェイスの稼働状況を知ることができる。
【０２３６】
ＣＰＵモデル３０（仮想ＣＰＵ）の性能や利用状況から判断した結果、既設のサーバモデル２９（仮想サーバ１８１〜１８ｎ）に設置されたＣＰＵモデル３０（仮想ＣＰＵ）を削除する場合、利用者は、ＣＰＵモデル表示エリア２３ｇに表示された削除対象のＣＰＵモデル３０を選択する（反転させる）。メモリモデル３１（仮想メモリ）の性能や利用状況から判断した結果、既設のサーバモデル２９（仮想サーバ１８１〜１８ｎ）に設置されたメモリモデル３１（仮想メモリ）を削除する場合、利用者は、メモリモデル表示エリア２３ｈに表示された削除対象のメモリモデル３１を選択する（反転させる）。ハードディスクモデル３２（仮想ハードディスク）の性能や稼働状況から判断した結果、既設のサーバモデル２９（仮想サーバ１８１〜１８ｎ）に設置されたハードディスクモデル３２（仮想ハードディスク）を削除する場合、利用者は、ハードディスクモデル表示エリア２３ｉに表示されたハードディスクモデル３２のうち、変更対象のハードディスクモデル３２を選択する（反転させる）。
【０２３７】
ドライブモデル３３（仮想リソッド・ステート・ドライブ）の性能や稼働状況から判断した結果、既設のサーバモデル２９（仮想サーバ１８１〜１８ｎ）に設置されたドライブモデル３３（仮想リソッド・ステート・ドライブ）を削除する場合、利用者は、ドライブモデル表示エリア２３ｊに表示されたドライブモデル３３のうち、変更対象のドライブモデル３３を選択する（反転させる）。インターフェイスモデル３４（仮想ネットワークインターフェイス）の性能や稼働状況から判断した結果、既設のサーバモデル２９（仮想サーバ１８１〜１８ｎ）に設置されたインターフェイスモデル３４（仮想ネットワークインターフェイス）を削除する場合、利用者は、インターフェイスモデル表示エリア２３ｋに表示されたインターフェイスモデル３４のうち、変更対象のインターフェイスモデル３４を選択する（反転させる）。既設のサーバモデル２９（仮想サーバ１８１〜１８ｎ）にインストールされたＯＳを削除する場合、利用者は、ＯＳ表示エリア２３ｌに表示されたＯＳ（名称）を選択する（反転させる）。
【０２３８】
図２３のデバイス削除画面において削除対象のデバイス（サーバモデル２９、メモリモデル３０、ハードディスクモデル３１、ドライブモデル３２、インターフェイスモデル３４）や削除対象のＯＳを選択した後、デバイス削除ボタン２３ｃをクリックする。デバイス削除ボタン２３ｃをクリックすると、図２４に示す仮想サーバ提供システム（デバイス削除確認）画面がディスプレイ２２に表示される。図２４のデバイス削除確認画面には、利用者名を表示した利用者名表示エリア２４ａ、削除対象の各デバイスが表示された削除デバイスモデル表示エリア２４ｂ（デバイスモデル表示エリア）、削除デバイスモデルドロップエリア２４ｃ（デバイスモデル表示エリア）、デバイス削除確認ボタン２４ｄ、デバイス削除画面ボタン２４ｅ、クリアボタン２４ｆが表示される。デバイス削除画面ボタン２４ｄをクリックすると、デバイス削除ボタン２３ｃをクリックする直前の図２３のデバイス削除画面に戻る。クリアボタン２４ｅをクリックすると、削除対象のデバイスを選択する前の状態の図２３のデバイス削除画面に戻る。
【０２３９】
削除デバイスモデル表示エリア２４ｂには、図２２の削除デバイス決定画面のサーバモデル表示エリア２２ｂにおいて選択されたサーバモデル２９およびサーバ名を表示したサーバモデル表示エリア２４ｆ、図２３のデバイス削除画面のＣＰＵモデル表示エリア２３ｇにおいて選択された削除対象のＣＰＵモデル３０を表示した削除ＣＰＵモデル表示エリア２４ｇ（ＣＰＵモデル表示エリア）（仮想ＣＰＵを削除しない場合、ＣＰＵモデル３０は表示されない）、メモリモデル表示エリア２３ｈにおいて選択された削除対象のメモリモデル３１を表示した削除メモリモデル表示エリア２４ｈ（メモリモデル表示エリア）（仮想メモリを削除しない場合、メモリモデル３１は表示されない）、ハードディスクモデル表示エリア２３ｉにおいて選択された削除対象のハードディスクモデル３２を表示した削除ハードディスクモデル表示エリア２４ｉ（ハードディスクモデル表示エリア）（仮想ハードディスクを削除しない場合、ハードディスクモデル３２は表示されない）が表示される。
【０２４０】
さらに、ドライブモデル表示エリア２３ｊにおいて選択された削除対象のドライブモデル３３を表示した削除ドライブモデル表示エリア２４ｊ（ドライブモデル表示エリア）（仮想リソッド・ステート・ドライブを削除しない場合、ドライブモデル３３は表示されない）、インターフェイスモデル表示エリア２３ｋにおいて選択された削除対象のインターフェイス３４を表示した削除インターフェイスモデル表示エリア２４ｋ（インターフェイスモデル表示エリア）（仮想ネットワークインターフェイスを削除しない場合、インターフェイスモデル３４は表示されない）、ＯＳ表示エリア２３ｌにおいて選択された削除対象のＯＳを表示した削除ＯＳ表示エリア２４ｌが表示される（ＯＳを削除しない場合、ＯＳ名は表示されない）。
【０２４１】
削除デバイスモデルドロップエリア２４ｃには、削除ＣＰＵモデル表示エリア２４ｇに表示されたＣＰＵモデル３０を移動させる削除ＣＰＵモデルドロップエリア２４ｎ、削除メモリモデル表示エリア２４ｈに表示されたメモリモデル３１を移動させる削除メモリモデルドロップエリア２４ｏ、削除ハードディスクモデル表示エリア２４ｉに表示されたハードディスクモデル３２を移動させる削除ハードディスクモデルドロップエリア２４ｐ、削除ドライブモデル表示エリア２４ｊに表示されたドライブモデル３３を移動させる削除ドライブモデルドロップエリア２４ｑ、削除インターフェイスモデル表示エリア２４ｋに表示されたインターフェイスモデル３４を移動させる削除インターフェイスモデルドロップエリア２４ｒ、削除ＯＳ表示エリア２４ｌに表示されたＯＳを移動させる削除ＯＳドロップエリア２４ｓが表示される。
【０２４２】
図２４のデバイス削除確認画面を確認した後、仮想サーバ１８１〜１８ｎにおいて利用可能に設定された仮想ＣＰＵ（ＣＰＵモデル３０）を削除するには、削除ＣＰＵモデル表示エリア２４ｇに表示されたＣＰＵモデル３０をドラッグアンドドロップによって削除ＣＰＵモデルドロップエリア２４ｎのスペース２４ｎ′に移動させる。ＣＰＵモデル３０をＣＰＵモデル表示エリア２４ｇから削除ＣＰＵモデルドロップエリア２４ｎのスペース２４ｎ′に移動させると、削除ＣＰＵモデル表示エリア２４ｇから削除対象のＣＰＵモデル３０が消去され、削除対象のＣＰＵモデル３０がスペース２４ｎ′に表示される。
【０２４３】
図２４のデバイス削除確認画面を確認した後、仮想サーバ１８１〜１８ｎにおいて利用可能に設定された仮想メモリ（メモリモデル３１）を削除するには、削除メモリモデル表示エリア２４ｈに表示されたメモリモデル３１をドラッグアンドドロップによって削除メモリモデルドロップエリア２４ｏのスペース２４ｏ′に移動させる。メモリモデル３１を削除メモリモデル表示エリア２４ｈから削除メモリモデルドロップエリア２４ｏのスペース２４ｏ′に移動させると、削除メモリモデル表示エリア２４ｈから削除対象のメモリモデル３１が消去され、削除対象のメモリモデル３１がスペース２４ｏ′に表示される。
【０２４４】
図２４のデバイス削除確認画面を確認した後、仮想サーバ１８１〜１８ｎにおいて利用可能に設定された仮想ハードディスク（ハードディスクモデル３２）を削除するには、削除ハードディスクモデル表示エリア２４ｉに表示されたハードディスクモデル３２をドラッグアンドドロップによって削除ハードディスクモデルドロップエリア２４ｐのスペース２４ｐ′に移動させる。ハードディスクモデル３２を削除ハードディスクモデル表示エリア２４ｉから削除ハードディスクモデルドロップエリア２４ｐのスペース２４ｐ′に移動させると、削除ハードディスクモデル表示エリア２４ｉから削除対象のハードディスクモデル３２が消去され、削除対象のハードディスクモデル３２がスペース２４ｐ′に表示される。
【０２４５】
図２４のデバイス削除確認画面を確認した後、仮想サーバ１８１〜１８ｎにおいて利用可能に設定された仮想リソッド・ステート・ドライブ（ドライブモデル３３）を削除するには、削除ドライブモデル表示エリア２４ｊに表示されたドライブモデル３３をドラッグアンドドロップによって削除ドライブモデルドロップエリア２４ｑのスペース２４ｑ′に移動させる。ドライブモデル３３を削除ドライブモデル表示エリア２４ｊから削除ドライブモデルドロップエリア２４ｑのスペース２４ｑ′に移動させると、削除ドライブモデル表示エリア２４ｊから削除対象のドライブモデル３３が消去され、削除対象のドライブモデル３３がスペース２４ｑ′に表示される。
【０２４６】
図２４のデバイス削除確認画面を確認した後、仮想サーバ１８１〜１８ｎにおいて利用可能に設定された仮想ネットワークインターフェイス（インターフェイスモデル３４）を削除するには、削除インターフェイスモデル表示エリア２４ｋに表示されたインターフェイスモデル３４をドラッグアンドドロップによって削除インターフェイスモデルドロップエリア２２ｒのスペース２４ｒ′に移動させる。インターフェイスモデル３４を削除インターフェイスモデル表示エリア２４ｋから削除インターフェイスモデルドロップエリア２４ｒのスペース２４ｒ′に移動させると、削除インターフェイスモデル表示エリア２４ｋから削除対象のインターフェイスモデル３４が消去され、削除対象のインターフェイスモデル３４がスペース２４ｒ′に表示される。
【０２４７】
図２４のデバイス削除確認画面を確認した後、仮想サーバ１８１〜１８ｎにおいて利用可能に設定されたＯＳを削除するには、削除ＯＳ表示エリア２４ｌに表示されたＯＳをドラッグアンドドロップによって削除ＯＳドロップエリア２４ｓのスペース２４ｓ′に移動させる。ＯＳを削除ＯＳ表示エリア２４ｌから削除ＯＳドロップエリア２４ｓのスペース２４ｓ′に移動させると、削除ＯＳ表示エリア２４ｌから削除対象のＯＳが消去され、削除対象のＯＳがスペース２４ｓ′に表示される。
【０２４８】
削除対象のＣＰＵモデル３０（仮想ＣＰＵ）やメモリモデル３１（仮想メモリ）、ハードディスクモデル３２（仮想ハードディスク）、ドライブモデル３３（仮想リソッド・ステート・ドライブ）、インターフェイスモデル３４（仮想ネットワークインターフェイス）、ＯＳを各ドロップエリア２４ｎ〜２４ｓのスペース２４ｎ′〜２４ｓ′に移動させた後、デバイス削除確認ボタン２４ｄをクリックする。デバイス削除確認ボタン２４ｄをクリックすると、削除確認メッセージ画面（図示せず）が表示され、削除確認メッセージ画面の削除ボタンをクリックすると、システム１０Ａ〜１０Ｄは、削除対象のＣＰＵモデル３０に対応するサイバー空間１２の仮想ＣＰＵをクライアントマシン２６１〜２６ｎやモバイルデバイス２７１〜２７ｎに割り当てられた仮想サーバ１８１〜１８ｎにおいて利用不能となるように削除し（仮想ＣＰＵ削除手段）、削除対象のメモリモデル３１に対応するサイバー空間１２の仮想メモリをクライアントマシン２６１〜２６ｎやモバイルデバイス２７１〜２７ｎに割り当てられた仮想サーバ１８１〜１８ｎにおいて利用不能となるように削除する（仮想メモリ削除手段）。
【０２４９】
さらに、システム１０Ａ〜１０Ｄは、削除対象のハードディスクモデル３２に対応するサイバー空間１２の仮想ハードディスクをクライアントマシン２６１〜２６ｎやモバイルデバイス２７１〜２７ｎに割り当てられた仮想サーバ１８１〜１８ｎにおいて利用不能となるように削除し（仮想ハードディスク削除手段）、削除対象のドライブモデル３３に対応するサイバー空間１２の仮想リソッド・ステート・ドライブをクライアントマシン２６１〜２６ｎやモバイルデバイス２７１〜２７ｎに割り当てられた仮想サーバ１８１〜１８ｎにおいて利用不能となるように削除する（仮想リソッド・ステート・ドライブ削除手段）。システム１０Ａ〜１０Ｄは、削除対象のインターフェイスモデル３４に対応するサイバー空間１２の仮想ネットワークインターフェイスをクライアントマシン２６１〜２６ｎやモバイルデバイス２７１〜２７ｎに割り当てられた仮想サーバ１８１〜１８ｎにおいて利用不能となるように削除する（仮想ネットワークインターフェイス削除手段）。
【０２５０】
システム１０Ａ〜１０Ｄは、削除対象のＯＳ（物理的なＯＳまたは仮想ＯＳ）を仮想サーバ１８１〜１８ｎからアンインストールする（ＯＳ削除手段）。システム１０Ａ〜１０Ｄは、仮想ＣＰＵ削除手段や仮想メモリ削除手段、仮想ハードディスク削除手段、仮想リソッド・ステート・ドライブ削除手段、仮想ネットワークインターフェイス削除手段、ＯＳ削除手段を実行した後、図１２の仮想サーバ提供システム（仮想デバイス設定）画面をディスプレイ２２に表示する。利用者は、仮想ＣＰＵや仮想メモリ、仮想ハードディスク、仮想リソッド・ステート・ドライブ、仮想ネットワークインターフェイス、ＯＳを削除した後、仮想サーバ１８１〜１８ｎにおいて新たなデバイスを設定する場合、図１２において説明した手順によって新たなデバイスを設定する。
【０２５１】
仮想サーバ提供システム１０Ａ〜１０Ｄは、代替が必要なデバイスや利用の必要がなくなったデバイス（仮想ＣＰＵ、仮想メモリ、仮想ハードディスク、仮想リソッド・ステート・ドライブ、仮想ネットワークインターフェイス、ＯＳ）をディスプレイ２２に表示されたそれらモデル３０〜３４の中からビジュアルに認識しつつ削除するデバイスを的確に選定することができ、削除を希望するデバイスの性能（スペック）を視覚で確認・把握しつつそのデバイスの削除を行うことができるとともに、削除を希望するデバイスを仮想サーバ１８１〜１８ｎにおいて速やかに利用不能にすることができる。
【０２５２】
図２５は、クライアントマシン２６１〜２６ｎやモバイルデバイス２７１〜２７ｎのディスプレイ２２に表示された連結解除画面の一例を示す図であり、図２６は、図２５から続く連結解除画面を示す図である。利用者が既設の仮想サーバ１８１〜１８ｎとＩＰアドレスとの連結を解除する場合、図７の利用者情報画面の連結解除ボタン７ｈをクリックする。連結解除ボタン７ｈをクリックすると、図２５に示す仮想サーバ提供システム（連結解除）画面がクライアントマシン２６１〜２６ｎやモバイルデバイス２７１〜２７ｎのディスプレイ２２に表示される。図２５の仮想サーバ提供システム（連結解除）画面には、利用者名を表示した利用者名表示エリア２５ａ、ＩＰアドレスの番号（図示せず）を表示したＩＰアドレス番号表示エリア２５ｂ〜２５ｇ、新設または増設された仮想サーバ１８１〜１８ｎを具現化したサーバモデル２９を表示したサーバモデル表示エリア２５ｈ〜２５ｌ、連結解除ボタン２５ｍ、利用者情報画面ボタン２５ｎ、クリアボタン２５ｏが表示される。
【０２５３】
利用者は、連結ライン３６が連結された変更対象のＩＰアドレス番号表示エリア２５ｄの上にカーソル３５を合わせた後、ドラッギングしつつカーソル３５をＩＰアドレス番号表示エリア２５ｄからサーバモデル２９（サーバモデル表示エリア２５ｌ）に向かって移動させ、変更対象のＩＰアドレス番号表示エリア１８ｄから連結ライン３６を引き離す。次に、カーソル３５をドラッギングしつつカーソル３５をサーバモデル２９（サーバモデル表示エリア２５ｌ）に移動させた後、カーソル３５をリリースする。カーソル３５をリリースすると、図２６に示すように、ＩＰアドレス番号表示エリア１８ｆとサーバモデル表示エリア１８ｌのサーバモデル２９とを結んでいた連結ライン３６が削除され、ＩＰアドレス番号表示エリア１８ｆとサーバモデル表示エリア１８ｌのサーバモデル２９との連結が解除される（連結解除手段）。なお、利用者情報画面ボタン２５ｎをクリックすると、図７の利用者情報画面に戻り、クリアボタン２５ｏをクリックすると、連結解除前の連結変更画面が表示される。
【０２５４】
連結ライン３６によるサーバモデル２９とＩＰアドレス番号表示エリア１８ｂ〜１８ｄとの連結を解除した後、連結解除ボタン２５ｍをクリックする。連結解除ボタン２５ｍをクックすると、システム１０Ａ〜１０Ｄは、ＩＰアドレス番号表示エリア１８ｆとサーバモデル表示エリア１８ｌのサーバモデル２９との連結を解除し、サーバモデル表示エリア１８ｌのサーバモデル２９に対応する仮想サーバ１８１〜１８ｎのインターネット２１への接続を不能にする。仮想サーバ提供システム１０Ａ〜１０Ｄは、クライアントマシン２６１〜２６ｎやモバイルデバイス２７１〜２７ｎにおいて利用可能に割り当てられた仮想サーバ１８１〜１８ｎとＩＰアドレス（ＩＰアドレス番号）との連結をクライアントマシン２６１〜２６ｎやモバイルデバイス２７１〜２７ｎにおいて可視化された連結ライン３６を介して解除することができ、ＩＰアドレスと仮想サーバ１８１〜１８ｎとの連結を可視化された連結ライン３６によってビジュアルに解除することができる。
【０２５５】
図２７は、クライアントマシン２６１〜２６ｎやモバイルデバイス２７１〜２７ｎのディスプレイ２２に表示された利用状況画面の一例を示す図であり、図２８は、クライアントマシン２６１〜２６ｎやモバイルデバイス２７１〜２７ｎのディスプレイ２２に表示された利用状況表示画面の一例を示す図である。システム１０Ａ〜１０Ｄは、各利用者がクライアントマシン２６１〜２６ｎやモバイルデバイス２７１〜２７ｎにおいて仮想サーバ１８１〜１８ｎが利用された場合、各仮想サーバ１８１〜１８ｎ毎の過去から現在までの稼働状況を物理サーバ１５，１５１〜１５ｎのハードディスクまたは仮想サーバ１８１〜１８ｎの仮想ハードディスクに格納する（稼働状況記憶手段）。システム１０Ａ〜１０Ｄは、仮想サーバ１８１〜１８ｎにおいて仮想ＣＰＵや仮想メモリが利用された場合、仮想サーバ１８１〜１８ｎに対する過去から現在までの各仮想ＣＰＵ毎の利用率や各仮想メモリ毎の利用率を物理サーバ１５，１５１〜１５ｎのハードディスクまたは仮想サーバ１８１〜１８ｎの仮想ハードディスクに格納する（ＣＰＵ利用率記憶手段、メモリ利用率記憶手段）。
【０２５６】
システム１０Ａ〜１０Ｄは、仮想サーバ１８１〜１８ｎにおいて仮想ハードディスクが利用された場合、仮想サーバ１８１〜１８ｎに対する過去から現在までの各仮想ハードディスク毎の稼働状況を物理サーバ１５，１５１〜１５ｎのハードディスクまたは仮想サーバ１８１〜１８ｎの仮想ハードディスクに格納し（ハードディスク稼働状況記憶手段）、仮想サーバ１８１〜１８ｎにおいて仮想リソッド・ステート・ドライブが利用された場合、仮想サーバ１８１〜１８ｎに対する過去から現在までの各仮想リソッド・ステート・ドライブ毎の稼働状況を物理サーバ１５，１５１〜１５ｎのハードディスクまたは仮想サーバ１８１〜１８ｎの仮想ハードディスクに格納する（ドライブ稼働状況記憶手段）。システム１０Ａ〜１０Ｄは、仮想サーバ１８１〜１８ｎにおいて仮想ネットワークインターフェイスが利用された場合、仮想サーバ１８１〜１８ｎに対する過去から現在までの各仮想ネットワークインターフェイス毎の稼働状況を物理サーバ１５，１５１〜１５ｎのハードディスクまたは仮想サーバ１８１〜１８ｎの仮想ハードディスクに格納する（インターフェイス稼働状況記憶手段）。
【０２５７】
仮想サーバ１８１〜１８ｎや各デバイス（仮想ＣＰＵ、仮想メモリ、仮想ハードディスク、仮想リソッド・ステート・ドライブ、仮想ネットワークインターフェイス）の利用状況を確認するには、図６の初期画面のイベントログ表示ボタン６ｃまたは図７の利用者情報画面の仮想サーバ一覧表示ボタン７ｇをクリックする。イベントログ表示ボタン６ｃまたは仮想サーバ一覧表示ボタン７ｇをクリックすると、図２７に示す仮想サーバ提供システム（利用状況）画面がクライアントマシン２６１〜２６ｎやモバイルデバイス２７１〜２７ｎのディスプレイ２２に表示される。図２７の利用状況画面には、利用者名を表示した利用者名表示エリア２７ａ、表示させる利用状況の過去から現在まで期間を指定する年月日入力エリア２７ｂ、表示させる利用状況の時間を指定する時間入力エリア２７ｃ、既設仮想サーバ一覧表示エリア、既設仮想サーバのサーバモデル２９を表示したサーバモデル表示エリア２７ｅ、サーバ利用状況表示ボタン２７ｆ、利用者情報画面ボタン２７ｇ、初期画面ボタン２７ｈ、ログアウトボタン２７ｉが表示される。利用者情報画面ボタン２７ｇをクリックすると、図７の利用者情報画面に戻る。
【０２５８】
年月日入力エリア２７ｂに年月日を入力し、時間入力エリア２７ｃに時間を入力した後、サーバ利用状況表示ボタン２７ｆをクリックすると、図２８に示す指定した日付および指定した時間における仮想サーバ提供システム（利用状況表示）画面がクライアントマシン２６１〜２６ｎやモバイルデバイス２７１〜２７ｎのディスプレイ２２に表示される。日付や時間を指定しない場合は、現在における仮想サーバ提供システム（利用状況表示）画面が表示される。図２８の利用状況表示画面には、利用者名を表示した利用者名表示エリア２８ａ、指定された日時を表示した日時表示エリア２８ｂ、仮想サーバ１８１〜１８ｎや各デバイスの利用状況を表示した利用状況表示エリア２８ｃ、印刷ボタン２８ｄ、利用者情報画面ボタン２８ｅ、初期画面ボタン２８ｆ、ログアウトボタン２８ｇが表示される。利用状況表示エリア２８ｃには、図２７の利用状況画面において指定したサーバモデル２９を表示したサーバモデル表示エリア２８ｈ、ＣＰＵモデル表示エリア２８ｉ、メモリモデル表示エリア２８ｊ、ハードディスクモデル表示エリア２８ｋ、ドライブモデル表示エリア２８ｌ、インターフェイスモデル表示エリア２８ｍ、ＯＳ表示エリア２８ｎが表示される。
【０２５９】
サーバモデル表示エリア２８ｈには、そこに表示されたサーバモデル２９に対応する仮想サーバ１８１〜１８ｎの稼働状態（○，△，×）、サーバモデル２９（仮想サーバ１８１〜１８ｎ）割当日時、サーバモデル２９（仮想サーバ１８１〜１８ｎ）の最後の電源ＯＮ日時、サーバモデル２９（仮想サーバ１８１〜１８ｎ）の最後の電源ＯＦＦ日時が表示される（稼働状況表示手段）。ＣＰＵモデル表示エリア２８ｉには、サーバモデル２９に対応する仮想サーバ１８１〜１８ｎに利用可能なＣＰＵモデル３０、そのＣＰＵモデル３０（仮想ＣＰＵ）のクロック数およびコア数、そのＣＰＵモデル３０（仮想ＣＰＵ）の利用率（時系列表示を含む）が表示される（ＣＰＵ利用率表示手段）。メモリモデル表示エリア２８ｊには、サーバモデル２９に対応する仮想サーバ１８１〜１８ｎに利用可能なメモリモデル３１、そのメモリモデル３１（仮想メモリ）のメモリ容量、そのメモリモデル３１（仮想メモリ）の利用率（時系列表示を含む）が表示される（メモリ利用率表示手段）。
【０２６０】
ハードディスクモデル表示エリア２８ｋには、サーバモデル２９に対応する仮想サーバ１８１〜１８ｎに利用可能なハードディスクモデル３２、そのハードディスクモデル３２（仮想ハードディスク）の記憶容量、そのハードディスクモデル３２（仮想ハードディスク）の稼働状況（○，×）が表示される（ハードディスク稼働状況表示手段）。ドライブモデル表示エリア２８ｌには、サーバモデル２９に対応する仮想サーバ１８１〜１８ｎに利用可能なドライブモデル３３、そのドライブモデル３３（仮想リソッド・ステート・ドライブ）の記憶容量、そのドライブモデル３３（仮想リソッド・ステート・ドライブ）の稼働状況（○，×）が表示される（ドライブ稼働状況表示手段）。インターフェイスモデル表示エリア２８ｍには、サーバモデル２９に対応する仮想サーバ１８１〜１８ｎに利用可能なインターフェイスモデル３４、そのインターフェイスモデル３４（仮想ネットワークインターフェイス）の最大転送速度、そのインターフェイスモデル３４（仮想ネットワークインターフェイス）の稼働状況（○，×）が表示される。ＯＳ表示エリア２８ｎには、サーバモデル２９（仮想サーバ１８１〜１８ｎ）にインストールされたＯＳが表示される（インターフェイス稼働状況表示手段）。
【０２６１】
仮想サーバ提供システム１０Ａ〜１０Ｄは、仮想サーバ１８１〜１８ｎの稼働状態や割当日時、電源ＯＮ日時、最後の電源ＯＦＦ日時を視認可能であるから、その仮想サーバ１８１〜１８ｎのパフォーマンスを確認することができるとともに、仮想ＣＰＵのクロック数、コア数および利用率や仮想メモリのメモリ容量および利用率を見ることによって仮想ＣＰＵや仮想メモリの性能や利用状況を知ることができる。さらに、仮想ハードディスクの記憶容量および稼働状況（○，×）、仮想リソッド・ステート・ドライブの記憶容量および稼働状況（○，×）、仮想ネットワークインターフェイスの最大転送速度および稼働状況（○，×）を見ることによって仮想ハードディスクや仮想リソッド・ステート・ドライブ、仮想ネットワークインターフェイスの性能や稼働状況を知ることができる。仮想サーバ提供システム１０Ａ〜１０Ｄは、利用者が仮想サーバの稼働状態を各仮想サーバ毎に正確に把握することができるとともに、仮想サーバにおいて利用可能な各デバイスの性能や利用状況、稼働状況を各デバイス毎に正確に把握することができるから、仮想サーバや各デバイスの新設や増設、変更、削除を的確に判断することができる。
【符号の説明】
【０２６２】
１０Ａ  仮想サーバ提供システム
１０Ｂ  仮想サーバ提供システム
１０Ｃ  仮想サーバ提供システム
１０Ｄ  仮想サーバ提供システム
１１    データセンター
１２    サイバー空間
１３    物理サーバ
１３１〜１３ｎ  第１〜第ｎ物理ルーター
１４    物理ファイアーフォール
１４１〜１４ｎ  第１〜第ｎ物理ファイアーフォール
１５    物理サーバ
１５１〜１５ｎ  第１〜第ｎ物理サーバ
１６１〜１６ｎ  第１〜第ｎ仮想ルーター
１７１〜１７ｎ  第１〜第ｎ仮想ファイアーフォール
１８１〜１８ｎ  第１〜第ｎ仮想サーバ
１９    グローバルネットワーク
１９１〜１９ｎ  第１〜第ｎグローバルネットワーク
２０    プライベートネットワーク
２０１〜２０ｎ  第１〜第ｎプライベートネットワーク
２１    インターネット
２２    ディスプレイ
２６１〜２６ｎ  クライアントマシン
２７１〜２７ｎ  スマートデバイス
２９    サーバモデル
３０    ＣＰＵモデル
３１    メモリモデル
３２    ハードディスクモデル
３３    ドライブモデル
３４    インターフェイスモデル
３５    カーソル
３６    連結ライン
【図１】
2015064741.tif 000003
【図２】
2015064741.tif 000004
【図３】
2015064741.tif 000005
【図４】
2015064741.tif 000006
【図５】
2015064741.tif 000007
【図６】
2015064741.tif 000008
【図７】
2015064741.tif 000009
【図８】
2015064741.tif 000010
【図９】
2015064741.tif 000011
【図１０】
2015064741.tif 000012
【図１１】
2015064741.tif 000013
【図１２】
2015064741.tif 000014
【図１３】
2015064741.tif 000015
【図１４】
2015064741.tif 000016
【図１５】
2015064741.tif 000017
【図１６】
2015064741.tif 000018
【図１７】
2015064741.tif 000019
【図１８】
2015064741.tif 000020
【図１９】
2015064741.tif 000021
【図２０】
2015064741.tif 000022
【図２１】
2015064741.tif 000023
【図２２】
2015064741.tif 000024
【図２３】
2015064741.tif 000025
【図２４】
2015064741.tif 000026
【図２５】
2015064741.tif 000027
【図２６】
2015064741.tif 000028
【図２７】
2015064741.tif 000029
【図２８】
2015064741.tif 000030